(57)【要約】      （修正有）【課題】遠隔に載置した磁界発生ステータを用いる、脈管構造内の磁性ナノ粒子の外部操作のためのシステムを提供する。【解決手段】システム及び方法は、永久磁石ベース又は電磁界発生ステータ源を用いて、流体媒質中の磁性ナノ粒子を制御する。人間の循環系などのように、流体媒質中での治療剤の拡散を増加させるのに有用であり、これは結果として循環系での血管閉塞などの流体障害物の実質的な除去をもたらし、延いては血液流の増加をもたらすこととなる。注入前に、ユーザによる化学剤組成との結合を容易にする非特殊化の化学被覆剤を有する磁性ナノ粒子ならびに、磁性ナノ粒子の一定な注入質量を、患者へ搬送するためにシステム。【選択図】図４Ｃ
2020044365.tif 000002
【特許請求の範囲】
【請求項１】
磁性粒子の運動を制御するためのシステムであって、
マグネットと、
前記マグネットに結合された制御システムであって、時間変化の磁界を生成するように、また、前記マグネットの磁性勾配の方向及び大きさを制御するように、前記マグネットの位置及び配向の少なくとも一つを操作させる制御システムと、
を備え、
戦記制御システムは、治療領域に磁性粒子の集合を容易にするように磁界の性質を変更するように前記制御システムが構成される集合モードと、前記治療領域内で循環運動を誘導するように前記磁界の性質を変更するように前記制御システムが構成される渦モードと、を切り替えるように構成されている、
システム。
【請求項２】
前記制御システムに撮像データを提供するように構成された撮像システムを更に備え、
前記制御システムは、前記撮像データに基づいて、前記集合モードと前記渦モードとをいつ切り替えるかを決定する、
請求項１に記載のシステム。
【請求項３】
前記撮像データは、超音波ベースの撮像データ、Ｘ線データ、ＰＥＴデータ、ＭＲデータ及びＣＴスキャンデータのうちの少なくとも一つを含む、
請求項２に記載のシステム。
【請求項４】
前記磁性粒子を更に含み、
前記磁性粒子は造影剤として作用する、
請求項１から３のいずれかに記載のシステム。
【請求項５】
磁性粒子の運動を制御するための起磁システムであって、
使用中に撮像システムから撮像データを受信する撮像モジュールであって、当該撮像データは、使用中において、被検者の脈管構造又は磁性ナノ粒子の相対位置若しくはその双方に関する情報を提供する画像診断法に由来する情報を含む、撮像モジュールと、
使用中において、受信される前記撮像データを前記起磁システムに相対する各位置にマッピングするように、前記起磁システムの参照フレームを前記撮像システムの参照フレームに登録する登録モジュールと、
使用中において、受信される前記撮像データ内の前記磁性粒子を識別し、前記起磁システムに相対する磁性ナノ粒子の位置を決定する追跡モジュールと、
使用中において、受信される前記撮像データに基づいて、前記磁性粒子の位置から被検者内の所望の部位への操縦経路を策定する操縦モジュールと、
使用中において、前記起磁システムに、時間変化の磁界を生成するように、また、マグネットの磁性勾配の方向及び大きさを制御するように、前記マグネットの位置及び配向の少なくとも一つを操作させる制御器と、
を備える起磁システム。
【請求項６】
前記起磁システムを操作するためにユーザからの入力を受信するユーザ入力モジュールを更に備える、
請求項５に記載の起磁システム。
【請求項７】
前記撮像データは、超音波ベースの撮像データ、Ｘ線データ、ＰＥＴデータ、ＭＲデータ及びＣＴスキャンデータのうちの少なくとも一つを含む、
請求項５または６に記載の起磁システム。
【発明の詳細な説明】
【技術分野】
【０００１】
［関連出願]
本出願は、２０１２年８月３０日に出願された米国特許出願第６１／６９５，２５７号の優先権を主張するものであり、前記出願の全文は本明細書の一部を構成するものとしてその内容を援用する。本出願はまた、２０１２年５月１５日に出願された米国特許出願第１３／４７１，８７１号及び２０１２年５月１５日に出願された米国特許出願第１３／４７１，９０８号の一部継続出願であり、前記出願の全文は本明細書の一部を構成するものとしてその内容を援用する。
【０００２】
本開示は、一般的には、各種の状態の処置のための、循環系の脈管構造内の磁性粒子（例えば、ナノ粒子）の導入及び外部操作を容易にするための各システム及び各方法に関する。
【背景技術】
【０００３】
脳血管及び四肢の血管のおける血管閉塞を含む循環系内の流体障害物の処置は、障害物を溶解できる薬剤の使用及び障害物除去装置の使用を含んでいた。しかしながら、このような薬物の副作用を制御することは困難であり、そのような障害物除去装置は、しばしば意図しない又は二次的組織損傷を引き起こす観血的な処置を伴う。加えて、通常の投与量での薬物の使用及び観血的な血栓摘出装置の使用の双方は、結果的に死因となり得る。
【発明の概要】
【発明が解決しようとする課題】
【０００４】
幾つかの実施の形態では、循環系における磁性ロータを制御するための磁界と勾配を有するマグネットと、循環系での治療目標部位に対して、磁性ロータを凝集し移動させる手法で、磁界及び勾配を位置決め及び回転又は振動させるための制御器とを備える治療システムが提供される。一の実施の形態によれば、治療システムを使用して、循環系内の医薬組成物又は他の薬剤との治療目標部位の接触が増加する。各種の実施の形態では、医薬組成物は、磁性ロータに添着されるか又はその他の方法で同時投与される、また、他の実施の形態では、磁性ロータとは分離して循環系に投与される。特定の実施の形態では、医薬組成物は、組織プラスミノーゲン活性化因子（ｔＰＡ）のような血栓溶解剤である。
【０００５】
システムの各治療対象（目標部位）は、限定されるわけではないが、アテローム硬化性血小板、線維性被膜、脂肪積体、冠動脈閉塞、動脈狭窄症、動脈再狭窄症、静脈血栓症、動脈血栓症、脳血栓症、塞栓症（例えば、肺塞栓症）、出血、微細血管、目部の凝血、血管腫瘤（例えば、血管腫、リンパ管腫、血管内皮腫、カポジ肉腫、血管肉腫、血管芽細胞腫）などの流体障害物、その他の流体障害物、及び／又はこれらの何れの組み合わせなどを含むことができる。血管の治療対象（目標部位）はまた、脳又は他の器官の動脈静脈奇形（例えば、真正動脈静脈奇形、潜在性奇形又は陰性奇形若しくは空洞性奇形、静脈奇形、血管腫、硬膜瘻孔）を含んでよい。システムの治療対象（目標部位）はまた、身体の何れの器官又は組織（例えば、心臓、脳、脚、腕、肺、前庭系、腫瘍又は癌組織、または器官又は組織に関連した血管）を含むことができる。幾つかの実施の形態では、治療目標部位は、基幹細胞及び／又は遺伝子治療（例えば、遺伝子の搬送）のために識別される目標部位とすることができる。幾つかの実施の形態では、磁性ロータは脊髄液（例えば、脳脊髄液）の中に搬送することができる。各種の実施の形態では、循環系は、被検者（例えば、人間の患者又は動物患者）の脈管構造である。
【０００６】
各種の実施の形態では、治療システムは、モータに結合された永久磁石を備え、制御器は、治療目標部位に対する実効距離及び実効平面においてマグネットを位置決めするようにモータを制御し、また治療目標部位を対処するために、治療目標部位に向けて磁性ロータを指向させて、実効周波数でマグネットを回転させる。各種の実施の形態では、治療システムは、磁界強度及び電流駆動の磁界分極を有する電磁石を備え、制御器は、電流を調整することにより、電磁石の磁界を回転させる。
【０００７】
幾つかの実施の形態では、治療システムは、回転磁界の周波数及び回転磁界の配向平面を調整することで、及び／又は治療目標部位に対して、回転磁界の距離を調整することで、治療目標部位を除去、撤去又はそのサイズを減少させるために、ユーザが磁性ロータを制御できるように、磁性ロータ及び／又は治療目標部位を目視するためのディスプレイ（例えば、モニタ又はスクリーン）、及び磁性ロータを制御するためのユーザインターフェース（タッチスクリーンディスプレイ、キーボード、マウスパッド、ジョイスティック及び／又はその他の入力手段を含む）を含む。各種の実施の形態では、治療対象（目標部位）は、低血流量又は無血流を有する人間の血管内の血栓、塞栓又は凝血塊である。各種の実施の形態では、磁性ロータは循環系に注入された磁性ナノ粒子である。磁性ナノ粒子は、被覆又は未被覆とすることができる。
【０００８】
幾つかの実施の形態では、磁界の回転磁界及び引力（例えば、指向化勾配）によりトルクがロータに及ぶことで発生するロータの回転に応じて、磁界から離間して血管に沿う前方横転移動を繰り返すことにより、また、磁界の回転磁界及び引力（例えば、指向化勾配）によりトルクがロータに及ぶことで発生するロータの回転に応じて、磁界に向かって流体を介して逆流することにより、磁性ロータは循環運動で流体を介して移動する。
【０００９】
幾つかの実施の形態では、循環系での流体の流れを増加させるために提供される治療システムであって、流体において磁性ツールを制御するための磁界を有するマグネットと、磁性ツールの摩耗面を回転させ、また治療目標部位を通る又はその周囲の流体の流れに接触し且つ増加させるために、回転摩耗面を操作するために、治療目標部位に対して磁界を位置決めし、そして、回転させるように構成された制御器と、を備える治療システムが提供される。各種の実施の形態では、循環系は、人間の患者のような被検者の脈管構造を含む。各種の実施の形態では、磁性ツールは、安定化ロッドに結合され、この磁性ツールは、回転磁界に応じて、安定化ロッドの周りを回転する。幾つかの実施の形態では、磁性ツールは、治療目標部位に係合して当該治療目標部位を切り開くマグネットに添着した擦過キャップを、当該磁性ツールは備える。幾つかの実施の形態では、制御器は、治療目標部位上の目標点で、磁性ツールを位置決めし、治療目標部位を切り開くのに充分な周波数で、磁性ツールを回転させる。マグネットは、磁性ツールが安定化ロッドによって治療目標部位に向かって押されると、直ちに磁性ツールが回転するように、そして回転中に、マグネットの各極が磁性ツールの各対向極を定期的に引き付けるように、当該マグネットを位置決めできる。幾つかの実施の形態では、マグネットは、回転中において、マグネットの各極が磁性ツールの各対向極を継続的に引き付けるように、また磁性ツールが、マグネットの引力（例えば、指向化勾配）により治療目標部位に向かって押されるように、当該マグネットを位置決めする。
【００１０】
幾つかの実施の形態では、システムは循環系内の流体の流れを増加させるために提供されるものであって、流体内の磁性ロータを制御するための磁界を有する磁石を備えるシステムが提供される。幾つかの実施の形態では、システムは、ユーザに対して、流体内での磁性ロータ及び治療目標部位を表示するディスプレイと、ユーザからの支持に応じて、治療目標部位に近接する磁性ロータを位置決めするように、また治療目標部位に対して、磁性ロータの角度配向を調整するように、更に流体を混合し実質的に治療目標部位を除去するために、全体的に循環運動又は振動運動で、磁性ロータを回転移動させるように、磁界を制御する制御器と、を備える。
【００１１】
各種の実施の形態では、ディスプレイ（例えば、スクリーン、モニタ）は、磁性ロータ（例えば、ナノ粒子）及び治療目標部位（例えば、凝血塊）のリアルタイムの（例えば、ストリーミング）映像を表示する。幾つかの実施の形態では、ディスプレイは、当該ディスプレイのリアルタイム映像上で、磁界の回転平面を表示するグラフィックと磁界の引力（例えば、指向化勾配）を表示するもう一つのグラフィックとを重畳する。幾つかの実施の形態では、マグネットは、モータ及び可動アームに結合された永久磁石である。幾つかの実施の形態では、制御器は、ユーザが、治療目標部位に対して、磁界の位置、回転平面及び／又は回転周波数を操作するための遠隔制御装置を備える。遠隔制御装置は、１次元、２次元、又は３次元での位置と回転平面を操作するために使用することができる。
【００１２】
幾つかの実施の形態では、リアルタイムの映像は、経頭蓋ドップラ画像診断システム、ＰＥＴ画像診断システム、Ｘ線画像診断システム、ＭＲＩ画像診断システム、ＣＴ画像診断システム、超音波画像診断システムなどの撮像システム及び／又は同様のシステムから受信した各画像に対応することができる。幾つかの実施の形態では、制御システムが動作しているとき、撮像システムは、存在する磁界に対しては比較的影響を受けない。制御システムは、磁性ナノ粒子の位置、患者の脈管構造及び／又は目標対象に関するリアルタイムのフィードバックを提供するように、撮像システムからの画像を受信し、登録し、またそれら画像をユーザに提示することができる。幾つかの実施の形態では、磁性ナノ粒子の撮像により、薬剤の注入及び／又は投与濃度についての情報を提供することができる。この情報を利用して、ナノ粒子の制御を、ナノ粒子が収集されるモードとナノ粒子の渦を形成するモードとの間で変更させる、又は脈管構造内の化学剤の混合の改善をするために、実質的に循環経路及び／又は振動経路に従わせることができ、これにより治療目標部位への化学剤の拡散を高め、及び／又は化学剤の治療目標部位に対する相互作用を高めている。幾つかの実施の形態では、磁性ナノ粒子は造影剤又は追跡子を含み、また薬剤又は化学剤に対して相関関係を持たせることができる。幾つかの実施の形態では、磁性ナノ粒子は、治療目標部位の領域に於ける脈管構造内での拡散量の目安（指標）として用いられる。
【００１３】
幾つかの実施の形態では、ディスプレイは、遠隔制御装置を介してユーザから受信した指示に応じてグラフィックスを調整する。各種の実施の形態では、マグネットは、モータ及び可動アームに結合された電磁石であり、制御器は、治療目標部位の位置、形状、厚さ及び密度を識別するために画像処理を行う。幾つかの実施の形態では、制御器が、治療目標部位を除去するために、磁界の位置、回転面及び／又は回転周波数を制御するように、自動的に可動アームを操作する。幾つかの実施の形態では、いくつかの実施形態では、自動制御により、ユーザが指定した又はプログラム化した操縦経路に従って、ナノ粒子を制御している。ユーザは、操縦経路を決定しかつ入力でき、また粒子の注入中、若しくは治療処置中でその他いずれかの時期に、調整を行うことができる。幾つかの実施の形態では、操縦経路は、治療システムの制御器により、自動的に算出及び／又は調整される。
【００１４】
幾つかの実施の形態では、マグネットは、実質的に遮蔽された筐体に収容され、これにより、システムの一つ又は複数のマグネットの磁界が人への又はシステム外部の物品に影響を及ぼすことを実質的に軽減又は防止している。例えば、システムは、適切な遮蔽材料（例えば、鉄）から作られた筐体を含むことができる。制御器が提供する自動制御により、使用中でないときには、一つまたは複数のマグネットを遮蔽筐体の内部に移動することができる。
【００１５】
幾つかの実施の形態では、治療システムは、磁性ナノ粒子の移動の制御を向上させるために、リアルタイム情報を提供する。磁性ナノ粒子は、画像診断法によって検出可能なように構成することができる。例えば、磁性ナノ粒子は、それぞれ、Ｘ線ベースのシステム又はＰＥＴスキャナを使用して可視化するように、造影剤又は核剤に添着してもよい。その他の画像診断法は、磁性ナノ粒子が作り出す脈管構造を介する流体の流れを検出するドップラー画像診断法（例えば、経頭蓋ドップラー）、又は直接２次元又は３次元画像診断を提供する超音波ベースの診断撮像システムを含むことができる。制御システムを撮像システム（画像診断システム）と組わせることで、低血流管腔内への化学添加剤のリアルタイム注入を追跡する能力を提供することができる。磁性システムを操作することにより、注入された磁性ナノ粒子の３段階制御が達成でき、これにより治療を指示する能力を向上させている。
【００１６】
画像診断法は、磁性ナノ粒子の作り出す流体の流れが影響を及ぼす装置又は化学剤を決定することのできる画像診断法を含むいずれのモダリティとすることができる。一の実施の形態では、画像診断法では、関心領域の画像を撮って、計量情報を提供している。治療システムは、外部機器に撮像データを通信するための通信モジュール（例えば、ディスプレイ装置や記憶装置などの）を含むことができる。治療システムは、画像の参照フレームを磁気システムの参照フレームに登録するための登録モジュールを含むことができる。そして、システムは、オペレータによる又はコンピューティングデバイスの制御器による自動的操作のいずれかによって、画像を受信かつ登録し、磁性ナノ粒子を追跡し、また所望の経路に沿ってナノ粒子を操縦するように当該ナノ粒子指向させる手段を提供することができる。撮像データは、２次元又は３次元データとすることができる。３次元情報は、操縦制御が三次元で実施される場所では、有利となり得る。幾つかの実施の形態では、磁性ナノ粒子の制御は，本明細書に記載のシステムを使用して、遠隔的に行われる。
【００１７】
特定の各実施の形態では、磁性ロータは、磁界の存在下で結合した磁性ナノ粒子により形成することができる（例えば、ナノ粒子列を形成するために凝集物）。幾つかの実施の形態では、流体は、治療目標部位（血栓又は凝血塊のような）を摩滅して除去するために、磁性ナノ粒子の一般的な循環運動又は振動運動で混合される、血液と治療剤（たとえば、ｔＰＡのような血栓溶解剤）との混合液である。幾つかの実施の形態では、磁性ナノ粒子の一般的な循環運動又は振動運動により、高血流血管から治療目標部位を含む低血流の血管へ向けて、治療剤を再指向させることができる。幾つかの実施の形態では、磁界の存在下で形成される磁性ナノ粒子は、治療剤を目標位置に指向させる血流の流れを、生成するために利用できる。
【００１８】
幾つかの実施の形態では、循環系での流体の流れを増加させる方法であって、治療上有効とされる量の磁性ロータ（例えば、磁性ナノ粒子）を，流体障害物をもつ患者の循環系へ投与することと、回転磁界と指向化勾配は循環系での磁性ロータを制御するように構成されものであって、永久磁石又は電磁石により回転磁界を患者に加えることと、患者の循環系での治療目標部位に対して、磁性ロータを凝集しかつ移動する手法で、磁界と磁界勾配を位置決め及び／又は回転させるための制御器を用いることと、を備える方法であって、循環系における治療目標部位の治療剤（例えば、医薬組成剤）との接触を増加させ、また流体の流れを増強させる、前記方法が提供される。幾つかの実施の形態では、磁性ロータを凝集しかつ移動させるために、磁界及び勾配を位置決めし更に回転させることで、治療目標部位（例えば、凝血塊、血栓又は閉塞）へ、治療剤（例えば、医薬組成剤、化学添加剤、基幹細胞、遺伝物質又は他の生物製剤等）を指向させるために利用できる血流の流れを生成又は増加させている。幾つかの実施の形態では、血流の流れは、利点的には、０．０１Ｔｅｓｌａから０．１Ｔｅｓｌａの間の回転する時間変化の磁界大きさと、０．０１Ｔｅｓｌａ／ｍｅｔｅｒから５Ｔｅｓｌａ／ｍｅｔｅｒの間の磁性勾配強度に曝されるときに、０．１ミリから２ミリの間の長さを有し、また回転周波数が１Ｈｚと１０Ｈｚの間（例えば、１Ｈｚ、２Ｈｚ、３Ｈｚ、４Ｈｚ、５Ｈｚ、６Ｈｚ、７Ｈｚ、８Ｈｚ、９Ｈｚ又は１０Ｈｚ）となるナノ粒子ロッドを形成するように結合される磁性ナノ粒子によって生成することができる。
【００１９】
幾つかの実施の形態によれば、治療剤（例えば、医薬組成剤、化学添加剤、血栓溶解剤）は、磁性ロータ又は磁性ロータを含む個々の磁性ナノ粒子に添着することができる。例えば、磁性ナノ粒子は、治療剤の添着を容易にするための被覆剤を含むことができる。治療剤を、磁性ロータから分離して、患者の循環系に対して投与できる。
【００２０】
幾つかの実施の形態によれば、治療目標部位は、人間の血管（例えば、脳血管又は脳に至る血管若しくは脚部の血管）での、血栓（例えば、凝血塊）とすることができる。幾つかの実施の形態では、磁性ロータは、循環系内に注入される磁性ナノ粒子から形成することができる。一の実施の形態では、治療目標部位は、静脈二弁の完全閉塞又は部分閉塞である。特定の各実施の形態では、磁性ロータは、磁性ロータと静脈との間の摩擦力を介して、磁界から離間してゆく運動を結果的に引き起こす、時間変化の磁界と磁性勾配に応じて、前方横転の繰り返し回転により、またロッドの回転と磁界の引力に応じて，流体を介して磁界に向かって逆流することにより、全体的に循環運動又は振動運動で流体を介して移動する。
【００２１】
幾つかの実施の形態によれば、磁性ロータは、約１０ｎｍ以上及び／又は約２００ｎｍ以下の直径であって、限定されるわけではないが、約１０ｎｍから約１５０ｎｍまで、約１５ｎｍから約１００ｎｍまで、約２０ｎｍから約６０ｎｍまで、約２０ｎｍから約１００ｎｍまで、約３０ｎｍから約５０ｎｍまで、それらが重複する各範囲、２００ｎｍ未満、１５０ｎｍ未満、１００ｎｍ未満、６０ｎｍ未満の直径を有する磁性ナノ粒子である。幾つかの実施の形態では、治療目標部位は、患者頭部の血管閉塞又は患者脚部の血管閉塞である。
【００２２】
幾つかの実施の形態では、循環系での薬剤拡散を増加させるための方法が提供される。前記方法は、治療上有効とされる量の磁性ロータを患者の循環系へ投与することを備える。幾つかの実施の形態では、前記方法は、循環系において磁性ロータを制御する磁界及び勾配を有するマグネットを患者に施用することを備える。幾つかの実施の形態では、前記方法は、患者の循環系内の治療目標部位に対して磁性ロータを凝集しかつ移動させる手法で、磁界及び勾配を位置決めしかつ回転させるように構成した制御器を用いることを備える。幾つかの実施の形態では、治療目標部位での循環系における治療剤（例えば、医薬組成剤）の拡散は、磁性ロータの存在及び移動の結果として増強される。
【００２３】
幾つかの実施の形態によれば、溶液中に容易に分散されない薬剤を搬送するシステムが開示される。前記システムは、使用中において、溶液中の薬剤の予測可能な搬送を確保することができる。一の実施の形態では、前記システムは、使用中において、被検者に向かって管を介して溶剤を押し出すポンプを備える。一の実施の形態では、前記システムは、使用中において、ポンプから溶剤を移送するポンプに結合した入口管を備える。一の実施の形態では、前記システムは、使用中において、溶液中において容易に分散されない薬剤を含む溶質の少なくとも一部を保持する、前記入口管に結合した貯蔵器を備える。一の実施の形態では、前記システムは、使用中において、分散溶液を生成するために溶剤及び溶質を撹拌する、貯蔵器に結合した撹拌機構を備える。一の実施の形態では、前記システムは、使用中において、分散溶液を被検者に移送する、貯蔵器に結合した出口管を備える。一の実施の形態では、溶質は、磁性粒子又はナノ粒子を含む。一の実施の形態では、出口管は、マイクロボアチューブを備える。一の実施の形態では、前記システムは、使用中において、ポンプからの溶液が、入口管を介して貯蔵器に入ると、出口管内に、貯蔵器内の溶液を押し出す、貯蔵器内のダイアフラムを備える。一の実施の形態では、前記システムは、使用中において、少なくとも、分散される溶液の一部を保持する、貯蔵器内に管を備える。一の実施の形態では、前記システムは、使用中において、エネルギーを撹拌機構から貯蔵器内の管へ伝達する、貯蔵器内の液体又はゲルを含む。
【００２４】
幾つかの実施の形態に依れば、前記システムは、支持構造体を備える。一の実施の形態では、前記貯蔵器は、使用中において、容易に分散されない薬剤を含む溶液の少なくとも一部を保持する、支持構造体に結合したＩＶドリップバッグを備える。一の実施の形態では、使用中において、分散溶液を生成又は維持するために、溶液を撹拌する攪拌機構は、ＩＶドリップバッグに結合される。一の実施の形態では、前記システムは、使用中において、被検者へ分散溶液を移送する、ＩＶドリップバッグに結合した出口管を含む。一の実施の形態では、前記システムは、ＩＶドリップバッグ及び出口管に結合した、円錐形の底部を有するドリップチャンバを備える。
【００２５】
幾つかの実施の形態に依れば、前記システムは、使用中において、一つ又は複数の注入器の内容物の分散を制御する注入器ポンプを備える。一の実施の形態では、前記システムは、注入器ポンプに接続された複数の注入器を備える。一の実施の形態では、前記システムは、複数の注入器に連結された出口管を複数備える。一の実施の形態では、前記システムは、使用中において、被検者への搬送のために、複数の注入器のうちの一以上からの溶液に合流する、複数の出口チューブに結合されたマニホールドを備える。一の実施の形態では、前記システムは、使用中において、マニホールドに沿う流体の流れを制御するマニホールド弁膜を備える。前記システムは、使用中において、溶液をマニホールドから被検者へ搬送する出口管を備えることができる。一の実施の形態では、前記システムは、使用中において、マニホールドから出口管への流体の流れを制御する出口弁膜を備えることができる。一の実施の形態では、前記システムは、使用中において、複数の注入器中の分散液を生成又は維持するのに充分な複数の注入器を攪拌する、注入器ポンプに結合した撹拌機構を備える。
【００２６】
一の実施の形態では、注入器ポンプは、第１の注入器から第２の注入器への溶液の移動により、分散を維持するために溶液が攪拌されるように、第１の注入器からの溶液を分散させ、第２の注入器で溶液を収集することによって、第１の注入器から第２の注入器へ溶液の一部を転送する。一の実施の形態では、複数の注入器のうちの少なくとも１つは塩水を含む。一の実施の形態では、弁膜マニホールドは、マニホールドに沿う塩水の流れを制御する。一の実施の形態では、塩水を含む少なくとも一つの注入器は、被験体への溶液の搬送後に、出口管を出水するように塩水を分散する。一の実施の形態では、動的な混合段階の間に、塩水がマニホールドの塩水部から出るのを実質的に防止するために、マニホールド弁膜は閉成され、また溶液がマニホールドから出口管へ流入するのを実質的に防止するために、出口弁膜は閉成される。一の実施の形態では、溶液配分段階中は、塩水がマニホールドの塩水部から出るのを実質的に防止するために、マニホールド弁膜は閉成され、また溶液がマニホールドから出口管へ流入するのを可能とするために、出口弁膜は開成される。一の実施の形態では、出水段階中に、マニホールドから出口管への塩水の流入を可能とするために、マニホールド弁膜は開成される。
【００２７】
一の実施の形態では、攪拌機構は、使用中において、溶液中で分散を維持するのに充分な時間設定した超音波パルスを生成する、超音波トランスデューサである。一の実施の形態では、攪拌機構は、使用中において、溶液中の磁性粒子の分散を維持するのに充分な時間変化の磁界を生成するマグネットである。磁界は、約１Ｈｚ以上及び／又は約１００Ｈｚ以下、約５Ｈｚ以上及び／又は約５０Ｈｚ以下、及び／又は約１０Ｈｚ以上及び／又は約３０Ｈｚ以下、約１Ｈｚ以上及び／又は約１０Ｈｚ以下、若しくはそれらが重複する各範囲、１００Ｈｚ未満、５０Ｈｚ未満，３０Ｈｚ未満、１０Ｈｚ未満の周波数で前記磁界は変化できる。
【００２８】
一の実施の形態では、攪拌機構は、時間設定した手法、周期的な手法、及び／又は律動的な手法で、ＩＶドリップバッグ又は貯蔵器の一部を押し込む、機械的に作動されるバーである。機械的な撹拌は、約０．１Ｈｚ以上及び／又は約５Ｈｚ以下、約０．２５Ｈｚ以上及び／又は約３Ｈｚ以下、若しくはそれらの重複する各範囲の周波数で、繰り返すことができる。一の実施の形態では、攪拌機構は、空気袋への空気を脈動させ、空気袋からの空気をＩＶドリップバッグ又は貯蔵器に流れ込ませるのを休止し、その後この動作を繰り返すコンプレッサであって、前記攪拌機構は、このコンプレッサに結合した空気袋（例えば、バルーン）である。一の実施の形態では、攪拌機構は、使用中において、機械的に粒子容器を攪拌する、機械的な渦生成器である。
【００２９】
一の実施の形態では、マイクロボアチューブは、被験体へ移送中において、溶液の分散を維持するために充分に小さい内径を有することができる。マイクロボアチューブの内径は、０．０１インチ及び０．１０インチの間（例えば、約０．０５インチ以内、約０．０４８インチ以内、約０．０３４インチ以内、及び／又は約０．０２３インチ以内）とすることができる。マイクロボアチューブの長さは、少なくとも約４０インチ及び／又は約１８０インチ以内、少なくとも約５０インチ及び／又は約１００インチ以内、若しくは少なくとも約５７インチ及び／又は約６１インチ以内、又はそれらが重複する各範囲とすることができる。マイクロボアチューブは、少なくとも約０．３ｍＬ及び／又は約２．０ｍＬ以内、少なくとも約０．４ｍＬ及び／又は約１．８ｍＬ以内、少なくとも約０．５ｍＬ及び／又は約１．７ｍＬ以内、それらが重複する各範囲、０．３ｍＬ未満、若しくは２．０ｍＬを超過する体積を持つことができる。
【００３０】
幾つかの実施の形態に依れば、可搬型の起磁システムであって、磁性ナノ粒子の無線操作により、閉塞血管を通る流体の流れを増加させる起磁システムが開示される。一の実施の形態では、前記システムは、マグネットポッドを備える。一の実施の形態では、前記システムは、マグネットポッドに回転可能に結合されたヘッドレストを備える。一の実施の形態では、前記システムは、マグネットポッドに取着されるレールアタッチメントであって、使用中において、実質的にマグネットポッドをベッド又はその他の類似の構造体に固定するレールアタッチメントを備える。一の実施の形態では、前記システムは、マグネットポッドに結合されるマグネットであって、使用中において、被検者の脈管構造内に誘導される磁性ナノ粒子の外部起磁制御を与える、磁界と指向化磁性勾配を有するマグネットを備える。前記マグネットは、一つまたは複数の永久磁石若しくは電磁石を備えることができる。
【００３１】
一の実施の形態では、前記システムは、使用中において、マグネットポッドに対して、磁界及び指向化磁性勾配を操作させる又はその双方に時間変化の磁界を生成させ、また、マグネットの磁性勾配の方向及び大きさを制御させる、制御器を備える。一の実施の形態では、前記システムは、磁界及び指向化磁性勾配を操作する又はその双方を操作するものであって、脈管構造内に存在する磁性ナノ粒子を凝集させて複数の磁性ナノ粒子ロッドを生成させ、また、磁性ナノ粒子ロッド及び磁性勾配の回転に応じて、磁界から離間するように、磁性ナノ粒子ロッドの前方横転移動を繰り返すことで、また、磁性ナノ粒子ロッド及び磁性勾配の回転に応じて、流体を介して逆流することで、前記磁性ナノ粒子ロッドを全体的に循環運動又は振動運動で脈管構造内の流体を介して移動させる磁界及び指向化磁性勾配又はその双方を操作する。一の実施の形態では、磁性ナノ粒子の移動の全体的な循環運動又は振動運動により、血管内に存在する血栓溶解剤に対する、脈管構造の血管内の流体障害物の薬剤曝露を増加させている。一の実施の形態では、ヘッドレストは、使用中において、マグネットポッドに関連して、被検者の頭部の位置と姿勢を確定する。
【００３２】
幾つかの実施の形態によれば、磁性ナノ粒子の無線操作のための起磁システムは、使用中において、被検者の脈管構造についての情報、磁性ナノ粒子の相対位置、又は其の双方を提供する画像診断法に由来する情報を含む撮像データを撮像システムから受信する撮像モジュールを備える。一の実施の形態では、起磁システムは、使用中において、受信した撮像データが起磁システムに相対する位置にマッピングされるように、起磁システムの参照フレームを撮像システムの参照フレームに登録する登録モジュールを備える。一の実施の形態では、起磁システムは、使用中において、受信した撮像データ内の磁性ナノ粒子を識別し、かつ起磁システムに相対する磁性ナノ粒子の位置を決定する追跡モジュールを備える。
【００３３】
一の実施の形態では、起磁システムは、使用中において、受信した撮像データに基づいて、磁性ナノ粒子の位置から被検者内の所望の部位への操縦経路を策定する操縦モジュールを備える。一の実施の形態では、起磁システムは、使用中において、起磁システムに対して、時間変化の磁界を生成するように、また、マグネットの磁性勾配の方向及び大きさを制御するように、マグネットの位置及び配向の少なくとも一つを操作させる制御器を備える。一の実施の形態では、時間変化の磁界、磁性勾配の方向、及び磁性勾配の大きさにより、血管内に存在する血栓溶解剤に対する脈管構造の血管内の流体障害物の薬剤曝露を増加させるように、また、流体障害物上の血栓溶解剤の作用を促進させるように、脈管構造内に存在する磁性ナノ粒子を凝集させて複数の磁性ナノ粒子ロッドを形成させることで、また、ここに記載の全体的な循環運動又は振動運動で脈管構造内の流体を介して磁性ナノ粒子ロッドを移動させることで、操縦経路に従って磁性ナノ粒子を操縦させている。磁性ナノ粒子は、流体障害物に接触することなく、流体障害物の処置又は除去を容易にすることができる。幾つかの実施の形態では、磁性ナノ粒子は非摩耗的である。幾つかの実施の形態では、磁性ナノ粒子は、実質的に楕円状である。
【００３４】
幾つかの実施の形態によれば、磁性ナノ粒子の無線操作により、閉塞血管を介する流体の流れを増加させるための起磁システムは、近位端及び遠位端を有するロボットアームを備える。ロボットアームは、３次元に沿ってロボットアームの遠位端の位置を制御する、また、回転の３軸に沿ってロボットアームの遠位端の配向を制御するように構成できる。一の実施の形態では、起磁システムは、ロボットアームの遠位端に結合したマグネットであって、使用中において、被検者の脈管構造内に誘導される磁性ナノ粒子の外部起磁制御を与える、磁界及び指向化磁性勾配を生成するマグネットを備える。一の実施の形態では、起磁システムは、使用中において、ロボットアームに対して、時間変化の磁界を生成するように、マグネットの位置及び配向のうちに少なくとも一つを操作させ、また、マグネットの磁性勾配の方向及び大きさを制御させる制御器を備える。一の実施の形態では、制御器は、ユーザからの受信した入力に従ってマグネットを位置決めするために、ロボットアームを移動させるように構成される。一の実施の形態では、起磁システムは、使用中において、ユーザがロボットアームを制御できるように、インターフェースを提供する制御システムを備える。
【００３５】
幾つかの実施の形態によれば、磁性ナノ粒子の無線操作により、循環系での流体の流れを増加させるための起磁システムが提供される。一の実施の形態では、前記システムは、永久磁石（例えば、円筒状又は８角筒状のマグネット）を備える。一の実施の形態では、前記システムは、回転の第１の軸周りにマグネットを回転させる第１回転機構（例えば、旋回軸受）と、第２の軸（例えば、時間変化の磁界を与える）周りのマグネットの回転速度を制御するように構成された第２の回転機構（例えば、旋回軸受）を備える。旋回軸受は、ウオームギヤ又はその他の被制御運動機構により、制御できる。一の実施の形態では、前記システムは、第１の回転機構を回転させるように構成される第１のモータ（例えば、ステッパモータ、サーボモータ）と、第２の回転機構を回転させるように構成される第２のステッパモータとを備える。一の実施の形態では、前記システムは、第１と第２のステッパモータを選択的に作動させるように構成された制御器を備える。一の実施の形態では、時間変化の磁界の方向は、磁性ナノ粒子を循環運動で移動させる周波数で、変化する。周波数は、少なくとも約０．１Ｈｚ及び／又は約１００Ｈｚ以内であって、限定されるわけではないが、約１Ｈｚから約３０Ｈｚ、約３Ｈｚから約１０Ｈｚ、約０．５Ｈｚから約５０Ｈｚ、約１Ｈｚから約６Ｈｚ、約０．１Ｈｚから約１０Ｈｚ、約５Ｈｚから約３０Ｈｚ、約５Ｈｚから約２０Ｈｚ、約１０Ｈｚから約３０Ｈｚ、約２０Ｈｚから約５０Ｈｚ、約４０Ｈｚから約７０Ｈｚ、約５０Ｈｚから約１００Ｈｚ、それらが重複する各範囲、約３Ｈｚ、約５Ｈｚ未満、約１０Ｈｚ未満、約２０Ｈｚ未満、約３０Ｈｚ未満、約４０Ｈｚ未満、又は約５０Ｈｚ未満を含む周波数とすることができる。
【００３６】
幾つかの実施の形態では、起磁システムを用いて、被検者の脈管構造内の磁性ナノ粒子を制御することで、化学添加剤を閉塞分枝内に並進移動させる方法が、開示される。一の実施の形態では、前記方法は、時間変化の磁界を生成し、時間変化の磁界の方向、大きさ及び勾配を制御するために、マグネットの位置、回転速度、開店軸及び磁界強度の少なくとも一つを変更することで、所望の部位で磁界を操作すうようにマグネットを制御することを備える。一の実施の形態では、前記方法は、閉塞分枝内の目標部位に、脈管構造内の磁性ナノ粒子を蓄積させるように、時間変化の磁界の勾配を操作することを備える。一の実施の形態では、前記方法は、閉塞分枝内の目標部位の磁性ナノ粒子を、脈管構造内での循環運動で移動させるように、時間変化の磁界の方向を変化させることを備える。一の実施の形態では、磁性ナノ粒子を、目標部位に蓄積させて、循環運動又は振動運動で移動させることで、化学添加剤に対する、閉塞分枝内の閉塞部位の薬剤曝露を増加させている。一の実施の形態では、化学添加剤は、血栓溶解剤である。
【００３７】
幾つかの実施の形態に依れば、起磁システムを用いて、磁性ナノ粒子を制御する方法が開示される。一の実施の形態では、前記方法は、ＳｏｎｏＳｉｔｅ（Ｒマーク）  Ｍ−Ｔｕｒｂｏ（ＴＭマーク）超音波システムのような、診断システム（例えば、撮像システム（画像診断システム））からの診断データ（例えば、撮像データ、調整データ、視覚的、機械的、電気的又は音波的な検出データ）を受信することを備える。幾つかの実施の形態では、診断データは、使用中において、被検者の脈管構造、磁性ナノ粒子の相対位置又はその双方に関する情報を提供する画像診断法又は検出法に由来する情報を含む。一の実施の形態では、前記方法は、診断システムからの診断データを起磁システムに相対する位置にマッピングするように、起磁システムの参照フレームを診断システムの参照フレームに登録することを備える。一の実施の形態では、前記方法は、診断システムからの診断データ内の磁性ナノ粒子を識別することを備える。一の実施の形態では、前記方法は、起磁システムに相対する磁性ナノ粒子の位置を決定することを備える。一の実施の形態では、前記方法は、診断システムからの診断データに基づいて、磁性ナノ粒子の位置から被検者内の所望の部位への操縦経路を策定することを備える。一の実施の形態では、前記方法は、操縦経路に従って、磁性ナノ粒子を操縦するように、起磁システムが生成する磁界を操作することを備える。一の実施の形態では、前記方法は、ユーザからの入力を受信すること、また起磁システムを操作するために、ユーザからの入力を用いることを備える。一の実施の形態では、前記方法は、磁性粒子の濃度と血栓溶解剤の拡散量とを相互に関連付けすること、また血栓溶解剤の拡散を変更するために、処置の各パラメータを調整することを備える。
【００３８】
一の実施の形態では、診断データは、超音波ベースの診断データ（例えば、撮像（画像診断））データ、Ｘ線データ、ＰＥＴデータ、ＭＲデータ及びＣＴスキャンデータの、少なくとも一つを含む。一の実施の形態では、参照フレームを登録することは、診断データの各要素を識別すること、また、撮像データの識別済み要素を被検者内の各位置にマッピングすることを含む。一の実施の形態では、参照フレームを登録することは、診断システムから診断システム情報を受信すること、また、診断データを起磁システムに相対する各位置にマッピングするために、受信した診断システム情報を用いることを含む。一の実施の形態では、操縦経路を策定することは、撮像データを用いて治療目標部位を識別すること、磁性ナノ粒子の注入部位を選定すること、また治療目標部位に到達するために被検者の脈管構造を介する経路を指定することを含む。一の実施の形態では、磁性ナノ粒子造影剤として作用する。一の実施の形態では、操作モードは、受信した診断データに基づいて選択される。一の実施の形態では、操作モードは、収集モード、渦モード及び操縦モードのうちの、少なくとも一つである。
【００３９】
本開示のこれら及びその他の特徴、態様および利点は、以下の説明、実施例および添付の特許請求項を参照して、更に好ましく理解されるよう。
【図面の簡単な説明】
【００４０】
当業者は、以下に説明する図面は、例示の目的のみのためであることを理解するであろう。これら図面は、いかなる意味においても本開示の範囲を限定することを意図するものではない。
【図１Ａ】図１Ａ及び図１Ｂは、マグネットのノース・サウス極が、単一のモータで駆動されるシステムの前面に対して平行な面内で回転する、永久磁石ステータシステムの例を示す図である。
【図１Ｂ】図１Ａ及び図１Ｂは、マグネットのノース・サウス極が、単一のモータで駆動されるシステムの前面に対して平行な面内で回転する、永久磁石ステータシステムの例を示す図である。
【図２】図２は、図１Ａ及び図１Ｂのマグネットシステムが取着される、可搬型位置決め器カートを示す図である。
【図３】図３は、マグネットのノース・サウス極が、単一のモータで駆動されるシステムの前面に対して垂直な面内で回転する、永久磁石ステータシステムの例を示す図である。
【図４Ａ】図４Ａ、図４Ｂは、いずれの平面の於いてもマグネットを回転可能とするように、２個のモータで駆動される永久磁石ステータシステムの例を示す図である。
【図４Ｂ】図４Ａ、図４Ｂは、いずれの平面の於いてもマグネットを回転可能とするように、２個のモータで駆動される永久磁石ステータシステムの例を示す図である。
【図４Ｃ】図４Ｃは、マグネットの角配向を制御可能とする永久磁石ステータシステムの例を示す図である。
【図５】図５は、アーム位置決め器に取着される、電力源を有する、電磁石ステータシステムの例を示す図である。
【図６】図６は、ベッドのベッドサイドレール又は患者支持部に取着できる、レールアタッチメントを有する、可搬型磁性ポッドの実施の形態を示す図である。
【図７Ａ】図７Ａ、図７Ｂ、図７Ｃは、起磁ステータシステムのためのユーザ制御インターフェースの各種の実施の形態を示す図である。
【図７Ｂ】図７Ａ、図７Ｂ、図７Ｃは、起磁ステータシステムのためのユーザ制御インターフェースの各種の実施の形態を示す図である。
【図７Ｃ】図７Ａ、図７Ｂ、図７Ｃは、起磁ステータシステムのためのユーザ制御インターフェースの各種の実施の形態を示す図である。
【図８】図８は、制御プロセスの実施の形態を示す図である。
【図９Ａ】図９Ａは、本発明の実施の形態に係る血管内の運動を生成するための磁性ナノ粒子の操作を示す図である。
【図９Ｂ】図９Ｂは、本発明の実施の形態に係る回転を生成するための磁性ナノ粒子上の磁界の作用を示す図である。
【図９Ｃ】図９Ｃは、本発明の実施の形態に係るフローパターンを生成するための、流体が充填された筐体の内部における、磁性ナノ粒子の配分の磁性操作を示す図である。
【図９Ｄ】図９Ｄは、本発明の実施の形態に係る、凝血塊上の治療剤の効果を増幅するための磁性ナノ粒子の配分の磁性操作を示す図である。
【図１０】図１０は、磁性ナノ粒子を制御する方法の実施の形態を示す図である。
【図１１】図１１は、本発明の実施の形態に係る血管閉塞を横切るようなマグネットの操作を示す図である。
【図１２Ａ】図１２Ａ及び図１２Ｂは、本発明の実施の形態に係る、脳内の血管閉塞の処置のために、起磁ステータシステム及び磁性ナノ粒子を用いる方法の例を示す図である。
【図１２Ｂ】図１２Ａ及び図１２Ｂは、本発明の実施の形態に係る、脳内の血管閉塞の処置のために、起磁ステータシステム及び磁性ナノ粒子を用いる方法の例を示す図である。
【図１３Ａ】図１３Ａ−図１３Ｅは、本発明の実施の形態に係る、無血流の完全閉塞領域での、治療剤の拡散を高める溜めのモデルを示す図であり、図１３Ａは薬剤無しの血管を示す図である。
【図１３Ｂ】図１３Ｂは、システム（灰色で示す）への薬剤添加を示し、また閉塞部位では混合不能を示す図である。
【図１３Ｃ】図１３Ｃはマグネット（図示せず）を介して閉塞部位に引き込む磁性ナノ粒子のシステムへの添加を示す図である。
【図１３Ｄ】図１３Ｄは、時間独立的な手法で磁界と勾配を加えることで、また閉塞部位への接触部に近接させるように、薬剤を混合させることで、発生させた外乱を示す図である。
【図１３Ｅ】図１３Ｅは、磁性ナノ粒子を使用する、薬剤の完全拡散と混合を介する閉塞部位への接触を示す図である。
【図１４】図１４は、起磁ステータシステムの実施の形態を示す図である。
【図１５】図１５は、患者の脚部を囲む電磁石起磁ステータシステムの実施の形態を示す図である。
【図１６Ａ】図１６Ａは、従来の処置下で、流れが無い閉塞管腔の代表的な目標領域を示す横断面図である。
【図１６Ｂ】図１６Ｂは、血流はあるが、標準的な薬剤搬送を用いての、薬剤による除去に効果が無い、目標領域の横断面図である。
【図１７Ａ】図１７Ａ−図１７Ｃは、幾つかの実施の形態に係る、処置で利用されるようなロッドを生成するための磁性ナノ粒子の配列構造を示す図であり、図１７Ａはゼロ磁界での組織化されていないナノ粒子を示す図である。
【図１７Ｂ】図１７Ｂはナノ粒子へ加えられる小さな磁界及び「ロッド」への組織化を示す図である。
【図１７Ｃ】図１７Ｃはナノ粒子へ加えられる大きな磁界を示す図である。
【図１８Ａ】図１８Ａ−図１８Ｅは、磁性ナノ粒子のロッドへの集塊と、印加磁界に起因するロッドの運動からの流れの形成を示す図であり、図１８Ａは、本発明の実施の形態に係る、限定長さを示しつつ、印加磁界の作用としてのナノ粒子の凝集ロッドのプロットを示す図である。
【図１８Ｂ】図１８Ｂは、印加磁界の影響下での磁性ナノ粒子のロッドへの集塊形成の順序を示す図である。
【図１８Ｃ】図１８Ｃは、時間変化の磁界の結果として、回転しかつ併進するロッドを示す図である。
【図１８Ｄ】図１８Ｄは、時間変化の磁界の結果として、面を横切って回転しかつ併進するロッドを示す図である。
【図１８Ｅ】図１８Ｅは、一つまたは複数のロッドの回転及び併進から発生する流れパターンを示す図である。
【図１９Ａ】図１９Ａ−１９Ｈは、本発明の実施の形態に係る、複数の磁性ナノ粒子から形成される磁性ロッドの併進に至る前方横転運動の順序を示す図である。
【図１９Ｂ】図１９Ａ−１９Ｈは、本発明の実施の形態に係る、複数の磁性ナノ粒子から形成される磁性ロッドの併進に至る前方横転運動の順序を示す図である。
【図１９Ｃ】図１９Ａ−１９Ｈは、本発明の実施の形態に係る、複数の磁性ナノ粒子から形成される磁性ロッドの併進に至る前方横転運動の順序を示す図である。
【図１９Ｄ】図１９Ａ−１９Ｈは、本発明の実施の形態に係る、複数の磁性ナノ粒子から形成される磁性ロッドの併進に至る前方横転運動の順序を示す図である。
【図１９Ｅ】図１９Ａ−１９Ｈは、本発明の実施の形態に係る、複数の磁性ナノ粒子から形成される磁性ロッドの併進に至る前方横転運動の順序を示す図である。
【図１９Ｆ】図１９Ａ−１９Ｈは、本発明の実施の形態に係る、複数の磁性ナノ粒子から形成される磁性ロッドの併進に至る前方横転運動の順序を示す図である。
【図１９Ｇ】図１９Ａ−１９Ｈは、本発明の実施の形態に係る、複数の磁性ナノ粒子から形成される磁性ロッドの併進に至る前方横転運動の順序を示す図である。
【図１９Ｈ】図１９Ａ−１９Ｈは、本発明の実施の形態に係る、複数の磁性ナノ粒子から形成される磁性ロッドの併進に至る前方横転運動の順序を示す図である。
【図２０Ａ】図２０Ａ及び図２０Ｂは、磁性ナノ粒子の構築に至る回転運動の結果として、増加した密度を有するナノ粒子の特徴的な飽和を示す図である。
【図２０Ｂ】図２０Ａ及び図２０Ｂは、磁性ナノ粒子の構築に至る回転運動の結果として、増加した密度を有するナノ粒子の特徴的な飽和を示す図である。
【図２１Ａ】図２１Ａ及び図２１Ｂは、本発明の実施の形態に係る、ナノ粒子ロッド上の磁性トルクに至る要素と磁界の物理特性の導出を示す図である。
【図２１Ｂ】図２１Ａ及び図２１Ｂは、本発明の実施の形態に係る、ナノ粒子ロッド上の磁性トルクに至る要素と磁界の物理特性の導出を示す図である。
【図２１Ｃ】図２１Ｃは、本発明の実施の形態に係る、ロッドの回転周波数の作用として、運動エネルギーの配分を示す図である。
【図２２Ａ】図２２Ａは、本発明の実施の形態に係る、図１６Ａに示す閉塞問題を処置するために、無流の血管内で、ロッドの旋回による外乱の導入を示す図である。
【図２２Ｂ】図２２Ｂは、本発明の実施の形態に係る、図１６Ｂに示す閉塞流の範疇での、外乱を導入する幾つかの実施の形態に従う、薬剤搬送の運動と効果を示す図である。
【図２３Ａ】図２３Ａは、本発明の実施の形態に係る、血管内の全閉塞に対して、全体的な循環運動でロッドを回転するグループの横断面図である。
【図２３Ｂ】図２３Ｂは、本発明の実施の形態に係る、球体を形成するために開始されるロッド回転の横断面図である。
【図２３Ｃ】図２３Ｃは、本発明の実施の形態に係る、ロッドの回転球体と閉塞血管を開成した凝血塊物質の横断面図である。
【図２３Ｄ】図２３Ｄは、本発明の実施の形態に係る、案内ワイヤ状の微細マグネットによって除去されている、図２３Ｃの球体の横断面図である。
【図２４】図２４は、本発明の実施の形態に係る、血管の弁尖上の閉塞物質を安全に除去するために、治療剤を施用する回転磁性担体を含む血管の横断面図である。
【図２５】図２５は、本発明の実施の形態に係る、複雑血管の遠位凝血塊への経路に沿う磁性ロッドの「移動」の前方横転運動の結果を示す図である。
【図２６Ａ】図２６Ａ及び２６Ｂは、本発明の実施の形態に係る、球体として示す磁気有効血栓摘出装置の運動の全体を示す図であり、図２６Ａは加えられた磁界又は勾配がない状態を示す図である。
【図２６Ｂ】図２６Ｂは横方向に球体を移動させる磁界と勾配が加えられた状態を示す図である。
【図２７Ａ】図２７Ａ−２７Ｄは、本発明の実施の形態に係る、閉塞血管に対処するための、回転する磁気有効血栓摘出球体の使用を示す図であり、図２７Ａは血管内の全閉塞に対する、回転する磁気有効血栓摘出球体の横断面図である。
【図２７Ｂ】図２７Ｂは閉塞面を磨滅している回転磁気有効血栓摘出球体の横断面図である。
【図２７Ｃ】図２７Ｃは閉塞血管を開成した磁気有効血栓摘出球体の横断面図である。
【図２７Ｄ】図２７Ｄは案内ワイヤ状の微細球体により取り除かれている磁気有効血栓摘出球体の横断面図である。
【図２８Ａ】図２８Ａは、本発明の実施の形態に係る、閉塞血管を開成した係留磁気有効血栓摘出球体の横断面図である。
【図２８Ｂ】図２８Ｂは、係留部が磁性球体の回転軸を通る、係留磁気有効血栓摘出球体の実施の形態を示す図である。
【図２８Ｃ】図２８Ｃは、本発明の実施の形態に係る、係留部が磁性球体の回転軸周りを輪状に設けられた実例的な実施の形態を示す図である。
【図２９】図２９は、本発明の実施の形態に係る、血管壁上の血小板に対する、循環運動での回転磁気有効血栓摘出球体の横断面図である。
【図３０Ａ】図３０Ａは、本発明の実施の形態に係る、撮像技術で撮像した、複雑血管の遠位凝血塊への経路に沿う磁性ロッド又は磁性球体の「移動」の前方横転運動の結果を示す図である。
【図３０Ｂ】図３０Ｂは、図３０Ａで成された測定に基づいて、経路を再形成する能力を示す図である。
【図３１】図３１Ａは、マイクロボアチューブを有する抽入システムの実施の形態を示す図である。
【図３２Ａ】図３２Ａ及び図３２Ｂは、注入剤の分散を維持するための、超音波トランスジューサを有する注入システムの各実施の形態を示す図である。
【図３２Ｂ】図３２Ａ及び図３２Ｂは、注入剤の分散を維持するための、超音波トランスジューサを有する注入システムの各実施の形態を示す図である。
【図３３】図３３図は、注入剤の分散を維持するための、磁性エネルギーを用いる注入システムの実施の形態を示す図である。
【図３４】図３４図は、注入剤の分散を維持するように構成される機械的な撹拌システムを有する注入システムの実施の形態を示す図である。
【図３５】図３５図は、多数のボラスカートリッジを用いる注入システムの実施の形態を示す図である。
【図３６Ａ】図３６Ａ及び３６Ｂは、注入剤の分散を維持するために、流体の動的混合を利用する注入システムの実施の形態を示す図である。
【図３６Ｂ】図３６Ａ及び３６Ｂは、注入剤の分散を維持するために、流体の動的混合を利用する注入システムの実施の形態を示す図である。
【図３７Ａ】図３７Ａ及び３７Ｂは、起磁ステータシステムと磁性ナノ粒子の各実施の形態を用いる、ウサギの静脈での血栓の除去を示す図である。
【図３７Ｂ】図３７Ａ及び３７Ｂは、起磁ステータシステムと磁性ナノ粒子の各実施の形態を用いる、ウサギの静脈での血栓の除去を示す図である。
【図３８】図３８は、本発明の実施の形態に係る、ウサギの血流を増加させるための時間減少と、同様の結果をもたらすために必要となるｔＰＡ量の減少との双方を示す、起磁ステータシステムの各実施の形態を用いる、ｔＰＡの投与量応答カーブを示す図である。
【図３９】図３９は、磁性ナノ粒子を用いる薬剤の集中が拡散単独の場合より早いことを示したテスト結果を示す図である。
【図４０】図４０は、磁性ナノ粒子で加速された凝血塊の溶解の例についての、時間の作用としての血流のグラフを示す図である。
【図４１Ａ】図４１Ａ−図４１Ｆは、親血管を用いる二股ナノ粒子制御の例を示す図である。
【図４１Ｂ】図４１Ａ−図４１Ｆは、親血管を用いる二股ナノ粒子制御の例を示す図である。
【図４１Ｃ】図４１Ａ−図４１Ｆは、親血管を用いる二股ナノ粒子制御の例を示す図である。
【図４１Ｄ】図４１Ａ−図４１Ｆは、親血管を用いる二股ナノ粒子制御の例を示す図である。
【図４１Ｅ】図４１Ａ−図４１Ｆは、親血管を用いる二股ナノ粒子制御の例を示す図である。
【図４１Ｆ】図４１Ａ−図４１Ｆは、親血管を用いる二股ナノ粒子制御の例を示す図である。
【図４２Ａ】図４２Ａ−図４２Ｄは、ストレプトキナーゼと磁性ナノ粒子を用いる生体学的な血栓溶解の例を示す図である。
【図４２Ｂ】図４２Ａ−図４２Ｄは、ストレプトキナーゼと磁性ナノ粒子を用いる生体学的な血栓溶解の例を示す図である。
【図４２Ｃ】図４２Ａ−図４２Ｄは、ストレプトキナーゼと磁性ナノ粒子を用いる生体学的な血栓溶解の例を示す図である。
【図４２Ｄ】図４２Ａ−図４２Ｄは、ストレプトキナーゼと磁性ナノ粒子を用いる生体学的な血栓溶解の例を示す図である。
【図４３】図４３は、ストレプトキナーゼとｔＰＡの投与量反応改善のグラフを示す図である。
【図４４】図４４は、ｔＰＡ投与量と相対的な磁性ナノ粒子投与量を確定する実例的なテスト管の設定を示す図である。
【図４５】図４５は、相対的な磁性ナノ粒子投与量の作用として、溶解率のグラフを示す図である。
【図４６Ａ】図４６Ａ−図４６Ｇは、磁性ナノ粒子と起磁システムで、患者を処置する際に使用するための実例的なユーザインターフェースを示す図である。
【図４６Ｂ】図４６Ａ−図４６Ｇは、磁性ナノ粒子と起磁システムで、患者を処置する際に使用するための実例的なユーザインターフェースを示す図である。
【図４６Ｃ】図４６Ａ−図４６Ｇは、磁性ナノ粒子と起磁システムで、患者を処置する際に使用するための実例的なユーザインターフェースを示す図である。
【図４６Ｄ】図４６Ａ−図４６Ｇは、磁性ナノ粒子と起磁システムで、患者を処置する際に使用するための実例的なユーザインターフェースを示す図である。
【図４６Ｅ】図４６Ａ−図４６Ｇは、磁性ナノ粒子と起磁システムで、患者を処置する際に使用するための実例的なユーザインターフェースを示す図である。
【図４６Ｆ】図４６Ａ−図４６Ｇは、磁性ナノ粒子と起磁システムで、患者を処置する際に使用するための実例的なユーザインターフェースを示す図である。
【図４６Ｇ】図４６Ａ−図４６Ｇは、磁性ナノ粒子と起磁システムで、患者を処置する際に使用するための実例的なユーザインターフェースを示す図である。
【図４７Ａ】図４７Ａ及び図４７Ｂは、脳血管内の潜在的な障害物又は閉塞に対して処置されている患者を参照して、磁性制御システムと磁性制御システムの磁性ポッドの位置決めの実施の形態を示す図である。
【図４７Ｂ】図４７Ａ及び図４７Ｂは、脳血管内の潜在的な障害物又は閉塞に対して処置されている患者を参照して、磁性制御システムと磁性制御システムの磁性ポッドの位置決めの実施の形態を示す図である。
【図４８Ａ】図４８Ａ及び図４８Ｂは、本明細書に記載の磁性ナノ粒子と磁性制御システムを用いる効果の実施の形態を概略的に示す図である。
【図４８Ｂ】図４８Ａ及び図４８Ｂは、本明細書に記載の磁性ナノ粒子と磁性制御システムを用いる効果の実施の形態を概略的に示す図である。
【発明を実施するための形態】
【００４１】
略語及び定義
本開示に関連して使用される科学的用語及び技術的用語は、本明細書に含まれるあらゆる定義に加えて、通常の意味（例えば、当業者に一般的に理解されているような）を有するものとする。更に、文脈上他に要求されない限り、単数形用語は複数を含み、複数形用語は単数を含むものとする。マグローヒル社（ＭｃＧｒａｗ−Ｈｉｌｌ）化学用語辞典（Ｐａｒｋｅｒ，  Ｓ．，  Ｅｄ．，  ＭｃＧｒａｗ−Ｈｉｌｌ，  Ｓａｎ  Ｆｒａｎｃｉｓｃｏ  （１９８５））及びＦｅｒｒｏｈｙｄｒｏ−Ｄｙｎａｍｉｃｓ  （Ｒ．Ｅ．  Ｒｏｓｅｎｓｗｅｉｇ，  Ｄｏｖｅｒ  Ｐｕｂｌｉｃａｔｉｏｎｓ，  Ｎｅｗ  Ｙｏｒｋ，  （１９８５））における開示は本明細書の一部を構成するものとして特にその内容を援用する。
【００４２】
「患者」には、一般的な意味が付与されるものとし、無制限に、人間及び獣医学的な被験者が含まれるものとする。
【００４３】
「血栓溶解剤」には、一般的な意味が付与されるものとし、無制限に、凝血または動脈硬化血小板を劣化させることができる薬剤を含むものとする。例えば、血栓溶解剤は、組織プラスミノーゲン活性化因子（ｔＰＡ）、プラスミノーゲン、ストレプトキナーゼ、ウロキナーゼ、組換え組織プラスミノーゲン活性化因子（ｒｔＰＡ）、アルテプラーゼ、レテプラーゼ、テネクテプラーゼ、スタチン及びその他の薬剤を含み、更に単独投与される各薬剤、又はワルファリン及び／又はヘパリンと同時投与される各薬剤を含むことができる。
【００４４】
「磁気ナノ粒子」には、一般的な意味が付与されるものとし、無制限に、被覆金属又は非被覆金属の粒子を含むものであって、約１ｎｍ（ナノメータ）以上の直径及び／又は約１０００ｎｍ以下の直径、約１０ｎｍ以上の直径及び／又は約２００ｎｍ以下の直径、約１５ｎｍ以上の直径及び／又は約１５０ｎｍ以下の直径、約２０ｎｍ以上の直径及び／又は約６０，８０，１００ｎｍ以下の直径、また１ｎｍと１０００ｎｍのあいだの整数値、例えば、１、２、３、４、５、．．．９９７、９９８、９９９及び１０００等の全ての正数値の直径を有する被覆金属又は非被覆金属の粒子を含むものとする。磁気ナノ粒子の適切な粒子径は、系の治療目標部位に依存する（例えば、非常に小さな血管はより小さいナノ粒子を受容し、循環系のより大きな部位はより大きなナノ粒子を受容することができる）。そのような磁気ナノ粒子の各例として、超常磁性酸化鉄ナノ粒子が含まれる。ナノ粒子は、マグネタイト又はその他の強磁性ミネラル又は酸化鉄から作製されてよく、また幾つかの実施の形態では、以下の材料のいずれか一つ若しくはそれらの組み合わせを被覆することができるもので、すなわち、それら被覆剤とは、（１）血中のナノ粒子を、親水性又は疎水性のいずれかにすることで、その挙動を高める被覆剤、（２）ナノ粒子を緩衝する被覆剤及び磁気ナノ粒子の磁性相互作用とその挙動を最適化する被覆剤、磁気共鳴画像診断、Ｘ線診断、陽電子射出断層撮影法（ＰＥＴ）、（３）超音波診断又はその他の画像診断技術による可視化を可能とする単一の又は複数の造影剤、（４）循環系の妨害物の破壊を加速させる各治療剤、（５）幹細胞、（６）各血栓溶解剤、等の各被覆剤である。被覆及び非被覆磁気ナノ粒子の双方の例及びそのような磁気ナノ粒子の作製法の例として、例えば米国特許第５５４３１５８号、５６６５２７７号、７０５２７７７号、７３２９６３８号、７４５９１４５号及び７５２４６３０号に記載のものであって、それぞれの全開示は本明細書の一部を構成するものとして特にその内容を援用する。著者グプタ（Ｇｕｐｔａ）等、２００５年６月発行の「医用材料」、２６巻、１８号、ページ３９９５−４０２１（Ｇｕｐｔａ  ｅｔ  ａｌ．，  Ｂｉｏｍａｔｅｒｉａｌｓ，  Ｖｏｌｕｍｅ  ２６，  Ｉｓｓｕｅ  １８，  Ｊｕｎｅ  ２００５，  Ｐａｇｅｓ  ３９９５−４０２１）を参照し、当該著作物における開示を本明細書の一部を構成するものとしてその内容を援用する。
【００４５】
「流体障害物」には、一般的な意味が付与されるものとし、無制限に、静脈系、動脈系、中枢神経系及びリンパ系を含む循環系を介する流体の正常な流れを阻害する、部分的又は完全な障害物を含むものとする。「血管閉塞」とは流体障害物であって、限定されるわけではないが、アテローム硬化性血小板（溶血班）、  脂肪積体、動脈狭窄症，  再狭窄症，  アテローム性動脈硬化症、動脈血栓症、静脈血栓症、脳血栓症、塞栓症（例えば、肺塞栓症）、動脈静脈奇形、出血、その他の凝血、及び極小血管等を含む流体障害物である。時として、流体障害物は、本明細書において、全体として、「凝血塊」と称する。
【００４６】
「実質的にクリアーする（障害物を除去する）」とは、一般的な意味が付与されるものとし、無制限に、循環系を介する流体の流れの上昇を結果的に発生させる、全て又は一部の流体障害物の除去を含むものとする。例えば、静脈を実質的にクリアー（静脈の障害物を除去する）するとは、血液が血栓を通過して又は其の周囲に流れるように、血管を塞いでいるその血栓を通過する経路又は其の周囲に経路を作ることを含む。
【００４７】
「極小血管」には、一般的な意味が付与されるものとし、無制限に、約１μｍ（ミクロメータ）から約１０μｍの直径を有する、循環系流体の経路を含むものとする。
【００４８】
「流体の流れの上昇」とは、一般的な意味が付与されるものとし、無制限に、閉塞循環系の流量をゼロからゼロを超過するレベルの流量まで上昇させることを含むものとする。例えば流動循環系では、用語「流体の流れの上昇」とは、患者内での一つ又は複数の磁性ナノ粒子の投与に先立つレベルから、元々の流体の流量レベルを超えるレベルまで、流量を上昇させることの意味を含むことができる。
【００４９】
「凝集物」には、一般的な意味が付与されるものとし、無制限に、磁性ナノ粒子から「各ロッド」へ展開させるような手法で（例えば、図１７について本明細書で記載されるように）、個々の磁性ロータ群を回転させて塊を形成し連鎖させる事を含むものとする。そのような回転ロータ群は、個々のロータが全体的に同時回転し、群として同一方向に移動する集団を形成する。結合磁界及び勾配の経時的な適用とは、各ロッドを組み上げる手法である。そのようなロータ群は、単独で作用する個別ロータに期待される特質より異なる可能性がある特質であり、かつ流体の流れ又はまだ流体自体における乱流を形成するため、あるいは流体の流れ又はまだ流体自体における組成物質あるいは液体の拡散を高めるために、流体の流れ又はまだ流体自体における、液体力学的な力を作りだすことができる特質を備える。
【００５０】
「処置（治療）」には、一般的な意味が付与されるものとし、無制限に、利益的な又は所望の臨床上の結果を得るアプローチ（手法）を含むものとする。本明細書の開示の各目的として、利益的な又は所望の臨床上の結果とは、限定されるわけではないが、一つのあるいは複数の下記の要素を含むものとする；すなわち、限定されるわけではないが、流体障害物（例えば、脳卒中、重大な静脈血栓症）、冠動脈疾患、頭蓋内動脈狭窄症、乏血性心臓疾患、アテローム性動脈硬化症、心臓血管性疾患及び高血圧を含む、循環系での流体障害物のいずれの様相についての改善又は軽減を含むものとする。
【００５１】
「薬剤、配合剤、又は医薬品組成剤」には、一般的な意味が付与されるものとし、無制限に、例えば、血栓又はアテローム硬化性血小板の酵素分解について、患者に対して適切に投与されるとき、医療上の所望の効果を誘発する能力をもつ化学配合剤又は組成剤を含むものとする。
【００５２】
「実効量」には、一般的な意味が付与されるものとし、無制限に、循環系の流体障害物の軽減又は減少などの臨床上の結果を含む、利益的な又は所望の結果をもたらすのに充分な治療剤（例えば、薬剤、化学添加剤、配合剤、又は医薬品組成剤）の量を含むものとする。実効量は、一回または複数回の投与において、投与可能な量である。例えば、薬剤、配合剤、又は医薬品組成剤の実効量は、頭部及び四肢での血管閉塞を含む循環系の流体障害の処置（流体障害の改善とその発生率の減少、流体障害の遅延及び／又は防止を含む処置）に充分な量であるとすることができる。治療剤の実効量は、患者に投与されるように配合される、被覆又は非被覆の磁性ナノ粒子を含むことができる。実効量は、一の又は複数の治療剤を投与する文脈で思料されてよく、単一の薬は、一の又は複数の他の薬と共同して、所望の結果が達成されてよい若しくは達成される場合には、実効量に示されるものとして思料されてよい。
【００５３】
「発生率を減少させる」には、一般的な意味が付与されるものとし、無制限に、重症度の低減（薬剤の必要性の低減及び／又は薬剤の量（例えば、薬剤被曝量）及び／又は、例えば、ｔＰＡを含むこれら状態のために一般的に利用される各治療の低減を含むことができる）、持続時間の低減及び／又は頻度（例えば、循環系閉塞の症候の表示時間を遅延させるまたは増加させることを含む）の低減の、いずれも含むものとする。例えば、各個体は、其の処置の反応という観点から変化してよく、そして、そのようなことから、例えば、患者内の流体障害の発生率を低減する方法は、治療剤と共同するか否かに係らず、其のような投与が特定な個体での発生率の減少を引き起こすであろうといった妥当な期待に基づいて、当該低減方法は磁性ナノ粒子の実効量の投与を反映する。
【００５４】
循環系の閉塞の一の又は複数の症候を「回復」させるとは、一般的な意味が付与されるものとし、無制限に、治療剤と共同するか否かに係らず、磁性ナノ粒子を投与しない場合と比較して、本明細書に記載にシステムを用いて、循環系の閉塞の一の又は複数の症候を軽減又は改善することを含むものとする。回復はまた、症候を、継続時間の観点から、短くする又は減少させることを含むことができる。
【００５５】
循環系の閉塞に関連する症候の進行を「遅延させる」とは、一般的な意味が付与されるものとし、無制限に、関連する各症候の進行を遅らせる、阻止する、遅速させる、遅滞させる、安定させる、及び／又は延期させることを含むものとする。この遅延は、疾患の履歴及び／又は処置を受けている各個体に依存して、時間の変化長とすることができる。例えば、充分な又は有意な遅延は、実際には、個体が循環系の閉塞に関連する各症候を進行させないという意味において、予防を包含する。症候の進行を遅延させる方法は、其の方法を利用しない場合と比較して、所与の時間枠での症候が進行する可能性を減少させる方法及び／又は所与の時間枠での症候の程度を減少させる方法である。その様な比較は、統計的に有意な数の被検者を用いる、臨床学的な研究に基づいてよい。
【００５６】
「医薬剤許容可能な担体」とは、一般的な意味が付与されるものとし、無制限に、磁性ナノ粒子及び／又は活性成分と組み合わせられたとき、被検者の免疫系に対して反応しない物質、かつ活性成分が生体活動の保持を可能とする物質を含むものとする。例えば、各医薬剤許容可能な担体は、リン酸緩衝塩水、水、油／水乳濁液のような乳濁液、及び各種の湿潤剤などの各医薬剤担体を含む。非経口投与用の希釈液の各例は、リン酸緩衝塩水又は通常の塩水（０．９％）である。
【００５７】
「医薬剤許容可能」とは、一般的な意味が付与されるものとし、無制限に、動物使用上、またより詳細には、人間及び／又は人間以外の哺乳類での使用上安全である製剤に加えて、中央政府又は州政府の監督機関に承認されていること、又は米国薬局方にリストされていること、その他の一般的に認知されている薬局方にリストされていることを含むものとする。
【００５８】
起磁ステータシステム及び磁性ロータの無線制御方法の概要
幾つかの実施の形態に係る、遠位設置の磁界生成ステータを用いる、自由磁性ロータの物理的処置における各システム及び各方法を説明する。本発明の幾つかの実施の形態は、循環系での流体の流れの上昇と循環系の障害物の実質的な除去を結果的にもたらことが可能な治療剤（例えば、医薬配合剤、血栓溶解剤）により、循環系における治療目標部位への接触を増加させるための、磁性ナノ粒子の制御に関する。幾つかの実施の形態では、当該システムは、治療剤の拡散を高め、かつ永久磁石ベースの又は電磁界生成のステータ電源を用いる。患者の血管閉塞を含む循環系の障害物を減少させる、磁性ナノ粒子凝集物（ナノ粒子ロッド、ナノ粒子球体、ナノ粒子ロータ）及び／又は磁性血栓摘出装置に作用させるために、磁界及び勾配を用いることができる。
【００５９】
各種の実施の形態では、腕部及び脚部の脈管構造のような、頭部（例えば、脳）及び身体の四肢における循環系の流体障害物を治療するために、本明細書に記載の各システムと各方法とを用いることができる。神経系（例えば、脳脊髄液内に達する）及びリンパ系（例えば、リンパ節）での、治療目標部位の治療を容易するために、本明細書の各システムと各方法とを用いることができる。幾つかの実施の形態では、治療剤（例えば、薬剤、  抗体又はその他の分子）を、血液脳関門を横切って移送するために、本明細書に記載の各システムと各方法とを用いることができる。幾つかの実施の形態では、遺伝子又は基幹細胞を搬送するために、本明細書の各システムと各方法とを用いることができる。幾つかの実施の形態では、各種の腫瘍学的処理での腫瘤組織又は癌性組織の治療を容易にするために、本明細書の各システムと各方法とを用いることができる。良性集団もまた治療することができる。一の実施の形態では、本明細書に開示の磁性粒子を介する組織集団への溶解剤への搬送の容易化が成される。
【００６０】
本発明の幾つかの実施の形態は、使用される治療剤（例えば、血栓溶解剤）の機械的に強化される分解又は溶解プロセスとの組み合わせにより、流体障害物に作用する、磁性ナノ粒子及び／又は磁気使用可能な血栓摘出装置によって生成される、磁性生成精練プロセスを提供する。幾つかの実施の形態に従って、磁性作用は、非回転の引張り磁性勾配を与える外部磁性源からの回転磁界に由来する。この外部制御は、利点的に、一般的には、部位への機械的な侵入をすることなく、循環系の障害物に対する力及び作用を与えてよい。幾つかの実施の形態に従って、本明細書に記載の各システム及び各方法は、目標循環系の障害物と治療剤との相互作用を大きく増加することができる。相互作用により、処理中において静脈壁又は弁膜を無損傷のままとなるよう、磁気的に収集できる残渣を取り残してよい。本明細書に記載の各システムと各方法のその他の特徴は、幾つかの実施の形態では、除去されるべき実質的に全ての残渣が、案内ワイヤの先端上の極小マグネットにより捕捉出来得る磁性ナノ粒子で、小さな軟性集塊を形成するように、薬剤及び撹拌状態を利用する能力である。一の実施の形態では、これらの特徴を達成するため、にシステムは、磁性ナノ粒子又は磁気使用可能な流体障害物除去装置に作用する、有向性磁性勾配と共同して、回転磁界を利用することができる。
【００６１】
幾つかの実施の形態では、回転磁界は、目標部位での磁界を回転させる配向性を有する強永久磁石を機械的に回転させることで生成され、同時に回転磁界は、所望の方向に定常磁性勾配を呈する。幾つかの実施の形態では、２個以上の磁性コイルは、ある勾配を有する回転磁界を与えるように、適切な位相同期をもって、使用可能である。３個以上のコイルが使用されるときには、少なくとも２個のコイルは、追加的な磁性空間的な特徴及びタイミング上の特徴を与えるために、何らかの垂直要素を相互に有する軸を持つことができる。例えば、２個のコイルはそれぞれ垂直軸を有することができ、一方のコイルは、目標位置で回転磁界を生成するように、他方のコイルを９０度分位相遅れさせるような流れを利用することができる。第３のコイルは、目標部位で適切な勾配を与えるように、同じく、モジュレーションのような独立関数を与えるように、位置決めかつ配向することができる。
【００６２】
流れの電子制御により、広範囲な磁界配列及び各勾配が、多数の時間関連イベントと共に、適用され得る。一の実施の形態では、磁性ナノ粒子のスラリーに対する勾配を持つ回転磁界の適用により、確定タイプのグループ化配置を与えることができる、すなわち、長さ約２ミリ以下の整列（斜交）ロッドを形成させる磁性ナノ粒子の「集塊」を与えることができる。
【００６３】
例えば、目標部位での約０．０２Ｔｅｓｌａ（テスラ）の磁界は、約０．４Ｔｅｓｌａ／ｍｅｔｅｒ（テスラ／メートル）の勾配との組み合わせで、磁性ナノ粒子（例えば、長さ約１ｍｍ（ミリメートル）から２ｍｍまで変化する長さの分離ナノ粒子ロッド）の集塊の生成が可能である。これら凝集物は生体外及び生体内でほとんどそのまま残存可能であるが、回転されるときには「軟性ブラッシング」を与えるほど充分に柔軟性を有することができる。ナノ粒子ロッドは、回転の際には、血管内の表面に沿って「移動」可能であり、凝血のような流体障害物との接触時には、血栓溶解剤の補助により、凝血塊要素の微細粒子を除去可能であることが観察された。ナノ粒子ロッドは、場合によっては、有意な粒径の残渣要素を残すことなく、継続的に凝血塊要素の破片をソフトに「こすり」落とすことができる。その他の場合では、障害物の種類や位置に依存して、残渣が最終的に、磁気力で捕捉および除去可能となる、柔軟で極小の磁性球体になるように、治療剤（例えば、血栓溶解剤）の搬送の時間間隔を決定できる。幾つかの実施の形態では、血液の凝血塊又はその他の流体障害物が付着したナノ粒子ロッドの接触は、偶発的なものであって、凝血塊又は凝血塊流体障害物の除去、若しくは分解を容易化するために必要となるものではない。
【００６４】
超音波画像診断及びその他の画像診断技術（例えば、Ｘ線撮影、磁気共鳴、核医学、光音響、温度記録法、断層撮影）は治療の進行を可視化するために利用できる。例えば、経頭蓋の超音波画像診断は、頭蓋塞栓症又は脳卒中での、凝血塊の破壊を視覚的に確認するために利用可能であろう。磁性ナノ粒子の可視化を高める造影剤およびその他の薬剤（例えば、ヨード、バリウム、ガドリニウム）もまた利用することができる。画像診断技術では、オペレータが磁性ナノ粒子を操縦又は他の方法で当該磁性ナノ粒子の動きを制御するように、リタルタイムのフィードバックを提供するために、各画像を表示装置に送信できる。
【００６５】
幾つかの実施の形態では、目標部位での０．４Ｔｅｓｌａ／ｍｅｔｅｒの勾配を有する０．０２Ｔｅｓｌａの磁界により、回転磁界勾配装置を用いて、直径約１．５ｍｍの極小磁性球体の回転をより精確に制御することが容易となる。一の実施の形態では、磁性勾配の適切な整列をもって、球体状構造体を血管内で操縦させて障害物位置で薬剤混合を加速させることができる。同様な手法で、血栓溶解剤及び／又は表面形質を備える被覆物を、障害物の破壊を高めるために、付加することができる。
【００６６】
使用される各数値パラメータは、循環系の障害物の特殊な性質、血栓溶解剤及び／又は磁気使用可能な血栓摘出装置若しくはナノ粒子ロッドの設計に依存して、変化することができる。回転周波数（例えば、０．１Ｈｚ以上及び／又は１００Ｈｚ以下であって、限定されるものではないが、約１Ｈｚから約３０Ｈｚ、約３Ｈｚから約１０Ｈｚ、約０．５Ｈｚから約５０Ｈｚ、約１Ｈｚから約６Ｈｚ、約０．１Ｈｚから約１０Ｈｚ、約５Ｈｚから約２０Ｈｚ、約１０Ｈｚから約３０Ｈｚ、約２０Ｈｚから約５０Ｈｚ、約４０Ｈｚから約７０Ｈｚ、約５０Ｈｚから約１００Ｈｚ、それら周波数が重複する各範囲、５Ｈｚ未満、１０Ｈｚ未満、２０Ｈｚ未満、３０Ｈｚ未満、４０Ｈｚ未満、５０Ｈｚ未満を含む）は、各マグネット（例えば、０．０１Ｔｅｓｌａ以上及び／又は１Ｔｅｓｌａ未満であって、限定されるものではないが、約０．０１Ｔｅｓｌａから約０．１Ｔｅｓｌａ、約０．０５Ｔｅｓｌａから約０．５Ｔｅｓｌａ、約０．１Ｔｅｓｌａから約０．６Ｔｅｓｌａ、約０．３Ｔｅｓｌａから約０．９Ｔｅｓｌａ、約０．５Ｔｅｓｌａから約１Ｔｅｓｌａ、それら磁束密度が重複する各範囲、１Ｔｅｓｌａ未満、０．５Ｔｅｓｌａ未満、０．２５Ｔｅｓｌａ未満、０．１Ｔｅｓｌａ未満を含む）により、約１立方フィートの体積ですべて、又は幾分より大きな体積での各コイルで、生成できる磁界の大きさの範囲で効果的とすることができる。勾配強度は、０．０１Ｔｅｓｌａ／ｍ以上及び／又は１０Ｔｅｓｌａ／ｍ以下とすることができるものであって、限定されるものではないが、約０．０１Ｔｅｓｌａ／ｍから約１Ｔｅｓｌａ／ｍ、約０．０１Ｔｅｓｌａ／ｍから約３Ｔｅｓｌａ／ｍ、約０．０５Ｔｅｓｌａ／ｍから約５Ｔｅｓｌａ／ｍ、約１Ｔｅｓｌａ／ｍから約４Ｔｅｓｌａ／ｍ、それら密度の重複する各範囲、５Ｔｅｓｌａ／ｍ未満、３Ｔｅｓｌａ／ｍ未満、２Ｔｅｓｌａ／ｍ未満、１Ｔｅｓｌａ／ｍ未満を含むものとすることができる。勾配方向は、一般的に永久磁石に対して質量の中心に集中し、電磁石を使用すれば、各コイルのうちの１個のコイルに集中でき、また其の組み合わせでは、１個あるいは複数のコイルの間に集中できる。
【００６７】
循環系の流体障害物
循環系の流体障害物が発生する身体の部位は、脚部及び脳に関連する血管を含む。そのような障害物の２つの主要な液体力学的な特徴は、脈管構造で観察されるものである、すなわち、低血流（例えば、１センチ／秒未満（＜  １ｃｍ／ｓｅｃ））又は総体的な障害物が観察される。何れの場合も、表面閉塞を溶解する薬剤を搬送する現行の方式、又は、例えば、血栓物質の機械的除去では、基層との新たな薬剤の相互作用を許容するために除去されるべき凝血塊の表面上の分解（劣化）層及び阻害層を、効果的に除去することはできない。これは、下流に移動する危険要素に帰着することがあり得るものであって、この危険要素は、より危険な障害物又は壊死に帰着することがあり得る。典型的な流れの状態では、流れが意図する部位を効果的に貫流しない、又は流れの目標をその部位に効果的に設定されない各箇所が存在する。その他の状態では、閉塞血管の３次元形状の微細さ（例えば、極めて微細な血管）又は複雑性に起因して、血栓摘出装置を目標部位まで操縦することが不可能である。
【００６８】
血栓溶解処理では、異なる血栓溶解剤が使用できる。例えば、心筋梗塞症及び肺塞栓症の一部の例では、ストレプトキナーゼが使用できる。ウロキナーゼ又はアルテプラーゼは、重症な又は重度で重大な静脈血栓症、肺性塞栓症，  心筋梗塞症及び静脈内閉塞症の治療に使用できる、又は透析カニューレと連係して使用できる。組織プラスミノーゲン活性化因子（“ｔＰＡ”又は“ＰＬＡＴ”）は、脳卒中の治療に対して臨床的に使用できる。レテプラーゼは、心臓発作の原因である閉塞を破壊することで、心臓発作の治療に使用できる。各凝固防止剤（例えば、ヘパリン、フォンダパリヌクス、デキストラン、アルデパリン、ダナパロイド）は、肺塞栓症、重大な静脈血栓症又はその他の流体障害の治療に使用されてよい。
【００６９】
脳卒中（例えば、心臓塞栓性脳卒中又は急性の乏血性脳卒中）の場合、ｔＰＡは、多くの場合成功裏に使用されるが、薬剤の作用として多くの場合、更なる閉塞、時として、壊死を招くほど大きな凝集塊の下流残渣を残すことになる。加えて、患者に投与される正常な血栓溶解剤投与量は、脳内出血の増加に関連している。多くの場合、閉塞に対する血栓溶解剤の化学的相互作用の効果は、閉塞除去が不十分のまま、遅く不十分である（又は、血栓溶解剤又はその他の薬剤は、遅速又は無流に起因して、閉塞部位に到達することさえできない）。四肢での閉塞部位では、薬剤を撹拌して案内する機械的手段は限定的であり、しばしば困難なものであり、また危険的なものとなり得る。多くの場合、処置部位での各静脈弁膜は、現在用いられている処置において、損傷を受けるか或いは閉塞から解放されるわけではない。本明細書に記載の幾つかの実施の形態は、利点的には、血流の閉塞部位の治療において、これら主要な障害物を取り扱う上で、有意な改善に関して、新規な各システムと各方法を提供する。
【００７０】
本明細書に記載の磁性ナノ粒子と起磁システムを用いる脳卒中治療は、利点的には、非常に効果的な各血栓摘出装置と比較され得る再開通の効能に帰着し得るものであるが、本明細書に記載のシステムは、早期にかつ脈管構造に対する身体的外傷を引き起こすことなく展開できる。早期の展開は、脳の早期の再灌流などの好ましい結果に帰着し得るものであって、ＩＶ−ｔＰＡと介入装置又はそれら２種の装置の組み合わせを用いる治療と比較して、結果的には更に良好な結果に帰着し得るものである。幾つかの実施の形態では、脳卒中の発症後の処方時間内（脳卒中の発症後２−４時間以内）に処置が施される。幾つかの実施の形態では、処置は、目標部位の外部であっても又は脳卒中の発症後の臨界期間（例えば、３時間治療開始始動期間外）外においても効果的である。早期の再開通で、神経学的な改善結果を高く予測可能である。
【００７１】
幾つかの実施の形態では、本明細書に記載の各システム、磁性ナノ粒子及び各方法を用いることは、処置開始後１０分以内（１０分未満、２０分未満、３０分未満、４５分未満、５０分未満）ほどに早期に明らかになる再開通又は再灌流の兆候、症候若しくは形跡を伴い、処置開始後１時間未満での完全な再開通（例えば、凝血塊の完全溶解）に帰着することができる。再開通の形跡は、国家健康機関脳卒中評価スケール（ＮＩＨ  Ｓｔｒｏｋｅ  Ｓｃａｌｅ  （ＮＩＨＳＳ：Ｎａｔｉｏｎａｌ  Ｉｎｓｔｉｔｕｔｅ  ｏｆ  Ｈｅａｌｔｈ  Ｓｔｒｏｋｅ  Ｓｃａｌｅ））の評点の減少により決定できる。例えば、処置開始の１０分後の、ＮＩＨＳＳ評点の改善は、血栓溶解剤を用いる処置（例えば、ＩＶ−ｔＰＡ）単独についての典型的な評点の倍であってよい（例えば、平均４点の改善に代わる８−１０点の改善）。ＮＩＨＳＳ評点により、脳卒中関連の神経学上の欠乏についての定量的測定値が提供され、当該ＮＩＨＳＳ評点は、意識レベル、言語レベル、忘却レベル、視界損失レベル、眼外運動レベル、運動力レベル、運動失調レベル、構音障害レベル及び感覚喪失レベルについての、急性脳梗塞の影響を評価するために利用される。幾つかの実施の形態に従い、本明細書に記載の各システムと各方法を用いる処置は、処置後１時間での及び／又は処置後２４時間での、ＮＩＨＳＳ評点での８点から１５点の間の改善に帰着している。
【００７２】
起磁ステータシステム
幾つかの実施の形態に従い、循環系の脈管構造での各磁性ロータ（例えば、磁性ナノ粒子の凝集物、球体又はロッド）の運動を制御するための磁界及び勾配を有するマグネットと、凝集物に対して磁界及び勾配を位置決めして回転させる、及び／又は循環系での治療目標部位（例えば、凝血塊又はその他の流体障害物）に対して磁性ロータを横断させるための制御器とを備える治療システムが提供される。この治療システムを使用して、循環系での薬剤組成と治療目標部位との接触範囲を拡大できる。各種の実施の形態では、薬剤組成は、磁性ロータに添加又は結合され、そしてその他の実施の形態では、各磁性ロータから離れて、薬剤組成が循環系に対して投与される。特定の実施の形態では、薬剤組成とは、血栓溶解剤（例えば、ｔＰＡ、アルテプラーゼ、ストレプトキナーゼ、ウロキナーゼ、レテプラーゼ又はそれらの組み合わせ）である。
【００７３】
システムの治療目標部位は、限定されるわけではないが、アテローム硬化性血小板、線維性被膜、脂肪積体、冠動脈閉塞、動脈狭窄症、動脈再狭窄症、静脈血栓症（例えば、重大な静脈血栓症）、動脈血栓症、脳血栓症、塞栓症（例えば、肺塞栓症）、出血、極微細血管、眼の凝血、血管腫瘤（例えば、血管腫、リンパ管腫、血管内皮腫、カポジ肉腫、血管肉腫、血管芽細胞腫）、脳又はその他の器官の動脈又は静脈の動静脈奇形（例えば、真正動静脈奇形、潜在的又は陰性若しくは空洞性奇形、静脈奇形、血管腫、硬膜瘻孔）、その他の流体障害物、又はこれらのいずれかの組み合わせのような流体障害物を含むことができる。システムの各治療又は診断目標部位はまた、身体のいずれかの器官又は組織（例えば、心臓、脳、脚部、腕部、肺、前庭系、腫瘤又は癌性組織）若しくは器官又は組織に関連する血管を含むことができる。例えば、各治療又は診断目標部位は、基幹細胞又は遺伝子治療（例えば、遺伝子搬送）について識別される目標部位とすることができる。幾つかの実施の形態では、各磁性ロータを、脊髄液（例えば、脳脊髄液）内部の治療薬又は診断薬と結合して搬送することができる。各種の実施の形態では、循環系とは被検者の脈管構造である（例えば、人間患者又は獣医学的な患者の動脈又は静脈）。
【００７４】
各種の実施の形態では、治療システムは、モータと結合した永久磁石、及び、治療目標部位についての実効距離と実効平面とにマグネットを位置決めするようにモータを制御し、且つ治療目標部位についての実効周波数でマグネットを回転させる制御器を備える。各種の実施の形態では、治療システムは、磁界強度と磁界分極を有する電流駆動の電磁石、及び、治療目標部位についての実効距離と実効平面とにマグネットを位置決めし、電気を調整して電磁石の磁界を回転させる制御器を備える。
【００７５】
治療システムは、磁性ロータと治療目標部位を目視するためのディスプレイ、及び、ユーザが、治療目標部位についての回転磁界周波数と回転磁界平面とを、及び／又は治療目標部位についての回転磁界距離を調節することで、少なくとも部分的に治療目標部位を明瞭にするように、磁性ロータを制御するためのユーザインタフェースを更に含むことができる。各種の実施の形態では、治療目標部位とは、人間の血管の血栓症部位とすることができる。各種の実施の形態では、磁性ロータは、循環系に注入される磁性ナノ粒子とすることができる。
【００７６】
各種の実施の形態では、当該システムを用いて処置される障害物とは、人間の血管での血栓症部位であり、各磁性ロータは、循環系に注入される磁性ナノ粒子により形成される。一の実施の形態に係るシステムでは、各磁性ロータは、（ａ）各ロータの回転と磁界の引力に応じて、磁界から遠ざかる方向に血管に沿って回転しながら繰り返し移動することで、また（ｂ）各ロータの回転と磁界の引力に応じて、磁界に向かって、流体を介して、繰り返し逆流動することで、一般的には循環運動により流体を介して横断する。
【００７７】
幾つかの実施の形態では、システムは、循環系での流体の流れを増加させるために提供されるものであって、流体中で各磁性ロータを制御する磁界を有するマグネットと、流体中での各磁性ロータ及び治療目標部位をユーザに対して表示するための表示装置と、ユーザからの指示に応答して、（ａ）磁性ロータを治療目標部位に隣接するように位置決めするように、（ｂ）治療目標部位について磁性ロータの角度配向性を調節するように、及び／又は（ｃ）流体を混合し、また治療目標部位を実質的に明瞭にさせるために、循環運動により流体を介して、各磁性ロータを回転及び横断させるように、磁界を制御する制御器と、を備える。
【００７８】
各種の実施の形態では、表示装置は、磁性ロータ及び治療目標部位のビデオをリアルタイムに表示することができ、当該表示装置は、磁界の回転平面のグラフィック表示を、磁界の引力のグラフィック表示に、リアルタイムのビデオ上で重畳させることができる。幾つかの実施の形態では、マグネットは、モータ及び可動アームに連結される永久磁石とすることができ、また制御器は、ユーザが、治療目標部位に対して磁界の位置、回転平面及び／又は回転周波数を操作するための遠隔制御装置を含むことができる。
【００７９】
幾つかの実施の形態では、表示装置は、遠隔制御装置を介してユーザから受け取った指示に応答して、グラフィックを調整することができる。各種の実施の形態では、マグネットは、モータ及び可動アームに連結される電磁石とすることができ、また制御器は、治療目標部位の位置、形状、厚み及び／又は密度を識別するために、画像処理を行うことができ、また制御器は、治療目標部位を明瞭にさせるために、磁界の位置、回転平面及び／又は回転周波数を制御するように、可動アームを自動的に操作することができる。
【００８０】
幾つかの実施の形態では、各磁性ロータは、回転磁界の存在下で結合される磁性ナノ粒子により形成される。幾つかの実施の形態では、流体は、血液と治療剤（例えば、血栓溶解剤）の混合液であって、治療目標部位を除去して実質的に明瞭にするための、全体的循環運動で混合される血液と治療剤の混合液とすることができる。幾つかの実施の形態では、各磁性ロータの全体的循環運動で、高流量血管から治療目標部位を含む低流量血管へと治療剤を再指向させることができる。幾つかの実施の形態では、磁界を変化させることで、各磁性ロータに対して、閉塞した血管の枝管のような治療目標部位に向かう血流を確立させ又は血流を増加させている、この結果、治療剤の拡散と効能（例えば、ｔＰＡ拡散の上昇及び凝血塊の破壊の加速）が上昇することになる。幾つかの実施の形態では、拡散及び効能の上昇は、ナノ粒子ロッドを形成するためにナノ粒子を結合することで達成されるもであって、ナノ粒子ロッドは、０．０１Ｔｅｓｌａと０．１Ｔｅｓｌａの間大きさを有する回転する時間変化型磁界に露出される時に０．１ｍｍから２ｍｍの間の長さを有し、０．０１Ｔｅｓｌａ／ｍｅｔｅｒと５Ｔｅｓｌａ／ｍｅｔｅｒの間の磁性勾配強度とを有するナノ粒子ロッドであって、磁界の回転周波数は１Ｈｚと１０Ｈｚの間である（例えば、１Ｈｚと１０Ｈｚの間、２Ｈｚと５Ｈｚの間、３Ｈｚと７Ｈｚの間、１Ｈｚと３Ｈｚの間、４Ｈｚと８Ｈｚの間、５Ｈｚと１０Ｈｚの間、又はそれら周波数の重複範囲）ナノ粒子ロッドのナノ粒子を結合することで、上記の拡散と効能の上昇が達成される。
【００８１】
起磁ステータシステムの実施例を、図１Ａ（等角図）と図１Ｂ（横断面図）に示す。単軸１３２回りの回転を伴う本システムに対する構成要素の作用を示す。永久磁石キューブ１０２は、Ｎ極１０４及びＳ極１０６を有する。一の実施の形態では、永久磁石１０２はそれぞれの側で３．５インチの寸法を取る。永久磁石１０２は、ネオジムーホウ素―鉄の磁性材料と、サマリウムーコバルトの磁性材料とを含む多数の永久磁石材料を備えてよく、更に大きく又はさらに小さく作製してよい。例えば、永久磁石１０２は、其々の側で１インチ以上、及び／又は其々の側で１０インチ未満とすることができるものであって、限定されるわけではないが、約１インチと約５インチの間、約２インチと約６インチの間、約３インチと約８インチの間、約３インチと約４インチの間、約４インチと約１０インチの間、それらの寸法が重複する各範囲、６インチ未満、５インチ未満、４インチ未満を含む寸法とすることができる。永久磁石１０２の形状は、立方体以外の形状、例えば、球体、筒体、直方体、楕円体のような形状又はその他の形状とすることができる。永久磁石材料の他の各構成で、磁界及び勾配の側面が、強度及び方向の観点から改善又は最適化されるように、磁界形成の性能を向上させてよい。幾つかの実施の形態では、永久磁石材料は、システムをよりコンパクトにするように構成されてよい。永久磁石材料により構成される筒体は、そのような例の一つである。筒状の各マグネットは、マグネットの質量を減少させ、かつマグネットの質量を患者の近傍に位置決めされるようにすることができる。幾つかの実施の形態では、単純な矩形及び立方形などの幾何学形状は、購入または製造コスト面からより実効性があるであろう。
【００８２】
Ｎ極１０４及びＳ極１０６が存在する永久磁石１０２の面は、載置プレート１０８に、膠着、取着、接着、添着、溶着又はその他の方法で固着若しくは結合される。載置プレート１０８は、磁性材料又は非磁性材料で構成することができる。選択的には、磁性材料は、永久磁石材料の何らかの構成のために、磁界を強化するために使用することができる。幾つかの実施の形態では、より容易に永久磁石１０２に添着又は結合されてよいことから、非磁性の各載置プレートが望まれ得る。
【００８３】
一の実施の形態では、載置プレート１０８は、軸受載置構造体１１６で共に支持される第１の軸受１１２及び第２の軸受１１４を通過するフランジ１１０に取着されている。多数の標準的な軸受は、少なくとも部分的に磁性を有する。従って、幾つかの実施の形態では、フランジ１１０は、磁界が効率的にフランジ１１０から各軸受１１２、１１４内部に移動しない構成を確保するために、非磁性材料から構成されている。この磁界移動が起きた場合には、各軸受は、フランジ１１０の各軸受１１２、１１４への磁気引力に起因する更なる摩擦に遭遇することとなろう。
【００８４】
一の実施の形態では、フランジ１１０の端部は、駆動モータ１２０に接続するカップリング１１８に結合される。駆動モータ１２０は、ＤＣ（直流）モータ又はＡＣ（交流）モータでよい。高精度はサーボモータで可能となる。幾つかの実施の形態では、ステップダウンギアボックス（降圧変速機）は、ここに記載のように、多数のモータが典型的に磁性ロータの無線制御用に所望される速度よりも早くスピン回転する場合に、所望の回転周波数で永久磁石１０２をスピン回転させるために、利点的に用いられてよい。
【００８５】
駆動モータ１２０は、一の実施の形態に従い、当該駆動モータ１２０をプラットホーム１２４に添着するモータ支持構造体１２２に取着される。サスペンションアーム１２８に接続されるサスペンション載置ブラケット１２６（位置決めされているが、図１Ｂには図示せず）がプラットホーム１２４に取着される。サスペンションアーム１２８はアタッチメントジョイント１３０を有する。サスペンションアーム１２８は、起磁ステータシステムの所望の配置に依存して、側部から、底部から又はその他の位置から懸架されてよい。
【００８６】
起磁ステータシステムの作用
起磁ステータシステム（例えば、図７Ａの起磁ステータシステム６０２）は、図２に示すように、可搬型支持ベース２０２を使用して位置決めできる。ひとたび適所に配置されると、図７Ａに示すように、ディスプレイ（例えば、コンピュータディスプレイ）６０６を備えるコンピュータコントロールパネル６０４と各ユーザコントロールボタン６０８とは、一の実施の形態では、空間６１０でのユーザが確定したポイントにおいて、磁性回転平面６１６の配向性を特定するために用いられる。幾つかの実施の形態では、ディスプレイ６０６はタッチスクリーンディスプレイである。磁界と勾配とは、物理空間６１０で操作される。回転平面の法線ベクトル６１４は、空間６１０でのポイントにおいて、グローバル座標系６１２にて、コントロールボタン６０８又はとハンドヘルド（手持ちタイプ）コントローラ６２２を使用することで、ユーザによって特定することができる。コンピュータにより自動的に又はユーザもしくはオペレータにより手動で設定されてよいこの磁界６１８の初期配向は、磁性回転平面６１６内に存在している。ユーザは磁性回転平面６１６での磁界回転６２０の方向を特定できる。
【００８７】
図８に制御処理の実施の形態を示す。制御処理における一の、一以上の又はすべてのステップは、計算装置によって自動的に実施できる。一以上のステップは、オペレータによって実施できる。ブロック７０２では、３次元制御用の空間でのポイントが識別される。ブロック７０４では、磁界に対して垂直な磁界スピン回転軸の配向が設定される。このステップには、回転平面の法線ベクトル６１４に指定が含まれる。右手座標系を使用すると、磁界は法線ベクトル６１４回りの時計方向に回転できることになる。ブロック７０６では、磁界６１８の初期方向が設定される。幾つかの実施の形態では、コンピュータ（例えば、コントローラ６０４）は、磁界６１８の初期方向を自動的に設定できる。ブロック７０８では、磁性回転平面６１６内の磁界回転周波数が、ユーザによって設定されるか又はコンピュータにより自動的に設定される。磁性勾配の強度は、ブロック７１０で算出され、磁界強度は、ブロック７１２で算出される。ブロック７１４では、各制御パラメータが、起磁システム用に算出される。制御パラメータは、所望の回転磁界及び磁性勾配を決定することができる。永久磁石システムに対して、各制御パラメータは（各）駆動モータ１２０の回転速度に対応し得るものである。電磁石システムに対して、各制御パラメータは、時間上の電流変化を記述することができる。各制御パラメータが一度算出されると、起磁ステータシステムはブロック７１６にて作動することができ、磁界及び勾配が目標領域に加えられる。もし、磁性回転平面６１６をブロック７１８で変化させるべきことが望まれる又は見込まれるのであれば、制御プロセスはブロック７０４にループバックする。
【００８８】
起磁ステータシステムが可搬型支持ベース２０２に取着されると想定すると、プラットホーム１２４は、サスペションアーム取付けジョイント１３０にそれ自体は取着されたサスペションアーム１２８に取着されたサスペション載置ブラケット１２６を介して、ユーザによって配向されてよい。サスペションアーム取付けジョイント１３０は、可搬型支持ベース２０２に接続されたアーム位置決め器２１２に連結する。サスペションアーム取付けジョイント１３０は、アーム位置決め器２１２周りの起磁システムの回転を許容する。サスペションアーム取付けジョイント１３０はまた、サスペションアーム取付けジョイント１３０が受け入れる平面に対して垂直な平面で、プラットホーム１２４が回転できるようにしている。モータ支持構造体１２２を介してプラットホーム１２４に取着されるモータ１２０は、所望の回転周波数でスピン回転する。このスピン運動又は回転運動は、駆動カップリング１１８を介して載置フランジ１１０に連結される。第１の軸受１１２及び第２の軸受１１４により、載置フランジ１１０が平滑に回転できるようになっている。これら軸受は、軸受載置構造体１１６を介してプラットホーム１２４に添着される。スピン回転又は回転するフランジ１１０は、永久磁石１０２に取着されたマグネット載置プレート１０８に固着される。そのため、モータ１２０のスピン回転は永久磁石１０２に伝達される。永久磁石１０６の両端部のＮ極１０４及びＳ極１０６の位置は、所望の磁界回転平面６１６をもたらす。この磁界回転平面６１６では、磁界は、中央駆動軸１３２上に位置する全てのポイントについて、マグネットの前面に対して平行に回転する。
【００８９】
例として、身体内の磁性ナノ粒子の操作について、空間６１０でのユーザが確定したのポイントは、凝血塊を迅速かつ安全に破壊するように磁性ナノ粒子を操作するような乏血性脳卒中治療のために、頭部６２４内部に存してよい。同様に、空間６１０でのユーザが確定したのポイントは、凝血塊を迅速かつ安全に破壊するように磁性ナノ粒子を操作するような重大な静脈血栓症治療のために、脚部６２６内部に存してよい。
【００９０】
幾つかの実施の形態に係る磁性ナノ粒子の操作の例として、粒子参照座標系８０８に相対して、起磁発生磁界８１２を時計方向に回転させることで回転する、粒子のＮ極８０４と粒子のＳ極８０６とを保有する磁性ナノ粒子８０２を図９Ｂに示す。回転磁界８１２は、磁性ナノ粒子を、時計方向回転角度８１０の方向にスピン回転させる。磁性勾配８１４が加えられて、面８１６が発現（例えば、血管壁）すると、図９Ａに示すように、時計方向に回転する起磁発生磁界８１２は結果として、面に対して平行な並進８１８（例えば、図９Ａに示すように右側）を結果的に起こすような、面８１６に対する牽引力を発生させることとなる。
【００９１】
密閉領域８２２内部に含まれる流体８２０が存在する場合、図９Ｃに示すように、幾つかの実施の形態では、磁性勾配８１４と結合したときの磁性ナノ粒子の操作は、結果として流体運動８２４の循環を引き起こすこととなる。図９Ｄに示すように、血液８２６を含む血管８２８内の血管障害物８３０を破壊するために使用されるとき、起磁発生混合により、結果的に血液８２６内の凝血塊−破壊剤（血栓溶解剤）の混合が改善することとなる。改善された混合は、流体が停留し混合されないときに起きるであろう場合に比べて、治療剤と血管障害物８３０との接触の増加と相互作用の上昇を容易にするものであって、当該改善化混合は、利点的には、血栓溶解剤のより高い投与量に関連する出血を低減させることで、血栓溶解剤の投与量を標準の処方の投与量よりも低下させることが可能となり、その結果、より安全な処置をもたらすこととなる。それはまた、血栓溶解処理を促進する。例えば、磁性ナノ粒子は、血栓溶解剤がより良好に混合されて、より効率的な化学相互作用が結果的に発現するために、停滞流の領域で渦（例えば、予測可能に循環する）を形成するように操作可能である。渦の生成により、乱流領域近傍に血栓溶解剤をより多く引き込むことが可能となる。
【００９２】
診断画像処理又は検出によるリアルタイム制御
幾つかの実施の形態では、システムは、磁性ナノ粒子の制御を改善するためのリアルタイム情報を提供する。磁性ナノ粒子は、画像診断法により検出可能なように、構成できる。例えば、磁性ナノ粒子は、Ｘ線型システム又はＰＥＴスキャナをそれぞれ用いて、可視化できるように造影剤又は核薬剤（核共鳴画像診断薬剤）に添着されてよい。その他の画像診断法には、核磁気共鳴分光法、磁気共鳴撮像法、コンピュータ断層撮影法及び／又は磁性ナノ粒子が生成する流体の流れを検出するドップラー法（例えば、経頭蓋ドップラー法）を含むことができる。超音波型診断法及び／又は画像診断法もまた使用してもよい。例えば、幾つかの実施の形態では、外部超音波型診断システム（例えば、ドップラー超音波システム）を、ナノ粒子ロータ又はロッドの位置を識別又は検出するために、磁性ナノ粒子（例えば、３Ｈｚ）で形成した回転ナノ粒子ロータ又はロッドの回転周波数に合わせてもよく、これによりその他の治療目標部位の流体障害物の位置の表示及び／又は再開通もしくはその他の治療の進行の表示が提示される。回転ナノ粒子ロータ又はロッドの位置検出で、ＣＴ血管造影又はＭＲＩを必要とすことなく、循環が発生しているかどうか（又は再開通が達成されたかどうか）に関しての有益な表示を与えることができる。幾つかの実施の形態では、超音波型診断システムにより、血流の継続的かつリアルタイムの監視が提供される。回転周波数に調整することができるその他の技術またはモダリティもまた使用してよい。
【００９３】
制御システムと光学的診断（例えば、撮像又は検出）システムとを組み合わせることで、利点的には、幾つかの実施の形態では、指示される治療の改善能力が提供される。幾つかの実施において、診断システムは、治療目標部位（例えば、一以上の部分的又は完全障害物若しくは閉塞部位を有する低血流管腔）に向かう治療剤（例えば、化学添加剤）の注入についてのリアルタイムの追跡に好適な情報を提供できる。例えば、磁性ナノ粒子を、一以上の薬剤又は治療剤と関連付けする各施用では、当該磁性ナノ粒子を造影剤として作用するように構成することができる。そのような施用に磁性ナノ粒子を使用することで、当該磁性ナノ粒子を薬剤拡散の指標として利用し得るものとなる。撮像データ又はその他の診断データに基づいて、制御システムは、造影剤の濃度とある位置での磁性ナノ粒子量とを相互に関連付けすることができる。結果として、治療の各パラメータを、薬剤又は治療剤の拡散を変更するように（例えば、磁気ベースの制御システムの各制御パラメータを調整することで磁性ナノ粒子の操作を変更することにより）調整することができる。
【００９４】
特定の実施の形態では、診断システムは、システムについての各動作モード間での切り換えに好適なシステム及び／又はユーザに情報を提供することができる。例えば、撮像システムは、被験者内部の磁性ナノ粒子の位置及び濃度を表示する制御システムに対して、各画像及びその他のインプットを提供する。この情報に基づいて、システム又はユーザは、磁気システムに対して、確定位置で磁性ナノ粒子を収集するように構成された磁界を提供させる、又は磁気システムに対して、ある位置で磁性ナノ粒子を混合又は渦動させるように構成された磁界を提供させることができる。受信した画像情報に従って磁気システムを操作することで、制御システムは、被験者内及び１次元、２次元又は３次元での状態に応じて、磁性ナノ粒子の注入を制御することができる、これにより治療管理能力が改善される。
【００９５】
画像診断法は、磁性ナノ粒子が生成した流体の流れに影響される装置剤又は化学剤を分解する能力のあるものであれば、いかなる画像診断法とすることができる。この診断法は、関心領域を撮像すること、及び計量情報を提供することが可能であろう。システムは、例えば、表示装置及び／又は記憶装置などの外部装置に撮像データを伝達するための通信モジュールを含むことができる。システムは、画像の参照フレームを磁気システムの参照フレームに登録するための、登録モジュールを含むことができる。システムは、そして画像を受信しかつ登録でき、磁性ナノ粒子を追跡できるものであって、また所望の経路に沿って、オペレータによって又はコンピュータ制御器で自動的に行うかのどちらかにより、磁性ナノ粒子を操縦指示する手段を提供できる。撮像データは２次元又は３次元データとすることができる。３次元情報は、操縦が３次元的に行われる点で利点があろう。幾つかの実施の形態では、磁性ナノ粒子の制御は、ここで記載の各システムを用いて、遠隔的に実施できる。
【００９６】
図１０に、磁性ナノ粒子を制御するためのプロセス１０００の実施の形態のフローチャートを示す。ブロック１０２０では、システムは、撮像システムから撮像データを受け付ける。撮像データを受け付けは、撮像システムからの情報の受信を含むことができる。幾つかの実施の形態では、システムは、画像を要求できる及び／又は撮像システムに確定した時間及び／又は場所に画像を提供するように指示できる。
【００９７】
ブロック１０２５では、システムは、参照フレームを撮像システムの参照フレームに登録する。撮像システムは、各参照フレームの登録の補助をするように、システムの位置及び配向に関する情報を提供することができる。参照フレームの登録は、画像での各特徴を識別すること又は検出すること、及び適切に各参照フレームを整列させるために以前の各画像とそれら特徴を比較することを含むことができる。
【００９８】
ブロック１０３０では、システムは磁性ナノ粒子を追跡する。上述のように、磁性ナノ粒子は、所与の画像診断法に対して、当該磁性ナノ粒子を検出可能とする被覆剤又は化学剤を含むことができる。撮像システムから受信した各画像を使用することで、制御システムは、磁性ナノ粒子の位置を識別できる。磁性ナノ粒子の現在位置は、以前の磁性ナノ粒子と比較でき、磁性ナノ粒子の位置は経時的に追跡できる。
【００９９】
ブロック１０３５では、システムは、操縦経路を策定又は決定する。操縦経路を策定は、自動的に及び／又はユーザから受信した情報に基づいて行う。操縦経路は、少なくとも部分的に、撮像システムから受信した撮像データ、患者の特徴、磁性ナノ粒子の特徴、治療目標部位の位置、治療目標部位の特徴、注入部位又はそれら要因のいずれの組み合わせにも、基づくことができる。各種の実施の形態では、注入部位はいずれかの動脈又は静脈（例えば、手部、腕部又は脚部の動脈又は静脈、首領域又は肩領域の動脈又は静脈）に存在する。注入は皮下で又は筋肉内で実施されてもよい。
【０１００】
ブロック１０４０では、システムは、回転磁界が走行方向について適切に配向され、かつ治療目標部位に対して配向されるように回転マグネットを位置決めすることで、操縦計画に従い磁性ナノ粒子を操縦する。上述のように、回転マグネットの位置決めは、コンピュータ制御器により自動位置決め又はオペレータによる手動位置決めを含むことができる。マグネット及び／又は電磁石の位置は、１次元、２次元又は３次元で制御でき、各マグネットの配向は、１軸、２軸又は３軸に沿って同じく制御できる。加えて、システムは、磁性ナノ粒子の運動及び挙動を指示するために、磁界及び／又は磁性勾配の強度と磁界及び／又は勾配の変化を変更できる。
【０１０１】
起磁ステータシステムの追加的実施の形態
図３に、図１に示す平面と垂直な平面で、マグネットをスピン回転させる実施の形態を示す。ここで、Ｎ極３０４及びＳ極３０６を有する永久磁石３０２は、２個の支持フランジを備える。第１の磁性フランジ３０８は第１の軸受３１２を通過し、第２の磁性フランジ３１０は第２の軸受３１４を通過している。各軸受は、マグネット支持構造体３１６で支持されている。マグネット支持構造体は、中央シャフト用支持体３２０に支持される中央シャフト３１８に接続される。中央シャフト３１８は、駆動モータ３２４が取着されるモータ載置プレート３２２に取着されている。この実施の形態では、マグネット駆動モータシーブ３２６は、駆動ベルト３２８に接続される。駆動ベルト３２８は、マグネットシーブ３３０に接続される。中央シャフト用支持体３２０は、マグネットアセンブリ支持構造体３３２に取着される。
【０１０２】
幾つかの実施の形態では、永久磁石３０２は、Ｎ極３０４及びＳ極３０６が同一平面で回転するように、前面に対して垂直な平面でスピン回転させられる。駆動モータ３２４は、駆動ベルト３２８を旋回させるモータシーブ３２６を旋回させる。そして、駆動ベルト３２８は、第２の磁性フランジ３１０に取着されたマグネットシーブ３３０を旋回させる。第１の磁性フランジ３０８と第２の磁性フランジ３１０とは、第１の軸受３１２と第２の軸受３１４とをそれぞれ通過する。幾つかの実施の形態では、磁性フランジ３０８及び３１０は共に、永久磁石３０２に取着され、このように駆動モータ３２４に対して永久磁石３０２をスピン回転できるようにさせている。
【０１０３】
図４Ａ及び図４Ｂでは、２モータシステムを用いて、いずれの平面でも回転されることができる永久磁石４３６の実施の形態が示される。マグネットは、Ｎ極４３８及びＳ極４４０を有する。第１のモータ４０２は、第１のモータフランジ４０４を介して、中央支持体４０６に取着される。第１のモータ４０２には、第１のモータプーリ４０８が取着される。第１のモータプーリ４０８は、第１のモータベルト４１２を介して、第１の回転軸プーリ４１０に接続することができる。第１の回転軸プーリ４１０は、各第１の回転軸軸受４１６を通過する第１の回転軸４１４に取着される。第１の回転軸４１４の端部には、第１のマイタギヤ４１８が在る。一の実施の形態では、第１のマイタギヤ４１８は第２のマイタギヤ４２０に係合する。第２のマイタギヤ４２は、第２のマイタギヤ軸受４２４を通過する各第２のマイタギヤ回転軸４２２に取着できる。各第２のマイタギヤ軸受４２４は、マグネット支持ヨーク４２６に取着される。第２のマイタギヤプーリ４２８は、第２のマイタギヤ回転軸４２２に接続される。第２のマイタギヤ回転軸４２２は、マグネットベルト４３３によりマグネットプーリ４３０に接続される。マグネットプーリ４３０は、２個の磁性フランジ４３２の一方に取着できる。各磁性フランジ４３２は各マグネット軸受４３４を通過する。第２のモータフランジ４４４により中央支持体４０６に取着される第２のモータ４４２は、第２のモータプーリ４４６を備える。第２のモータプーリ４４６は、第２のモータベルト４５０により、第２の回転軸プーリ４４８に接続される。第２の回転軸プーリ４４８は、各第２の回転軸軸受４５４を通過する第２回転軸４５２に接続される。
【０１０４】
この実施の形態では、第１のモータ４０２は、第１のモータプーリ４１０を旋回し、この第１のモータプーリ４１０の回転は、第１のモータベルト４１２を介して第１の回転軸プーリ４１０に伝達される。第１の回転軸プーリ４１０は、第１の回転軸軸受４１６を用いて自由に第１の回転軸４１４を旋回することができる。第１の回転軸４１４を旋回させることは、第１の回転軸４１４に接続される第１のマイタギヤ４１８の旋回を結果的に引き起こすことができる。第１のマイタギヤ４１８は、第２のマイタギヤ回転軸４２２を旋回する第２のマイタギヤ４２０にその回転を伝達する。一の実施の形態では、第２のマイタギヤ回転軸４２２の旋回を、各第２のマイタギヤ軸受４２４を用いて可能とさせる。第２のマイタギヤ回転軸４２２の旋回は、マグネットベルト４３３を介してマグネットプーリ４３０を旋回する第２のマイタギヤプーリ４２８の旋回を結果的に引き起こす。マグネットプーリ４３０は、第１の軸４３７周りのマグネット４３６の旋回を結果的に引き起こす、磁性フランジ４３２を旋回する。
【０１０５】
一の実施の形態では、第２のモータ４４２は、第２のモータベルト４５０を介して第２の回転軸プーリ４４８を旋回させる第２のモータプーリ４４６を旋回する。第２の回転軸プーリ４４８の旋回は、各第２の回転軸軸受４５４を用いて自由回転させる第２の回転軸４５２の旋回を結果的に引き起こし、これにより、マグネット４３６を第２の軸４５６周りに回転可能とさせている。
【０１０６】
図４Ｃに、永久磁石ステータシステム４６０の実施の形態を示す。一の実施の形態では、システム４６０は、マグネットの角度方向を制御可能とする。使用に際し、永久磁石ステータシステム４６０を、患者の頭部半球の近傍又は隣接、若しくは患者の頭頂部の近傍に位置決めできる。例えば、患者が横たえているときには、永久磁石ステータシステム４６０を、患者の頭部後方に直接載置することができる（例えば、患者の頭部から患者の足に向かって延伸する軸に対して実質的に直列）。幾つかの実施の形態では、永久磁石ステータシステム４６０は、本記載の目的上シーター（θ）及びファイ（Φ）で指定する２本の軸に沿って、永久磁石の角度方向の制御を可能としている。患者頭部から約１ｍｍから約２０ｃｍまで、約０．１ｃｍから約１０ｃｍまで、約０．２ｃｍから約５ｃｍまで、約０．５ｃｍから約２ｃｍまで、約１ｃｍから約１．５ｃｍまで、それら距離が重複する各範囲、又は各引用した範囲からいずれかの距離にマグネット４６２のコーナが位置決めされるように、当該磁界システム４６０を載置することができる。
【０１０７】
一の実施の形態では、永久磁石ステータシステム４６０は、シリンダーの半径に対して実質的に平行である又は回転軸（例えば、ファイ軸）に対して実質的に垂直である、ノース・サウス磁界心合せ部を有するマグネット４６２（例えば、筒状又は８角筒状マグネット）を備える。マグネット４６２は、２個の旋回軸受の間に搭載できる。一の実施の形態では、第１の旋回軸受４６８は、第１の角度（例えば、シーター角度）を制御するために用いられ、また第２の旋回軸受４７０は、第２の角度（例えば、ファイ角度）を制御するために用いられる。各旋回軸受４６８，４７０は、各内輪（図示せず）を含むことができる。幾つかの実施の形態では、各旋回軸受４６８，４７０の各内輪は、各ウオームギヤに取着され、かつステッパーモータ４６４，４６６が制御するウオームで連結される。その他のギア又は各制御運動機構もまた使用でき、またサーボモータのようなその他のモータも同様に使用可能である。一の実施の形態では、第１のステッパーモータ４６４は、マグネットの回転軸又はシーター角度を制御するシーターウオームギヤアセンブリを作動するように構成される。第２のステッパーモータ４６６は、マグネット４６２をその軸周りにファイ角度分回転させるために、１組のべベルギア４７２に搭載されるファイウオームギヤアセンブリを作動するように構成される。
【０１０８】
幾つかの実施の形態では、ウオームギヤは、ステッパーモータの負荷を軽減する（例えば、ウオームギヤは、負荷が極わずかになる又は間欠負荷が無くなるようにする）。幾つかの実施の形態では、永久磁石ステータシステム４６０は、シーター角度とファイ角度又は双方を同時に変化させるように動作できる。例えば、旋回ベアリング４６８、４７０を、当該ベアリングが同一方向かつ同一回転速度で回転するように作動させることで、マグネット４６２をシーター軸周りに回転させることができる。第１の軸受４６８が回転することにより、シーター角度が変化する。一組のべベルギア４７２が、旋回軸受４６８、４７０間に相対運動があるとき、またこの例では、そのような相対運動が無いときに、回転するように構成されることから、ファイ角度は変化しない。第１の旋回軸受４６８を固定したまま、第２の旋回軸受４７０を作動させることで、同様の理由から、マグネット４６２をファイ軸周りに回転させるようにできる。旋回軸受４６８、４７０を、異なる回転速度及び／又は異なる回転方向となるように作動させることで、マグネット４６２を、シーター軸及びファイ軸の双方の周りに回転させるようにできる。幾つかの実施の形態では、永久磁石ステータシステム４６０は、ステータシステム４６０を線形に並進させるように構成された（例えば、脳の左半球又は右半球のいずれかの処置のために磁石ステータシステム４６０を位置決めするように構成された）線形並進機構を含むことができる。線形並進機構は、スクリュー又は、ネジ式シリンダーに相補的にネジ形成された中空腔を有するネジ式搭載ブラケット付きのネジ式シリンダーを備えることができるが、その他の並進機構もまた使用できる。ネジ式搭載ブラケットは、ネジ式シリンダー又はネジ式搭載ブラケットの回転により、システムがネジ式シリンダーの長手軸に沿って並進することが可能となるように、システム４６０に搭載することができる。システム４６０は、少なくとも約１インチ及び約２４インチ以下、少なくとも約２インチ及び約１２インチ以下、少なくとも約３インチ及び約１０インチ以下、少なくとも約４インチ及び約８インチ以下、少なくとも約１インチ及び約５インチ以下だけ並進するように構成できる。
【０１０９】
図５は、各電磁コイル５０２を備える起磁システムの実施の形態である。各電磁コイル５０２は、支持構造体５０４に取着される。各電磁コイル５０２は、各電源ケーブル５０８及び各電源帰線ケーブル５１０を介して、各電源５０６に接続することができる。支持構造体は、２−セグメントアーム位置決め器５１２に接続される。図示の実施の形態では、各電源５０６は、各電源ケーブル５０８及び各電源帰線ケーブル５１０を介して、各電磁コイル５０２に電力を送出する。２−セグメントアーム位置決め器５１２は、支持構造体５０４を空間で位置決めできるようにする。幾つかの実施の形態では、各電源５０６は、各電磁コイル５０２内で発生される電流量を制御する。
【０１１０】
ロボットアーム
幾つかの実施の形態では、アーム位置決め器（例えば、アーム位置決め器２１２と２−セグメントアーム位置決め器５１２）は、マグネットシステムをベース（例えば、可搬型ベース２０２）に結合することができる。アーム位置決め器は、１軸又は２軸に沿う移動により制約されることなく、起磁システムを位置決めかつ配向する能力のあるロボットアームとすることができる。アーム位置決め器は、自在な移動を提供することができる。アーム位置決め器は、アームを電気システム又は遠隔制御により制御可能とする各モータ又はその他の機械的アクチュエータを含むことができる。例えば、機械制御システムは、オペレータが、遠隔制御、コンピュータ、電気制御等を介して、１次元、２次元又は３次元での磁気システムの位置を制御できるようにしている。このように、オペレータは、磁界強度及び／又は磁界変化を操作することに加えて、（各）マグネットの位置及び配向を操作できる。幾つかの実施の形態では、アーム位置決め器は、図１、３及び４に示される各起磁システムと連係して、使用することができる。幾つかの実施の形態では、（各）マグネットの位置は、アーム位置決め器に加えて又は其の代替手段として、ケーブル、レール、モータ、アーム若しくはこれらの組み合わせなどを利用するような、その他電気手段を介して、制御される。幾つかの実施の形態では、各マグネットの位置と配向は、少なくとも部分的に５軸ロボットアームを介して、制御される。幾つかの実施の形態では、アーム位置決め器は、自由度６段階の移動を与える。特定の実施の形態では、患者の表示と撮像とに応答して、リアルタイムに磁性ナノ粒子の注入と操縦とをオペレータが制御できるように、各マグネットの位置の電気的制御を、画像診断法とコンピュータ制御とに連動したディスプレイを有するシステムに含めることができる。
【０１１１】
幾つかの実施の形態では、ロボットアームは、起磁システムにより自動的に操作可能である。自動操作により、起磁システムは、実質的に遮蔽筐体に磁気システムを収容できる、これによってシステムの１個あるいは複数のマグネットの磁界がシステム外の人員又は被検品目に対して影響するのを軽減又は防止している。例えば、システムは、好適な遮蔽材料（例えば、鉄）から作製される筐体を含むことができる。制御器が供する自動操作で、システムの１個あるいは複数のマグネットを、不使用時には遮蔽筐体内に移すことができる。
【０１１２】
レールアタッチメント付可搬型マグネットポッド
図６に、ベッドレールアタッチメント６５２付きの可搬型マグネットポッドシステム６５０の実施の形態の概略図を示す。携帯型マグネットポッドシステム６５０は、例えば、病院、緊急療養施設、個体住居、救急車、ヘリコプター又は他の緊急車両内での患者のベッド又は運搬装置で搬送されるように及びこれらに定着（取り外し可能に又は固定的に）するように設計できる。携帯型マグネットポッドシステム６５０は、起磁システム及び磁気システムを参照して、ここに記載の方法と類似の手法で、患者内において各磁性ロータを制御するように使用できる。携帯型マグネットポッドシステム６５０は、患者の上、下又は近傍に載置できる。
【０１１３】
幾つかの実施の形態では、可搬型マグネットポッドシステム６５０は、各永久磁石及び／又は電磁石と、所望の磁界を発生させるための関連する各電気的及び／又は機械的支持制御要素と、を収納するように構成されるマグネットポッド６５４を含む。各電気的及び／又は機的構成要素は、各種の起磁ステータシステムを参照して、ここに記載の構成要素と類似するものとすることができる。可搬型マグネットポッドシステム６５０は、例えば、オペレータが、患者内部に注入された磁性ナノ粒子を制御するための所望の磁界を操作できるように、当該可搬型マグネットポッドシステム６５０を作動するように構成される各制御部６６０を含むことができる。
【０１１４】
可搬型マグネットポッドシステム６５０は、安定性を提供するマグネットポッド６５４に取着（取り外し可能に又は固定的に）されるレールアタッチメント６５２を含むことができる。幾つかの実施の形態では、レールアタッチメント６５２により、患者の仰臥位の設定、又は患者頭部の高さと角度設定の必要がなくなる。レールアタッチメント６５２は、ベッド、ガーニー（車輪付き担架）、ストレッチャー又はその他の患者運搬装置のレールに、ポッドを実質的に固着することができる。可搬型マグネットポッドが、脳卒中を発症した患者又は脳に至る血管内に凝血塊若しくは障害物を有する患者のために使用される状況において、可搬型マグネットポッド６５０のレールへの取着により、起磁システムの適切な頭部の中央軸に対する芯合わせ、及び患部である脳半球の横側への適切な位置決めが確保される。可搬型マグネットポッド６５０は、ユーザが当該可搬型マグネットポッド６５０を所望に場所に搬送できるように構成されたハンドル６６２を含むことができる。
【０１１５】
可搬型マグネットポッド６５０は、マグネットポッド６５４に枢着される一体式折り畳みヘッドレスト６５６を含むことができる。ヘッドレスト６５６は、患者に対して使用されるとき、旋回して拡開できる（線６５８にて表示）。開放位置では、ヘッドレストは、オペレータが患者と各マグネットに対して適切に整列関係にするのを補助できる。この整列関係により、患者の頭部が、（各）回転マグネットに対して確定距離及び確定姿勢（傾き）になっていることを確保することで、磁気制御システムの運用及び／又は制御を単純化することができる。ヘッドレストは、運搬中には、便宣性及び容易性のために閉鎖することができる。幾つかの実施の形態では、可搬型マグネットポッドは、衛生上の目的からなくてもよいカバーを含む。適切な整列関係を容易にすることに加え、ヘッドレストは、患者が偶発的にマグネットポッド６５４に衝突してしまうのを防止することができ、これによって外傷の蓋然性を軽減する、又はマグネットポッド６５４の偶発的な動きを軽減している。ヘッドレストはまた、患者の座標系へのマグネットポッド６５４の関連付けと治療の適切な目標化を確保しつつ、マグネットポッド６５４から患者を（音響的に、機械的に、電気的に）隔離してもよい。
【０１１６】
磁性ツールロータ
幾つかの実施の形態では、治療システムは循環系の流体流量を増加させる溜めに提供されるものであって、当該治療システムは、流体での磁性ツールを制御するための磁界を有するマグネットと、磁性ツールの研磨面を回転させるため、回転する研磨面を接触部位へ操作するため、及び治療目標部位を通る又は其の周囲の流体流量を増加させるために、治療目標部位についての磁界の位置決め及び／又は磁界を回転させる制御器と、を備える。各種の実施の形態では、循環系は、患者、特に人間の患者の脈管構造とすることができる。幾つかの実施の形態では、磁性ツールは安定化ロッドと結合できるもので、この場合磁性ツールは、回転磁界に応じて、安定化ロッドの周りを回転する。幾つかの実施の形態では、磁性ツールは、治療目標部位と係合して当該部位を切除する研磨キャップであって、マグネットに添着する研磨キャップを含むことができる。幾つかの実施の形態では、制御器は、治療目標部位上の目標ポイントで磁性ツールを位置決めし、治療目標部位を切除するに充分な周波数で磁性ツールを回転させる。マグネットは、一の実施の形態では、マグネットの両極が定期的に、回転中において、磁性ツールの各対向極を引き付けるように、また磁性ツールが治療目標部位に向かって押されると、直ちに磁性ツールが回転するように、当該マグネットを位置決めすることができる。一の実施の形態では、マグネットは、マグネットの両極が、回転中に、磁性ツールの各対向極を継続的に引き付けるように、また磁性ツールがマグネットの引力によって治療目標部位に向かって引きつけられるように、当該マグネットを位置決めすることができる。
【０１１７】
図１１に、機械的な血栓摘出装置（上記の「磁性ツール」とも称される）を無線操作する起磁ステータシステムの使用例を示す。この例では、軸９０８に対して横断する各方向にＮ極９０４とＳ極９０６とを有する回転マグネット９０２によって、血管８２８内の血管障害物８３０が取り除かれる。マグネット９０２は、起磁ステータシステムが無線で生成する外部磁界ベクトル８１２に追随する。外部磁界ベクトル８１２は、磁界回転角度８１０の方向に時間変動する。マグネット９０２の回転は、マグネット９０２の孔を介して安定化ロッド９０８を通過させることで、安定化される。マグネット９０２は安定化ロッド９０８の周りを自由回転する。一の実施の形態では、研磨キャップ９１０は、血管障害物８３０と係合するマグネット９０２に添着される。研磨キャップ９１０は、健全組織に対する最小損傷及び血管障害物８３０に対する最大損傷を確保する被覆剤又は表面処置を利用してよい。
【０１１８】
幾つかの実施の形態に従い、時間変化的であって良い磁性勾配の使用、及び時間的に変化する磁界により、遠位端で回転する能力があるマグネットを有する各装置が構築できることになる。ここに記載の各起磁装置は、医薬品の影響を増幅する又は脈管構造内の障害物を突き通すために使用される現行の各医療装置よりも更に小型で安価に作製できる。更には、血管内又は房内で回転機構を使用する市販の技術では、近位端から遠位端に至る機械的又は電気的伝達システムを必要とするものであって、当該市販技術は、装置を複雑にまたより高価にさせ及び／又は全体のサイズを大きくさせてしまう伝達システムを必要とするものである。ここに記載の各システム及び各装置は、機械的又は電気的伝達システムを必要とすることなく、先端部で機械的作用を無線で発生させることができる、これにより装置がより小型で、より簡易に及び／又はより安価に製造できるものとなる。
【０１１９】
例えば、磁気ベースのシステムは、静脈内に注入される治療剤、例えばｔＰＡのような治療剤の実効性を高めるための医療設定に使用されてよい。磁性粒子（例えば、磁性ナノ粒子）を、脈管構造内へのｔＰＡの導入前又は導入後のいずれにおいても注入できるものであり、又は血栓溶解剤（例えば、ｔＰＡ）と同時投与（例えば、添付）することができる。患者の近傍に（例えば、患者から２フィート以内、１フィート以内、１０インチ以内、９インチ以内、８インチ以内、７インチ以内、６インチ以内、４インチ以内、３インチ以内、２インチ以内、１インチ以内）及び治療目標部位（例えば、障害物、凝血塊）の位置の近傍に載置又は位置決めされる磁気ベースシステムはこのように起動できる。幾つかの実施の形態では、磁気ベースシステムは、勾配が治療目標部位（例えば、障害物、凝血塊）で粒子を収集するのに充分であることから、このときには、変動（例えば、回転）磁界を生成する必要はないであろう。脈管構造内の流体の磁気ベースの混合が望まれるときには、時間的に変化してもよく或いはしなくてもよい磁性勾配と組み合わせる場合に、治療剤（例えば、ｔＰＡのような血栓溶解性）の作用を高めさせる磁界であって、この磁界を（１個あるいは複数の永久磁石が回をさせることで、又は電磁石の各コイルを介して流れを制御することで）を時間的に交代させることができる。幾つかの実施の形態に従い、凝血塊又はその他の流体障害物若しくは閉塞を、現行の各手法と比較して、より速くより良好に破壊できるであろう。例えば、治療剤（例えば、ｔＰＡ）が良好に混合され、結果的により効率的な薬剤の相互作用が発現できるように、滞留領域で渦（予測可能に循環させる）を形成するように、当該磁性ナノ粒子を操作できる。一の実施の形態では、渦を発生することで、乱流領域の近傍に治療剤をより多く引きこませることができる。
【０１２０】
図１２Ａ及び図１２Ｂに、本発明の実施の形態に従う、脳１００４での血管閉塞の処置のための、起磁ステータシステム（例えば、図４Ａ−４Ｃ）と磁性ナノ粒子との使用方法を示す。図１２Ｂに、患者の腕部１０１２の注入位置１０１０で挿入される導管又は管材に結合される、ドリップバッグ１００６又はその他の流体供給ユニット及び注射針１００８を示す。各種の実施の形態では、注入位置は、各手部、各腕部又は脚部の動脈若しくは静脈、あるいは脳に近傍の首部又は肩部の動脈若しくは静脈とすることができるが、この注入位置は、（例えば、目標部位又は患者の特徴に依存して）身体のいかなる位置としてもよい。各種の実施の形態では、磁性ナノ粒子がドリップバッグ１００６から導入され、治療剤が注射針１００８を介して導入される、あるいはその逆でもよい。図１２Ａは、血流１００２が妨げられていない血管８２８と、血管閉塞８２０（例えば、血栓又は凝血塊）とを含む脳１００４の脈管構造の一部の近接概略図である。図１２Ａはまた、血管閉塞８３０近傍の回転磁性ナノ粒子（例えば、図９Ｂ）を示す。多数の回転磁性ナノ粒子は、治療剤を介して、血管閉塞の除去、分解、崩壊、破壊、侵食、溶解等を容易になし得る。幾つかの実施の形態では、磁性ナノ粒子は、血管閉塞部位とは接触しない、又は接触は凝血塊の溶解作用若しくは除去作用の主要原因ではない。幾つかの実施の形態では、回転磁性ナノ粒子（のみ、又は治療剤との組み合わせ）は、凝血塊の断片化又は塞栓形成を引き起こすことはない。
【０１２１】
幾つかの実施の形態では、システムが閉塞血管で治療剤を選択的にまた迅速に集中させることから、磁性ナノ粒子及び起磁システムは、治療剤（例えば、ｔＰＡ）に対する付属体である。幾つかの実施の形態では、ひとたび、凝血塊のフィブリノーゲン網が断片化し始め、かつ血液が閉塞血管分節内を流通し始めると、血液プールの治療剤の濃度に整合するように、血行動態力が、凝血塊内を移動する治療剤の濃度を均一にする。強化された再開通の形跡は、ＮＩＨＳＳ評点の減少によって決定できる。例えば、処置開始の１０分後でのＮＩＨＳＳ評点の改善は、血栓溶解剤処置（例えば、ＩＶ−ｔＰＡ）単独についての典型的な評点の倍であってよい（例えば、平均４点の改善に代わる８−１０点の改善）。
【０１２２】
磁気的強化の薬剤の拡散
図１３は、移動する流体システム（例えば、循環系）に注入される治療剤（例えば、化学薬品又は添加剤）の拡散の制御を磁気的に可能とする方法の幾つかの例を示す。図示のモデルでは、流体Ａは移動して流体システムに広がる（図１３Ａの白領域として示される）。しばらく経って、流体Ｂが注入される（陰影領域として示される）。図１３Ｂは、磁性ナノ粒子を導入することも操作もすることもしない場合の流体Ｂの単独注入に関連する問題点を示すもので、ここで流体Ｂは、その流速が脚部又は分枝内の遠位まで伝わることがないことから、治療目標部位に到達するために、「脚部」又は分枝に広がる能力は限定的である。そして、現行の各システムは、流体Ａを流体Ｂで希釈するためには、拡散に依存しなければならない。この処理には長時間をかけることができる。
【０１２３】
幾つかの実施の形態では、磁性ナノ粒子が流体Ｂ内に載置され、ナノ粒子の幾分量を血流から脚部内又は分枝内に引き込むために、磁界と勾配が加えられる（例えば、強制付加される）ときには、ナノ粒子はそれらと共にある程度量の流体Ｂを捕える（図１３Ｃに示すように）。拡散容易化作用を増幅するために、時間変化の状況を変更又は変化させることができる。例えば、磁界回転の比率、磁性勾配の強度、源磁界の配向、磁性ナノ粒子の粒径と強度、又はこれら要素のいずれの組み合わせも、作用を増幅するため変更することができる。時間内に、より多くのナノ粒子は、脚部または分枝の底部で凝集することができ、また、拡散のみを介するよりも早く流体Ａ内に流体Ｂを分配する循環パターン（例えば、渦パターン）を形成し始める。プロセスの実行が長くなればなるほど、より多くのナノ粒子が凝集され、そして、治療目標部位の領域で流体Ａが実質的に流体Ｂと入れ替わるまでには、混合の影響がより強くなる。
【０１２４】
凝血塊の破壊の場合、脚部又は分枝は、閉塞した（例えば、部分的に又は完全に阻害された若しくは閉塞された）静脈又は動脈を表している。幾つかの実施の形態では、治療目標部位は、脳（例えば、神経の脈管構造又は脳の脈管構造）に関連する血管内の凝血塊である。血管は、例えば、限定されるわけではないが、前位の脳動脈、中位の脳動脈、内位の頚動脈、後位の脳動脈、椎骨動脈又は脳底動脈である。図１３に示されるように、治療目標部位（例えば、閉塞血管の表面）への治療剤（例えば、血栓溶解剤）の接触を容易にするために、障害物が主流から充分に遠い場合には、主に拡散力が必要とされる。従って、循環系から流体障害物を実質的に取り除く際に効果的な治療剤（例えば、血栓溶解剤、化学薬剤、添加剤、医薬調合物）は、その実効性の観点から限定されるもので、生体内の拡散のみに依存することは、臨床上の結果としてはマイナスの結果となる。これは、循環系から流体障害物を実質的に取り除く際に効果的な治療剤は、比較的短い半減期を有しているからであり、ここに記載の磁性ナノ粒子と共同しての起磁ステータシステムの使用は、治療剤による流体障害物の除去処理を促進させることができる。目的が、主流濃度のほんの一部である脚部又は分枝の端部での流体Ｂの治療濃度を搬送することである場合には、ここに記載の各システム及び各方法の使用により、当初注入された流体Ｂのより少ない投与量（図３８を参照）に対して、流体Ｂの同様な治療濃度に帰着させることができる。このように、幾つかの実施の形態では、ここに記載の磁気ベースの制御システムが制御する磁性ナノ粒子を導入することなく通常使用されるだろうより少ない投与量の治療剤の使用を許容することで、質を高めた治療上の利益が提供される、これにより過度な投与量に起因する出血の発生又は壊死の発生さえも減少させている。例えば、ここに記載の磁性ナノ粒子と各磁気ベースの制御システムと連動して使用する治療剤の投与量は、標準の処方投与量の約５０％以下、約４５％以下、約４０％以下、約３５％以下、約３０％以下、約２５％以下、約２０％以下、約１５％以下、約１０％以下、約５％以下とすることができる。
【０１２５】
図４８Ａ及び図４８Ｂに、ここに記載の磁性ナノ粒子と各磁気ベースの制御システムを用いたときの利益的な効果の実施の形態を概略的に示す。図４８Ａ及び図４８Ｂは、親血管４８１０の二分枝の近傍での、血管分枝４８０５内部の凝血塊４８３０を示す。凝血塊４８３０は、血管分枝４８０５への流れを完全に阻止している。図４８Ａは、ここに記載の各磁気ベースの制御システムを用いて、磁性ナノ粒子の導入と制御をしない場合における、治療剤４８１５（例えば、ｔＰＡ）の注入の結果を示す。図４８Ａに示すように、血流は、治療剤４８１５を凝血塊４８３０まで搬送することができない。図４８Ｂは、磁性粒子の集塊で形成され、磁気制御される各ロッド又はロータ４８２０が、血管分枝４８０５内において凝血塊４８３０に治療剤４８１５を搬送する人工流（電流）を発生させる様子を示す。人工流は、ここに記載の各磁気制御システムの各実施の形態による各ロッド又はロータ４８２０の制御された回転によって、発生させられる。図４８Ａ及び図４８Ｂに概略的に示すように、幾つかの実施の形態では、磁気制御された各ロッド又はロータ４８２０は、実質的に楕円状とすることができる。
【０１２６】
幾つかの実施の形態に従い、ここに記載の各システムと各方法とを、磁性ナノ粒子の流れを閉塞分枝内に移動させるために、磁性ナノ粒子の集合体を操作する集合モードで利用することができる。一の実施の形態では、集合モードでは、目標体に対して所望の治療剤を蓄積する。結果として、流体の流れは、二分枝近傍の親血管の乱流領域から発生することができる。この流れは、治療剤（例えば、化学添加剤）を、閉塞分枝の末端部に向かって、拡散単独よりも良好に、血流内に引き込むことができる。
【０１２７】
他の例として、ここに記載の各磁気ベースシステム及び各制御方法を、滞流の領域で渦を形成するために、治療剤（例えば、化学添加剤）が血流内で良好に混合されて、結果的に流体障害物とのより効率的な化学反応（例えば、流体障害物と接触している治療剤の一部又は分子の継続的なリフレッシュに起因する）を起こすように渦を形成する渦モードで使用することができる。幾つかの実施の形態では、渦モードで使用されるときには、凝血塊の崩壊時間を３倍あるいはそれ以上に増加させることができる。このような操作は、特定な周波数で異なる方向（例えば、時計方向、反時計方向）に磁界を振動させることで達成できる。例えば、周波数は、約０．２５Ｈｚ以上及び／又は約３Ｈｚ未満とすることができ、限定されるわけではないが、約０．２５Ｈｚと約１Ｈｚの間、約０．５Ｈｚと約２Ｈｚの間、約１Ｈｚと約３Ｈｚの間、約０．７５Ｈｚと約２．５Ｈｚの間、それら周波数が重複する各範囲、３Ｈｚ未満、２Ｈｚ未満、１Ｈｚ未満などの各周波数を含む。制御された渦モードは、より多くの治療剤（例えば、化学添加剤）を乱流領域の近傍に引き込ませることができる。幾つかの実施の形態では、振動は、脈管構造及び／又は磁性ナノ粒子の可視化画像に基づいて発生することができる。各種の実施の形態では、振動は定期的なもの又は非定期的なものである。
【０１２８】
幾つかの実施の形態に従い、集合モードと渦モードとを交互に切り換えることで、結果的に、治療剤（例えば、化学添加剤）を乱流領域の近傍に引き込ませる能力の向上をもたらし、かつ、治療剤を閉塞分枝により効率的に移動させる能力の向上をもたらすことができる。幾つかの実施の形態では、集合モードと渦モードとの交互切り換えは、充分な投与量の治療剤を搬送するポイントで、実施される。一の実施の形態では、同時投与の治療剤が血液プールで希釈されるとき（例えば、半減期又は濾過機構を介する）、又は治療剤の追加量がもはや利益とならない飽和点に治療剤が達するときに、充分な投与量が生じ得る。幾つかの実施の形態では、目標部位で充分な投与量の治療剤に到達するとき（例えば、飽和点）、渦モードは作用として最高のモードとなる。
【０１２９】
集合モードと渦モードとの交互切り換えは、磁性ナノ粒子の異なる挙動を引き起こすために、磁性勾配及び／又は時間変化型磁界を交互に切り換えることを含むことができる。例えば、集合モードでは、結果的に磁性ナノ粒子を所望の位置に実質的に蓄積させる正味の力を磁性ナノ粒子が受けるように、磁性勾配を増加させることができ、かつ時間変化型磁界を減少させることができる。他の例として、渦モードでは、結果的に所望の領域内で循環運動及び／又は角速度を引き起こす時間変化型の正味の力を磁性ナノ粒子が受けるように、磁性勾配及び／又は時間変化型磁界を調節することができる。このように、時間関数として、磁界の各性質（例えば、磁性勾配、磁界強度、磁界の配向、磁界の方向等）を変更させることで、各磁気ベースシステムと各制御方法を、集合モード、渦モード、操縦モード、又はこれらモードに組み合わせで使用でき、且つこれらモード間で切り換えることができる。幾つかの実施の形態では、マイクロカテーテルを介する凝血塊の目標部位へのｔＰＡの局所搬送に類似して、臨床医によってある投与量の治療剤を目標部位に局所的に搬送するものであって、ここで唯一必要なモードは渦モードとなる。
【０１３０】
磁気ツールの場合、システムは、利点的には、アテローム硬化性血小板物質のような大容積の血栓物質又はその他の閉塞物質を、迅速にかつ極めて正確に粉砕する能力がある。幾つかの実施の形態に従い、無線起磁ステータシステムの実施の形態を活用して、疑似アテローム硬化性凝血塊に、２フレンチホール（２／３ｍｍ）を切削により形成し得る。磁性ナノ粒子の使用に関して、ここに記載の各システムの各実施の形態により、静脈内の葉弁を無傷でかつ不損傷のままにすることができる比較的「緩い」洗浄作用を生成するための、磁性ナノ粒子のより正確な制御を可能とすることができる。磁気ツールに関して、幾つかの実施の形態では、この作用を、閉塞動脈又は静脈内の凝血塊要素を取り除くための血栓溶解剤と共同して利用することができる。凝血を処置するために血栓溶解剤と共に利用する場合、機械的作用を最小化するつもりであるときには、血栓溶解剤は有用であろう。磁性ナノ粒子を使用して、閉塞静脈から取り除かれた物質を案内ワイヤ上の極小マグネットで捕捉することができる。運用モードに依存して、除去物質は、極小物質（粒径１ｍｍ未満の凝血塊の粒子）として、又は凝血塊要素の球体混合物質、薬剤物質及び磁性ナノ粒子として観察された。磁性ナノ粒子集合体及び磁気ツール双方の対象物の可視化は、コンピュータ再構築経路手順計画を実現する標準的な画像診断技術によって、可能となる。
【０１３１】
更に、画像診断技術及び／又はその他の診断技術は、オペレータが磁性ナノ粒子の位置についてのリアルタイムのフィードバックを保持でき、これにより動的性制御と動的操作が可能となるように、これら技術を磁性制御システム（例えば、通信可能に結合される）に組み込むことができる。画像診断技術及び／又はその他の診断技術が提供するリアルタイムのフィードバックは、プロセスの実効性を上昇させることができるものであって、例えば、回転磁界（例えば、配向、位置、回転周波数）及び／又は磁界勾配の各パラメータの調整量を提供することにより、またより多くの磁性ナノ粒子を導入することにより、及び／又は増加させた量の治療剤を導入することにより、上記実効性を上昇させることができる。
【０１３２】
リアルタイムのフィードバックは、特定の位置での治療剤の濃度、流体障害物の各画像、閉塞血管を通る流体の流れに関連する情報及び／又はその他の情報などと相関関係にあってよい情報又はこれらの要素を示す情報、すなわち、ある特定の位置（例えば、閉塞血管の流体障害物と隣接した位置）に関連する情報、ある特定の位置（例えば、閉塞血管の流体障害物と隣接した位置）での磁性ナノ粒子又は磁性ナノロッドの密集度に関連する情報を含むことができる。画像診断技術を介して受信した情報は、いつ集合モードと渦モードを相互に切り換えるかを決定する、また、どちらのモードをオペレータが手動で又はコンピュータ制御器が自動的に実施するかを決定するために、利用することができる。例えば、治療剤の濃度又は磁性ナノ粒子若しくは磁性ナノロッドの密集度が治療目標部位に隣接する位置で低いと判断される場合には、磁性制御システムを、濃度レベル（密集度レベル）を上昇させるために、集合モードに切り換えるか又は集合モードのままにしておくことができる。治療剤の濃度又は磁性ナノ粒子若しくは磁性ナノロッドの密集度が充分であると判断される場合には、磁性制御システムを渦モードに切り換えるか又は渦モードのままにしておくことができる。一の実施の形態では、リアルタイムのフィードバックは、外部ドップラー超音波システムを磁性ナノ粒子の回転周波数に合わせることで、提供される。
【０１３３】
図１４は、磁界発生器の実施の形態を示す。図示の図面では、発生器１２００は、２分離した回転、すなわち、軸１２１０周りの回転と軸１２１５周りの回転とがそれぞれ可能なように装着された、Ｎ極１２０６及びＳ極１２０７を有する永久磁石源１２０５を備える。軸１２１０周りのスピン回転について、ギア付シャフト１２２６により駆動されるプーリベルト１２２５によってマグネット源１２０５が回転され、プーリベルト１２２５は、翻って、駆動ギア１２３０により駆動される。ギア１２３０は、スラスト軸受１２３５上に装着され、かつ、モータ１２４５を用いてスピン軸１２１０周りの回転を可能とする各ロータシステム１２２５、１２２６、１２３０上に装着されるモータ１２４０によって駆動される。分離駆動システムは、各構成部品１２２０、スラスト軸受１２３５及びモータ１２４０を用いて、第２の軸１２１５周りの回転を可能とする。発生器は、ジョイントアーム１２５０で位置決めされる。
【０１３４】
幾つかの実施の形態では、ジョイントアーム１２５０はロボットアームであって、発生器１２００を１次元、２次元又は３次元に並進移動させ、及び／又は発生器を１軸、２軸又は３軸に沿って回転させるように構成されたロボットアームである。ジョイントアーム１２５０は、発生器１２００の位置決め及び並進運動を容易にする１個又は複数のジョイントを含むことができる。幾つかの実施の形態では、ジョイントアーム１２５０は、各固定軸に周り沿う又はそれら軸周りの移動に依存しない非制限自由運動を可能としている。ジョイントアーム１２５０は、自動的に及び／又はオペレータの遠隔制御を介して移動するように構成することができる。幾つかの実施の形態に従い、発生器１２００は、利点的には、簡潔性、小型化及び低コスト化を提供する。
【０１３５】
幾つかの実施の形態では、発生器１２００は、発生器１２００のデザインの簡潔性が望まれないところにおいて追加的な特徴を有する。図１５に図示する発生器１３００は、そのような実施の形態の例を表示している。図１５は、磁界・勾配発生装置の実施の形態の概略図である。図１５は、障害物１３５０の存在する血管１３５５を有する人間の脚部１３６０を取り巻いている磁界発生器１３００のブロック図である。３個のコイル１３０１、１３０２及び１３０３には、各接続部１３２１、１３２２及び１３２３を介して、各ドライバ１３１１、１３１２及び１３１３からそれぞれ電流が供給される。各ドライバ１３１１、１３１２及び１３１３は、計算装置１３３５から情報を受け取る分配回路１３３０により、個別に制御される電流源である。電流源１３１１、１３１２及び１３１３は、所望のピーク磁界を与えるに充分な正弦波電流を発生させることができる。幾つかの実施の形態では、ピーク磁界は約０．３Ｔｅｓｌａ以下である。各個別の症例で、異なる磁界の特徴が望まれる場合には、電流は、正弦波よりもさらに複雑な一時的変化を有してもよい。オペレータ入力１３４１に応じて、計算装置１３３５が判断するとき、計算装置１３３５は、各コイルへの電流の分配と各種類及び順序を算出することができる。コンピュータ１３３５に通信可能に結合されるメモリに格納された各プログラムからの特定の各操作指示は、オペレータ（例えば、医師）による処置入力に従って操作するために与えられる各特定指示を含む特別な操作の知識に基づいている。発生器１３００は、利点的には、より複雑な各磁界源及びコンピュータ入力から発生する磁界タイプ上の付加柔軟性と、新たな各処置に対する追加改良と、を提供する。
【０１３６】
ここに記載の各方法で処置される各治療症例での閉塞についての２種類の主要分類とは、部分閉塞及び全閉塞である。部分閉塞は、一般的に、低血流をもたらし、他方、全閉塞は結果的に無血流をもたらす。双方の症例において、従来の手段で凝血塊を取り除くために、搬送される薬剤の実効性については、一般的には困難でありかつ非能率的である。閉塞を取り除く従来の各方法についての主たる限界点は、閉塞に対する効果的な薬剤作用の困難性、取り除き物質の不完全な除去、血管への損傷と除去物質の下流要素の悪影響などを含む。図１６Ａ及び図１６Ｂは、従来の凝血処置についての困難性及び非効率性に対して根本的な物理学上の理由と、本開示が主要な改善点を提供する物理学上の理由とを示す。例えば、幾つかの実施の形態に従い、ここに記載の各システムは、磁性粒子が「撹拌ロッド」として作用し、閉塞血管分枝に向かって血流を確立するように、より大きい構造体を形成するために、当該磁性粒子を磁気で操作する、これにより治療剤の拡散を大きく増幅し、かつ凝血塊の破壊を加速させている。ここに記載の各システムと各方法は、幾つかの実施の形態において、処置領域（部位）へ薬剤を搬送するため、また薬剤処置のみを用いる各限界点及び各制約点（上記に記載したような限界点と制約点）を解決するために、血流不足に起因して、薬剤のみを搬送する従来方法では、他の状態においてアクセス不能又は到達不能な各領域に到達することができる。
【０１３７】
図１６Ａは、無血流の血管１４４０の断面のおける、屈曲部位での閉塞物質の典型的な蓄積の横断面図で、閉塞物質を溶解する薬剤（例えば、血栓溶解剤）を用いた場合の通常の困難性を示す図である。血管壁１４０５には、蓄積した閉塞物質１４１０、すなわち、内部境界縁１４１５を含む「凝血塊」の目標領域が隣接している。図示の例では、医師又は他の医療専門家が、凝血塊の近傍に薬剤１４２５を導入した。図１６Ａは、部分的相互作用物質の滞留作用層１４３０と、より濃度が高いが効力が少ない薬剤の層１４３５との、典型的な状態を示す。各層１４３０及び１４３５は、目標領域の全体で、血管１４００内に注入したより濃度の高い血栓溶解剤１４２５から凝血塊を分離させる。薬剤の動き及び分配は、熱撹拌から生ずることができ、また、凝血塊と注入薬剤との接触をリフレッシュさせる手段であって、更に作用を極度に遅くかつ非効率にさせる手段として、分散を遅延させることができる。一部の開業医は、金属スターラー（撹拌子）技術、ベンチュリ流ベースの噴流技術、及び音響ベースの撹拌技術を導入したが、これら方法の困難性と限界点が文書化された。
【０１３８】
図１６Ｂは、凝固した弁尖１４７０を有する、血管１４６５の血管壁１４６０に寄着して形成された目標閉塞物質１４５５の横断面図であって、加えて領域１４８０での低血流及び凝血塊面１４５７での比較的低い流体（血液と薬剤の混合）の流れを示す。結果として、凝血塊と、上流で領域１４８０内に注入された薬剤１４７５との間の相互作用は、比較的小さい。一つの手法は、上流で注入された薬剤１４７５の量を増加させることであろう、しかし、この手法は、増加した薬剤投与量及び／又は増加したコストが引き起こす潜在的な悪影響から望まれることのない手法であるかもしれない。その他の手法は、凝血塊の遅速で非効率的な溶解と多量の血栓溶解剤の注入とを伴いながら、血管内の流れを止めてゆっくりと血栓溶解剤を注入することを含むものであり、このように閉塞血管（例えば、静脈）の症例と概ね同様の困難性を示している。一部の処置では、凝血塊面１４８５での相互作用の効率を高める試みにおいて、人工的かつ機械的なベンチュリ流ベース及び音響ベースの撹拌を領域１４８０内で与えている。噴射部を含む各カテーテルは、凝血塊のより効率的な崩壊を得る試みにおいて、血栓溶解剤を噴霧してよい。閉塞物質の除去は、相当な困難と弁膜の危険とを伴って、各機械的装置を挿入することで、しばしば実施されている。これら全ての方法は、一部の症例では有用であるかもしれないが、全般的には実効性は限定的なものである。
【０１３９】
図１７Ａから図１７Ｃは、幾つかの実施の形態に従う、磁性ナノ粒子の連鎖体からナノ粒子ロッドへの展開における基調プロセスを示す。図１７Ａ―１７Ｃに、増強される磁界によって、被覆又は非被覆の磁性ナノ粒子を構築する順序の横断面を示す。サイクルの上昇局面中での磁界の増強により、漸次その量を多くしていくことでナノ粒子をより長尺のナノ粒子ロッドに整列させてよい。
【０１４０】
これらの磁性ナノ粒子は、粒子１５０５の無作為な配置でのナノ粒子として、また、空間上ほぼ均等に配分されるように配列され、そして位置上のある統計的な変動を有するナノ粒子として、図１７Ａにゼロ磁界と共に示されている。図１７Ｂでは、極小の外部磁界１５１０が同一グループのナノ粒子に加えられると、これらナノ粒子は短配向の磁性「ロッド」の遊離配列１５１５に形成される。ある大きめの磁界１５２０では、図１７Ｃに示すように、ナノ粒子の粒径と被覆剤とに依存して、磁性ロッド１５２５として整列した同一のナノ粒子がより長尺となった。この図では、厳密には当てはまることもなく、また必ずということもないが、各ロッドは寸法上均一に描かれている。磁界プロセスは２通りに考察することができる、すなわち、ａ）図１７Ａから図１７Ｂへの磁界の増強は、磁界交代の単一（遅速）サイクルでの増強であるという観点、又はｂ）発生磁界のピーク対ピーク値が上昇するときのサイクル数以上の増強であるという観点から考察することができる。絶対尺度及び振動周波数に依存して、振動の所与のサイクル中では、各作用が逆になることはない。
【０１４１】
一般的に、上記方法により、約０、０１Ｔｅｓｌａ以上及び／又は約１Ｔｅｓｌａ以下の磁界、限定されるわけではないが、約０．０１Ｔｅｓｌａから約０．１Ｔｅｓｌａまで、約０．０５Ｔｅｓｌａから約０．５Ｔｅｓｌａまで、約０．１Ｔｅｓｌａから約０．６Ｔｅｓｌａまで、約０．３Ｔｅｓｌａから約０．９Ｔｅｓｌａまで、約０．５Ｔｅｓｌａから約１Ｔｅｓｌａまで、それら磁束密度が重複する各範囲、１Ｔｅｓｌａ未満、０．５Ｔｅｓｌａ未満、０．２５Ｔｅｓｌａ未満、０．１Ｔｅｓｌａ未満を含む磁界が加えられる。勾配強度は、０．０１Ｔｅｓｌａ／ｍ以上及び／又は１０Ｔｅｓｌａ／ｍ以下、限定されるわけではないが、約０．０１Ｔｅｓｌａ／ｍから約１Ｔｅｓｌａ／ｍまで、約０．０１Ｔｅｓｌａ／ｍから約３Ｔｅｓｌａ／ｍまで、約０．０５Ｔｅｓｌａ／ｍから約５Ｔｅｓｌａ／ｍまで、約１Ｔｅｓｌａ／ｍから約４Ｔｅｓｌａ／ｍまで、それらの重複する各範囲、５Ｔｅｓｌａ／ｍ未満、３Ｔｅｓｌａ／ｍ未満、２Ｔｅｓｌａ／ｍ未満１Ｔｅｓｌａ／ｍ未満を含む強度とすることができる。一般的に、ロッドは、約０．０５ｍｍ以上及び／又は約３ｍｍの長さ、限定されるわけではないが、約０．０５ｍｍから約２ｍｍまで、約０．１ｍｍから約２ｍｍまで、約０．２ｍｍから約１．５ｍｍまで、約０．２ｍｍから約１ｍｍまで、約０．３ｍｍから約０．９ｍｍまで、約０．４ｍｍから約０．８ｍｍまで、それらが重複する各範囲、３ｍｍ未満、２ｍｍ未満、１．５ｍｍ未満、１ｍｍ未満を含む長さを有することができる。
【０１４２】
ある回転磁界強度及び磁界回転周波数では、ナノ粒子の粒径及び被覆剤に依存して、図１８Ａのグラフに示されるように成長することによって、各ロッドは、飽和磁界に到達して、最大長さを達成するであろう。ロッドの成長は必ずしも正確ではなく、またグラフ曲線は、成長の一般的な性質を示している。完全に成長したロッドは、その粒径及び回転磁界の大きさに依存して、１０又ははるかにそれ以上の数のナノ粒子を含んでよい。各ロッドは、磁界及び勾配に依存して、また、それぞれのナノ粒子のマグネタイトの量とナノ粒子の粒径にも同じく依存して、剛性ロッドとはならない。化学的、磁性的及び撮像上の理由から、その他の物質もナノ粒子に取着させてよい。その化学剤は血栓溶解剤とすることができる。血栓溶解剤はまた、独立して注入することができる。
【０１４３】
磁性ナノ粒子の集合体に磁界が加えられるとき、磁性ナノ粒子はより大きな構造体と成るように結合できる。これら構築構造体のサイズは、加わった磁界の強度、磁性ナノ粒子の粒径及び／又は磁性ナノ粒子上の被膜剤の厚みに関連付けすることができる。図１８Ｂは、磁界が加わった結果として、構築構造体（例えば、撹拌ロッド）になった磁性ナノ粒子の集塊を示す。磁性ナノ粒子は、部分的に加わった磁界に起因して、磁化整列される。加わる磁界の強度が上昇するにつれて、磁性ナノ粒子は、自身の磁化整列を継続でき、図１８Ｂに示されるロッドのような、より大きな構造体に構築される。磁性ナノ粒子は、自身の磁化整列が実質的に一定に維持される磁界強度上の飽和状態になることができる。一の実施の形態では、非被膜のマグネタイトナノ粒子については、加わった磁界が概ね０．２Ｔに達するとき、粒子は飽和点に近くなる。幾つかの実施の形態では、ナノ粒子の粒径は、構築構造体の強度及び／又は剛性に影響を及ぼすことができる。例えば、構築構造体が角運動量を有するとき、構築構造体（例えば、ロッド）がバラバラに分解する尤度は、構築構造体を構成した磁性ナノ粒子の粒径と反比例する。幾つかの実施の形態では、１Ｈｚと１０Ｈｚの間の回転周波数（例えば、１Ｈｚと５Ｈｚの間、２Ｈｚと４Ｈｚの間、及び、１Ｈｚ、２Ｈｚ、３Ｈｚ、４Ｈｚ、５Ｈｚ、６Ｈｚ、７Ｈｚ、８Ｈｚ、９Ｈｚ、１０Ｈｚの各周波数）は、各ナノ粒子ロータ又はロッドが過度に大きくなることなく、血管内に充分な人口流を発生させるのに適当なサイズの各ナノ粒子ロータ又はロッドが形成されるのを容易にする。
【０１４４】
図１８Ｃは、時間変化する磁界の結果として、回転しかつ並進するロッドのような構築構造体を示す。幾つかの実施の形態では、時間変化の磁界は回転し、かつ磁界勾配を持つことができる。この組み合わせは、ロッド上にトルクと正味の力とをもたらすことができる。部分的には、トルクに起因して、ロッドは回転できる。回転と正味の力とにより、結果として、図示のような、前方向の並進（横移動）を発生させることができる。
【０１４５】
図１８Ｄは、時間変化の磁界の結果として、表面を横切って回転しかつ並進するロッドを示す。ロッドが表面と接触する場合、トルク、磁性勾配からの力及びロッドと表面間との摩擦が結合して、結果的に前方向に並進（横移動）を発生させることができる。ロッドの運動は、表面に沿って横転する楕円体と類似して、前方横転とすることができる。
【０１４６】
図１８Ｅは、１個又は複数のロッドの回転と並進から発生するフローパターンを示す。図１８Ｃ及び図１８Ｄについて記載したように、勾配を持つ時間変化の磁界の結果として、ロッドは回転及び並進が可能である。図１８Ｅにおいて、右側に向かって、ロッドは、表面に接触するとき、前方向に回転及び並進をすることができる。各ロッドの回転及び並進に部分的に起因して、周囲の流体で流れが発生できる。ロッドが前に向かって並進すると、ロッドは磁界の変動を受けることができる。幾つかの実施の形態では、磁界は、並進距離と共に小さくなることができる。勾配が減少するに従って、ロッドに作用する下方の力が減少することができる。力が閾値を超えて減少する場合、ロッドは表面との接触を停止することができ、結果的に、表面とロッドとの間の摩擦がなくなる。そして、ロッドは、ロッド周囲の流体媒質の流れから発現する圧力を受けることができる。この流れは、結果的に、概略後方又は図１８Ｅでの左側に向かう並進を、発生させることになる。ロッドが後方に移動すると、ロッドが受ける磁界勾配は増加することができ、そしてロッドを表面に対して引き戻すことができる。ひとたび表面に引き戻されると、ロッドは、上記に説明したように、前方に横転するように移動することができる。ロッドの総体的運動は、現実には、全体的に円運動又は楕円運動とすることができる。このプロセスに間、ロッドは、部分的には、時間変化の磁界に起因して、回転することができる。ロッドの回転及びロッドの全体円運動の組み合わせは、結果的に、概略円状又は楕円状のフローパターンを発生させることができる。幾つかの実施の形態では、このフローパターンは、治療剤の混合を増進する又は治療目標部位（例えば、凝血塊）の治療剤（例えば、血栓溶解剤）に対する薬剤暴露を増加させることができる。
【０１４７】
図１９は、空間内の固定発生源から放射する回転磁界が加わることで作用する、単一の回転ロッドの前方横転移動の幾何学的な各特徴を示す。図では、磁界の各方向及び勾配の引張り力を示すように、単一の回転ロッドが回転し移動するときのロッドの一連の８位置が示される。磁界及びロッドが回転しながら、すなわち、磁界に対するロッドの整列を維持しながら、ロッドとその磁性モーメントとを保持するための相互作用を各ナノ粒子が維持するように、個々のナノ粒子の実効磁性モーメントが実質的に連続的に局所磁界に対して整列されることが理解されるはずである。
【０１４８】
特定の理論により制限されることなく、また、下記の等式［１］、［２］の節で論じられるように、磁界Ｂはトルクを確定するが、引張り力をロッドモーメントに及ぼすことはない、他方、勾配Ｇは引張り力をモーメントに及ぼすが、旋回トルクをモーメントに及ぼすことはない。従って、回転マグネット源は、図１９に示す各ステージでの下方矢印で示されるように、それに向かう引張り勾配を有するであろう。一般的に直径が約１５０ｎｍ未満のより極小の磁性ナノ粒子は、空間では個別に回転することなく、実質的に局所磁界に整列する磁気透過性物質として、主に作用する。いずれの場合にも、磁性ナノ粒子は、上記に説明したように、ナノスケールではそれ自体は中位の剛性有するが、各処置でのミリメータスケールでは極めて柔らかいロッドを形成するであろう。図１９では、三角法の標識化により、回転磁界に応じて、右側に向かうロッドの移動に関連させて、ナノ粒子上の力とトルク構成要素とを変化させる幾何学的（角度）様相を示している。言い換えれば、複数のロッドは概ね固定磁性ロッドとして作用する。図１９では、磁界が時計方向に回転するとき、８つの位置のそれぞれでの磁界方向は矢印１７０１、１７１１、１７２１、１７３１、１７４１、１７５１、１７６１、１７７１により示される。ロッドの各磁性モーメント１７０２、１７１２、１７２２、１７３２、１７４２、１７５２、１７６２、１７７２はそれらの方向に倣う。しかしながら、図１９に示される各ステージでは、矢印１７０３、１７１３、１７２３、１７３３、１７４３、１７５３、１７６３、１７７３は、下記の等式［２］に従って磁性勾配を表現するように、回転磁界源の中心に向かって下方に指向している。約２ｍｍのロッド長さのスケールでは、右側への移動は、ソースマグネット間での距離と相対して小さい。
【０１４９】
図２０は、ソース磁界がソースマグネットの固定位置周りに回転しているときの、磁性ロッドの集中に対する限界点の展開を示す。勾配は、磁界とは異なり、発生源の磁気中心に向かって引いてよい。磁界Ｂは、それ自体、磁性双極子モーメントμ上の整列のトルクτを生成する。
τ＝μＢｓｉｎφ                    ［１］
ここで、φは、磁性モーメントμの方向と磁界Ｂとの間の角度である。勾配のない均一な磁界は、磁性モーメントμ上で正味の力を生成しないであろう。しかし、勾配Ｇは、下記の等式［２］に従って、磁性モーメントμ上の力Ｆを生成するであろう。
Ｆ＝μＧｃｏｓφ                    ［２］
ここで、φは、磁性モーメントμの方向と勾配Ｇとの間の角度である。
【０１５０】
図２０は、各ロッドに対する解放位置でのシステムの空間「分解能」の性質を示す。回転マグネット源の固定位置に対して、勾配からその固定位置に向かう引張りは、各ロッド１８０５、１８０６及び１８０７の右側への移動のように方向を変える。それらの移動は発生源からの距離を増大させて、結果的に、磁界強度の損失を招く。図２０では、回転外部磁界源が、矢印１８１０が示す左側に留まったことから、各ロッド位置は、固定回転マグネットの右側に移動した（図２０のスクリーンから下方に離れる方向）。ここに示すステージでは、３つのロッド１８０５、１８０６及び１８０７を描く矢印は、回転発生源マグネットシステムの中心から右側に遠く移動した。ロッドのサイズ及びマグネット源間でのロッドの距離に相対して、右側までのこの距離は、磁界源と勾配が傾斜し、かつその大きさが減少するように、増加した。大きい矢印１８１０が示す方向の勾配は、等式［２］の力に従ってそれらの位置で与えられる牽引力で駆動されるナノ粒子及びロッドを引いている。勾配Ｂは、典型的には、距離の逆３乗と距離の逆４乗との間の因数により、発生源からの距離をもって減少できる、他方、磁界Ｂは、概ね発生源中心からの距離の逆３乗として、発生源からの距離をもって減少している。この移動では、ナノ粒子とロッドとを移動表面上に引き落とすために利用される力であって、磁性勾配が引き起こすこの力は減少している。この結果、ナノ粒子及びロッドは、結局のところ牽引力を解放することができる。マグネット源の固定位置について、粒子の分散が、ガウス分布に近似し始める。この粒子分散は、システムの空間分解能を説明するために用いることができる。
【０１５１】
勾配Ｇの存在下での磁性ナノ粒子の結果的運動は、当該勾配Ｇが、移動運動の方向（例えば、図２０での下方）に対して垂直な成分指向と移動運動の方向（例えば、図２０での左方）に対して平行な成分指向とを有するベクトルとして表現される場合には、より容易に説明できる。磁性勾配Ｇの垂直成分が、表面に対する牽引力を維持する充分な力をもはや与えないように、ひとたび磁性ナノ粒子が表面に沿って充分な距離を移動すると、磁性ナノ粒子は、牽引力を解放することができ、そして方向を変えることができる。幾つかの実施の形態では、移動方向とは反対でかつ磁気源に向かう磁性ナノ粒子上の力を与えるように作用する勾配Ｇの平行成分に起因して、方向の変化が起きる。図２０に示すように、勾配１８１０は、右方への移動するための表面に対する充分な牽引力を磁性ナノ粒子がもはや持たないことから、結果的に左方運動を生じさせるだろう力、すなわち磁性ナノ粒子上での左方の力を引き起こすであろう。幾つかの実施の形態では、図１９に示すように、前記表面に沿って移動するための表面に対する充分な牽引力を磁性ナノ粒子がもはや持たないときに、方向の変化が起き、そして、領域の流体の流れで、磁性ナノ粒子は反対方向に移動させられる。幾つかの実施の形態では、方向の変化は、磁性勾配及び領域の流れの双方によって、引き起こされる。磁性ナノ粒子がひとたび反対方向に充分な距離だけ移動した場合、また、磁性勾配Ｇが充分な大きさと方向を有する場合、磁性ナノ粒子は、表面に対する牽引力を再び獲得でき、また表面に沿って本来の方向（例えば、図２０での右方）に移動できる。このシーケンスを繰り返すことで、磁性ナノ粒子は循環運動又は渦運動をしながら移動することができる。
【０１５２】
図２０の作用の結果は、矢印１８１０が単にマグネットに最も近接する位置で最大密度の領域を指し示し、また、矢印１８１０が、各ロッドの磁気源に最も近接するときに最大強度を有するロッド移動の位置的依存性を表すようなロッド活動のガウス状分布であって、回転マグネット源の固定位置に対して各ロッドの移動する距離につれて起こる力の減少が前記ガウス状分布をもたらすことができるそのような前記作用結果である。
【０１５３】
単一回転ロッドの磁性力学により、下記の計算式に従って、「軟性ブラッシング」量が与えられる。比較的低密度で凝血塊物質に取着したロッド束について、これらの状態が直接的に適用されることが理解されるはずである。安定的で磁性的に除去可能な柔軟な凝集塊に至る各ロッドであって、凝血塊物質がそれらロッドと結合可能となるような回転磁界での各ロッド、を操作する有用なモードを以下に論じる。そのようなモードでは、この節の各計算式に従うことはないであろう。にもかかわらず、この節の各計算式は、軽荷重のときの回転洗浄ロッドの基調挙動と、少量の閉塞物質の各症例において、又は処置の精巧さ、又は静脈若しくは動脈のサイズが、物質の凝集塊を持続不能とさせるかもしれない各症例において利用してもよいモードとを示す。そのような各症例は、なんらかの脳閉塞において生じるかもしれない。
【０１５４】
ここで、単純化するために、各ロッドは剛性ロッドとして扱われる。図２１Ａは、薬剤混合と凝血塊の面との相互作用とを高めるために外乱を発生させる回転ロッド上の回転力及び回転エネルギーの発生の三角法の詳細を示す図である。磁性回転磁界Ｂの作用の各要素は、ロッドの磁性モーメントの各方向と磁界Ｂがｘ軸から角度βで指向される瞬間における磁界Ｂの方向とで画定される平面での磁性モーメントμを持つ単一ロッド上の所与のモーメントで示される。この瞬間では、（一定）モーメントμはｘ軸から角度θで指向される。従って、この瞬間では、外部ソースマグネットによるモーメントμ上で発生するトルクτの大きさは、下記のように与えられる：
τ＝μＢｓｉｎ（β−θ）                      ［３］
【０１５５】
図２１Ｂは、対称ロッドの中央に中心の配置された座標において対称的であると仮定されるロッドに及ぶ角度力Ｆ（θ）を示す。この仮定は、マグネット源までの距離と比較して、ロッドのサイズが小さいときに、実用性を帯びる。結果としての力は下記のように与えられ：
Ｆθ＝２μ（Β／Ｌ）ｓｉｎ（β−θ）                    ［４］
ここで、力は長さＬを持つロッドの両端での磁界Ｂによって生成される。
【０１５６】
標準力学から、角速度の依存度（ｄθ／ｄｔ）2で近似されるだろう牽引力は、下記のように与えられる：
Ｆdrag＝−Ｃ（ｄθ／ｄｔ）2                    ［５］
ここで、Ｃは比例定数である。その仮定下では、対称ロッドについての運動の確定等式は以下のようになる：
（ｍＬ／４）（ｄ2θ／ｄｔ2）＝２μΒ／Ｌ［ｓｉｎ（β−θ）］−Ｃ（ｄθ／ｄｔ）2                      ［６］
【０１５７】
更に、角度αをα＝β―θのように定義し、βをβ＝ωｔとし、ここでωは磁界Ｂの角回転周波数、そして、αをα＝β―θとする、従ってｄ2α／ｄｔ2＝−ｄ2θ／ｄｔ2となる。等式［３］は下記のようになる：
（ｍＬ／４）（ｄ2θ／ｄｔ2）＝２μΒ／Ｌｓｉｎα−Ｃ（ω−ｄα／ｄｔ）2                    ［７］
【０１５８】
定リード角αについて、これを下記のように単純化する：
ｓｉｎα＝ＣＬω2／２μＢ                    ［８］
【０１５９】
定リード角αを保つ最大周波数ω0は下記のように与えられる：
ω02＝２μＢ／ＣＬ                    ［９］
ここで、α＝π／２である、すなわち定リード角αは９０度である。
【０１６０】
最大周波数ω0より大きいなんらかの角周波数では、モーメントμは磁界回転に従うことができず、システムは不安定化する。更に高い周波数では、運動は実質的に停止し、時間の前半から磁界はπ／２未満の角度で進み、時間の後半では、π／２を超過する角度で進む。このように、２つのトルクは効果的に相殺される。この理由づけから、運動エネルギーは、図２１Ｃに示すように、周波数依存性を示すであろう。詳細には、運動エネルギーＴは下記のように与えられる：
Ｔ＝２ｘ（１／２）（ｍ／２）（Ｌ／２）2（ｄθ／ｄｔ）2      ［１０］
【０１６１】
図２１Ｃは、最大エネルギーＴ0がＴ0＝（ｍｌ2／８）ω02のように与えられ、ここで、ω0＝ｄθ／ｄｔである回転周波数に関するロッド上の運動エネルギーの依存性を表すグラフである。つまり、単一ロッドに利用できるピーク回転運動エネルギーは、ロッドの質量及び長さに依存し、ロッドが磁界回転に従うことができないポイントまでは、その角速度の観点からは２次的である。
【０１６２】
磁性ナノ粒子のロッドの形成及び力学的挙動に関する上述の見解により、治療上の施用に適用するときのシステムと各方法の効用とを示すことができる。ナノ粒子のシステムは、血管での閉塞部位に作用する柔軟な磁性ロッド群として振る舞うことが発見された。第１に、上記の図１６Ａ及び図１６Ｂで論じた２つの特徴的な問題症例の処置が、各回転ロッドの導入と共に示されよう。
【０１６３】
図２２Ａは、スピン回転する各ロッドで外乱を導入する実用上の利益を示す。図２２Ａは、図１６Ａに示す従来の処置と対比して、本明細書に記載の各方法を用いて処置している完全な間隙閉塞を有する血管部分を示す。図２２Ａは、凝血塊２００５を有する無血流の管腔２０００であって、閉塞部位の近傍に注入されている血栓溶解剤が新たに供給されている管腔２０００の横断面図である。３個のスピン回転する磁性ロッド２０３０（縮尺せず）が、新薬剤２０１０と同時に注入されているところが示されており、それらロッドは、回転マグネット源（ここでは、図示せず）の方向２０２５に引っ張られると、局所外乱を発生させる。時計周りのスピン回転により、各ロッドが新薬剤と混合されているところが示され、更に、外部回転磁界源が移動すると、各ロッドはゆっくりと左方に移動しながら凝血塊２００５の表面をブラッシングしているところが示される。凝血塊２００５の微細粒子は右部２０３５に蓄積して、図２３Ａに示すように、回転が継続されると、これら微細粒子は球体を形成するであろう。
【０１６４】
幾つかの実施の形態では、凝血塊２００５は、凝血塊物質の機械的洗浄をすることなく、除去（例えば、溶解、破壊、裂壊、崩壊、浸軟）される。幾つかの実施の形態では、凝血塊２００５の除去のための主要機構は、凝血塊２００５の断片を擦り取る各磁性ロッド２０３０の研磨ではない。幾つかの実施の形態では、凝血塊２００５の除去のための主要機構は、交互磁界から生じる各磁性ロッド２０３０の誘導性加熱により生起される温熱療法に起因するものではない。幾つかの実施の形態では、各磁性ロッド２０３０は研磨被膜を持たない。幾つかの実施の形態では、各磁性ロッド２０３０は、非研磨被膜を持つ。この状態は、極めて僅かな混合作用を有し、かつ凝血塊の除去に対する長めの時間に依存しなければならない薬剤の静的施用において、図１６Ａのものと比較されるはずである。幾つかの実施の形態では、添加剤の混合を改善するために滞留領域で渦（例えば、予測可能に循環又は振動させる）を形成するように、当該磁性ナノ粒子を操作でき、結果的により効率的な化学的相互作用を引き起こすこととなる。渦を形成することはまた、乱流領域の近傍でより多くの添加剤を引き込ませることが可能である。循環は、約０．１Ｈｚ以上及び／又は約５Ｈｚ以下の周波数、若しくは約０．２５Ｈｚ以上及び／又は約３．５Ｈｚ以下の周波数、それら周波数の重複する各範囲、１Ｈｚ、２Ｈｚ、３Ｈｚ、４Ｈｚあるいは５Ｈｚの各周波数で発生することができる。
【０１６５】
図２２Ｂは、図１６Ｂに示す症例において、標準の各方法による凝血塊の不充分な除去に係る問題を解決するために各方法及び各装置の実例的な各実施の形態を示すものであって、管腔２０５０の上方部位の横断面図である。この症例では、脚部の動脈又は心房室での部分的な閉塞を示すであろう。幾つかの実施の形態では、図１６Ｂに示されたように、部分的に閉塞された管腔２０５０には、ゆっくりと流れる血液２０９０が存在する。凝血塊物質２０５８及び２０６２は、弁尖２０６０周囲に密集し、弁尖２０６０を凝固させて、総体的ではないが有意な血流の減少を引き起こしている。この症例では、血管２０５０の全体が閉塞しているわけではなく、また、減少した血流は、部分的な閉塞と堅い弁膜２０６０の剛性とに起因している。図１６Ｂに関連して説明したように、血流は、遅速ではあるが、閉塞物質との不充分な接触で注入された薬剤を運び流す。方法の幾つかの実施の形態では、凝血塊物質２０５８及び２０６２に作用する各回転洗浄ロッド２０５５のアクションは、薬剤との接触を大きく増加させ、また同じく小規模での穏やかな擦り動作を与えるように示すことができる。領域２０８０及び２０８５での乱流は、血管壁２０７０又は弁葉２０６０を実質的に又は有意に損傷させることなく、それらの比較的に極小で柔軟な構造がそのような領域で機能できる各回転ロッド２０５５により、発生させられる。幾つかの症例では、取り除かれた磁性注入物質は、磁性手段により下流で収集されるであろう。
【０１６６】
幾つかの実施の形態では、凝血塊物質２０５８及び２０６２の除去のための主要機構は、凝血塊物質２０５８及び２０６２の断片を擦り取る各回転ロッド２０５５の研磨ではない。幾つかの実施の形態では、凝血塊物質２０５８及び２０６２の除去のための主要機構は、時間変化の磁界から生じる各回転ロッド２０３０の誘導性加熱により生起される温熱療法に起因するものではない。幾つかの実施の形態では、各磁性ロッド２０３０は研磨被膜を持たない。幾つかの実施の形態では、各回転ロッド２０３０は、非研磨被膜を持つ。
【０１６７】
特定条件（特に、低血流）下で回転が継続されると、下記の図２３Ｂで説明されるように、凝血塊物質と磁性ナノ粒子とで磁性球体が形成できる。再び、特定な理論で制限されることなく、磁性ナノ粒子が循環するとき、当該磁性ナノ粒子は血栓部位の表面に係合してよいと考えられている。血栓が微細な断片に裂壊されると、磁性ナノ粒子は被包粒子に成り、又は他の形態で、マグネタイトと血栓物質とを含む結合構造体を形成する。この結合構造体は、本発明の幾つかの実施の形態に従って、一つ又は複数の利点的な性質を持つ。例えば、（ｉ）結合構造体は、相互作用の生じる表面領域を増加させて、また血栓溶解剤のより効率的な循環を生じさせることで、血栓の破壊を加速することができる；（ｉｉ）同構造体は、より極小な栓状核を球体構造体に収納しながら、これら栓状核を捕捉することができ、これにより栓状核の脱出を防止する；（ｉｉｉ）同構造体は、血栓溶解剤により構造体が崩壊するに従い、ゆっくりと裂壊し続けることができる；及び（ｉｖ）同構造体は、先端にマグネットが付いた装置で再収集できる、これにより、より大きな栓状核と磁性ナノ粒子とを捕捉する等の性質である。
【０１６８】
幾つかの実施の形態では、薬剤を適切な比率で送出することで、凝血塊及び磁性ロッドの相互作用の性質と経時性とに依存して、磁性ロッドの洗浄プロセスを、上述のように、磁性ロッドと結合した極小で概ね球体の凝血塊物質を形成するように凝血塊物質と各ロッドを混合するために、順序立てて設定することができる。それらの条件は、磁気処置中で、血栓溶解剤の施用及び濃度の比率で決定できる。一の実施の形態では、除去を完了するために所望の又は最適な各特質（剛性及びサイズ）を持つ結合構造体（例えば、球体）を形成するように、薬剤の送出の比率を変化させる。
【０１６９】
以下に、この技術の実例的な適用を説明する。図２３Ａは、凝血塊２１３０で完全に閉塞した無血流の血管２１２０の横断面図である。ここで、各磁性ロッド２１２２は、循環パターン２１３５を生成しながら磁界を時計回りに回転させることで、凝血塊２１３０に直近位の領域を撹拌している。撹拌領域２１２５は、凝血塊物質と血栓溶解剤と少量の磁性ロッド材料との混合体を含む。
【０１７０】
図２３Ｂの横断面図では、血管２１２０でのこの回転相互作用が継続して、構造体（例えば、球体）２１４０は、捕捉した栓状核と少量の磁性ロッド材料とを用いて凝血塊２１３０から剥ぎ取った物質を形成し始める。
【０１７１】
図２３Ｃでは、回転球体２１４０は拡大して治療を加速させる。回転球体は、閉塞物質の微量の残渣２１５０をそのままに、血管２１２０内の閉塞経路を開成した。球体２１４０は依然として回転して、回転磁性源（例えば、マグネット）の勾配から与えられる力で適切な位置に保持される。
【０１７２】
図２３Ｄは、完全凝血塊球体２１４０の捕捉除去手段を示す。適当な時間で、回復した血流が血栓球体２１４０を下流側に押し出す前に、マグネットが先端に付いたプローブ２１４５が挿入され、そして、マグネットが先端に付いたプローブ２１４５をけん引することで、球体構造体１０４０をその除去のために捕捉する。
【０１７３】
図２４は、各弁尖２２６０を含む血管２２５５の横断面図であって、各弁尖２２６０の内のひとつの弁尖２２６２が当該弁２２６２を凝固させた閉塞物質２２６３を有して非機能となった状態を示す横断面図である。血液は、矢印２２７０の方向にゆっくりと流れている。外部磁界発生器は、（図１４又は図１５に示すように）、回転ナノ粒子２２７５が、例えば、上記図２２Ｂに示す手法で、凝血塊の蓄積物２２６３に作用している領域において回転磁界を発生させる。ここに示される磁性ナノ粒子ロッド２２７５は、実際には、凝血塊の蓄積物２２６３に隣接する空間では、そのような多数のロッド部材であってよい。各ロッド２２７５は、一の実施の形態では、柔軟なロッドで、上記で説明した通り、凝血塊の蓄積物２２６３の狭いコーナで機能するために、約１ミリメータから２ミリメータまでの長さより短い長さまでブラッシングを受けることができる。幾つかの実施の形態では、各ロッド２２７５は、幅が約２センチで深さが約３ミリメータのモデル空間で物質を除去するように機能し、約１００立方ミリメータの血栓物質を除去した。幾つかの実施の形態では、各ロッドは、血栓部位に直接接触して、又は直接接触をすることなく、血栓物質の少なくとも２５％、５０％、６０％、７５％、８５％、９０％又は９５％を除去もしくは緩和するように構成される。
【０１７４】
図２５は、太めの血管２３０５から分岐する細めの血管２３００の横断面図である。細めの血管２３００は、図示のように蛇行してもよいが、脳又は他の場所での凝血塊、すなわち凝血塊２３１５に近接するのが示されている磁性ロッド２３１０のような移動走行を妨げるものではない。従って、ここに記載の各システム及び各方法は、利点的には、蛇行した又は湾曲した脈管構造（神経脈管構造のような）内での、磁性ナノ粒子の移動を容易にし、また流体障害物の処置も容易にする。そのような極小の凝血塊２３１５は、他で説明されるように、上記の図２４における血管２５５５のような一般的に太めの血管において、擦り落とすことができる。擦り落とし作用は、閉塞物質の断片を除去するために適切な磁界及び勾配を選択することで、発生させることができる。これら除去粒子は、その粒径が数ミクロンまでなってもよく、さらなる下流での損傷を引き起こすことはないであろう。幾つかの実施の形態に従い、凝血塊２３１５のような凝血塊を除去するこの方法の利点は、閉塞部位が全体に渡っており、従来の現行の各方法では到達するのが困難であるが、ここに記載の各システムと各方法が与える外部回転磁界では、各ロッドを閉塞ポイントまで移動させることができることである。そして、血栓溶解剤を、可能であれば、凝血塊２３１５の部位に導入してよい。そのポイントで、磁性ロッド２３１０の撹拌活動により、静的な搬送より更に迅速に凝血塊２３１５に薬剤を相互作用させることができる。
【０１７５】
磁性ナノ粒子は、繊細な構造体を穏やかに除去するには充分であるが、脳が部分的に血液不足となっている乏血性脳卒中の場合のように、該当物質を迅速に素早く除去することが、時として望まれるであろう。磁性ナノ粒子について利用される同様の原理は、機械的な研磨と同時に閉塞部位への血栓溶解剤の流れを上昇させて、迅速に閉塞を除去するように特に設計されたより大きな磁性構造体をに対しても、採用してもよい。これら大きな磁性構造体は、ここでは血栓摘出装置と称し、表面上に接着した研磨材料を持つ球体であってよい。幾つかの実施の形態では、特定処置後の除去が望ましいと考慮するのであれば、これら球体をミリメータ以下のサイズからミリメータを超過するサイズとすることができる。このテクニックは、従来の各テクニックで典型的に見受けられるものより、結果的に小さい残留栓状核をもたらすことができる。現行の各処置と比較して、この方法のさらなる利点は、除去物質の磁性特徴をコントロール可能とすることである。ここでは、磁界モーメント（例えば、「磁性球体」）を持つ球体として示される血栓摘出装置は、装置の回収を単純化するために係留されよい。幾つかの実施の形態では、血栓摘出装置は、磁性ナノ粒子に対して提案された手法と類似する方法、すなわち、先端にマグネットが付いた案内ワイヤを用いて回収することができる。球体の表面は、下記の要素、すなわち；（ｉ）造影剤、又は、磁気共鳴画像診断、Ｘ線診断、陽電子射出断層撮影法（ＰＥＴ）、超音波診断技術又はその他の画像診断法による可視化を可能とする薬剤；（ｉｉ）閉塞部位の破壊を加速させる薬剤；（ｉｉｉ）すり潰し動作を加速させるように設計及び／又は最適化された表面形状；及び（ｉｖ）すり潰し動作を加速させる研磨面のいずれか一つ又はそれらの組み合わせを含む。
【０１７６】
図２６Ａは、一の実施の形態の従い、球体２４３０として表記される磁気有効血栓摘出装置の基本操作の各要素を示す。球体２４３０は、Ｓ極２４１０及びＮ極２４２０の端部を持つ永久磁石のモーメントを有する。反時計方向２４４０に進行する外的に加えられた磁界２４５０により、球体は回転する。図２６Ａのように、磁性勾配が存在しない場合、表面２４６０に対して、牽引力は発生しないことから、球体は並進しない。
【０１７７】
図２６Ｂは、血管壁２４６０に対して磁性球体２４３０を押し付けるように当該磁性球体２４３０に作用する力を方向２４８０に発生させる磁性勾配２４８０が、実質的に固定された方向２４８０に発現することを除いて、図２６Ａと同じ場合を示している。結果として、牽引力が生じて、磁界の反時計方向の回転２４４０と共に、並進運動が方向２４７０で発生する。
【０１７８】
このテクニックの実例的な適用を下記のように説明する。図２７Ａは、無血流で全面閉塞となっている血管２５１０の横断面図である。図示のように、磁性球体２５３０は、機械的に閉塞表面２５２２をすり潰しながら、閉塞部位２５１５に直近傍の領域を撹拌することができる。表面２５２２に対する接触は、結果的に方向２５２０への並進力を引き起こす方向２５２０の勾配によって発生する。磁性球体２５３０の時計方向運動により、血栓溶解剤の作用を加速する循環パターン２５２５が形成される。
【０１７９】
図２７Ｂの横断面図では、血管２５１０での回転相互作用が継続し、球体２５３０が、並進方向２５２０で閉塞部位２５１５内に深く貫通している。
【０１８０】
図２７Ｃでは、磁気有効回転球体２５３０が、微量の閉塞物質を残して、血管２５１０内の閉塞経路２５３５を開放している。幾つかの実施の形態では、閉塞部位２５１５の除去のための主要機構は、閉塞部位２５１５に接触する磁性球体２５３０の研磨機構ではなく、閉塞部位に対する治療剤（例えば、血栓溶解剤）の薬剤曝露量を増加させる機構である。幾つかの実施の形態では、閉塞部位２５１５の除去のための主要機構は、時間変化の磁界から生じる磁性球体２５３０の誘導性加熱により生起される温熱療法に起因するものではない。幾つかの実施の形態では、磁性球体２５３０は、研磨被膜を持たない。
【０１８１】
図２７Ｄは、血管２５１０から、磁気有効球体２５３０を捕捉して取り除く手段を示す。外部磁界２５２０はもはや回転されない又は取り除かれており、球体２５３０を右方へと並進させることはもはやなくなる。適切な時間において、回復した血流が磁気有効球体２５３０を下流に押し込む前に、先端にマグネットが付いたプローブ２５４０が挿入されて、この先端マグネット付着プローブ２５４０をけん引することで、これを取り除くために球体２５３０を捕捉する。
【０１８２】
図２８Ａの横断面図は、血管２６０５内で鎖留めした磁気使用可能球体２６１０を示す。テザー２６３０は、図２８Ｂ又は図２８Ｃに示される留め具を用いて、球体２６１０を磁界と共に回転可能としている。マグネットのＮ極２６４０及びＳ極２６４５の両端部は、黒矢印の両端部で描写される。磁界２６４０−２６４５の自由回転は、血管２６０５の内側の血栓又は血小板物質２６２０を擦り落とすことを可能にする。テザー２６３０は、マグネット２６１０が、図２７Ｄに示される先端にマグネットの付いたワイヤ２５４０を必要とすることなく、手動で回収可能であることを保証する。幾つかの実施の形態に従い、テザー２６３０は、回転中の球体２６１０に（例えば、図２８Ｂ及び図２８Ｃの各方法及び各装置に従って設計されるとき）巻きつくことはないであろう。
【０１８３】
図２８Ｂは、磁性球体を２６１０の回転軸２６５０周り回転を許容するテザー２６６０の第１の実施の形態を示す。図２８Ｂに示すように、テザー端部２６６５は、回転軸２６５０周りの自由回転を確保するために、回転軸２６５０内に緩く挿入される。Ｎ極２６４０及びＳ極２６４５の矢印は、球体２６１０の磁化方向を示す。
【０１８４】
図２８Ｃは、テザーの第２の実施の形態を示す。テザー２６７０は、磁性球体２６１０（ループ２６７５に対して垂直）の回転軸２６５０周り回転を許容する。図２８Ｃに示すように、テザーは、回転軸２６５０周りの自由回転を確保するために、磁性球体の回転軸２６５０を緩く取り巻くループ２６７５を備える。矢印２６８０で示すＮ極２６４０及びＳ極２６４５の両端部は、球体２６１０の磁化方向を表す。
【０１８５】
ここに記載の各技術は、例えば、図２９に示すように、血管２７０５上の脆弱性血小板２７１５を除去する際に利用されてもよい。図２９では、血管２７０５の横断面図は、血管２７０５の頂部及び底部上の脆弱性血小板２７１５について示している。回転磁性球体２７１０は、図２７Ｃに示す閉塞部位２５１５上で利用される手法と類似の方法で及び図２８Ａでの繋ぎ留めの実施の形態と類似する方法で、血小板２７１５を擦り落としているところを示す。これは、作用を血小板２７１５方向の上方に向けるために、外側に発生した磁性勾配２７２０を用いることで可能となっている。幾つかの実施の形態では、除去した（例えば、排出した）血小板物質を実質的に溶解するために、治療剤（例えば、血栓溶解剤）が存在してもよい。
【０１８６】
磁性ナノ粒子と磁気有効血栓摘出装置とを現在の画像技術で撮像するために、これら粒子は、この画像技術に対して実質的に不透明とする被覆剤を有することができる。実例的な造影被覆剤には、Ｘ線診断、陽電子射出断層撮影法（ＰＥＴ）、磁気共鳴法（ＭＲ）及び超音波画像診断技術で検出可能な各造影被覆剤が含まれる。そのような被覆剤は、利点的には、その領域での血流不足に起因して、通常は不可視である血管を再現する能力を提供することができる。同様に、磁性ナノ粒子を制御して再収集する能力は、従来の造影剤の使用に起因しているかもしれない有毒な副作用を結果的に減少させることができる。例えば、Ｘ線造影剤は典型的には、血流と共に押し流されることから、また低血流の血管（例えば、１ｃｍ／ｓｅｃ未満の流量）の高濃度では移動することは不可能なことから、これらＸ線造影剤は多種多様な注射剤を必要とする。
【０１８７】
図３０Ａは、太めの血管２８１０から分岐する細めの血管２８２０の横断面図である。細めの血管２８２０は、図示のように蛇行してもよいが、磁気有効球体の磁性ロッド収集運動及び／又は横転運動を妨げるものではない。双方の技術は、細血管２８２５の右側から開始し、閉塞部位２８１５に近づいていく様子として、概略的に描写されている。時間的に続く各ポイントで、磁性球体集合体又は磁性ロッド集合体２８２５の位置が、２８２６、２８２７、２８２８及び２８２９で示される各ポイントで識別される。磁性ロッド集合体又は磁気有効球体の並進方向は、本体から延伸する矢印２８３０によって示される。
【０１８８】
図３０Ｂは、図３０Ａに示すものと同じ横断面図である。この図では、磁性ロッド集合体又は磁気有効球体の各撮像位置が連結され、これにより、コンピュータによって移動した経路２８３５を再現することができる。この経路は、解剖位置の確認及び経路２８３５に沿う操縦を利用する処置の策定を行うために、手術前の各画像に対して参照することができる。
【０１８９】
システムで利用するための組成剤
医薬品組成剤と組み合わせて配合するかどうかに関して、各種配合の磁性ナノ粒子は、患者に投与する際に利用してよい。当業者は、個々での磁性ナノ粒子との同時投与又はナノ粒子とは分離した投与を行うに際しての、各種治療剤（例えば、医薬品組成剤、薬剤及び配合剤）の配合の仕方を認識しているであろう。幾つかの実施の形態では、その各種配合の磁性ナノ粒子を、簡明に（例えば、純粋に、無混合で又は無希釈で）投与してよい。幾つかの実施の形態では、各種配合物と医薬剤許容可能な担体とを投与でき、また各種配合形態のものであってよい。例えば、医薬剤許容可能な担体は、形態又は調和性を与えることが出来る、又は希釈液として作用することができる。適切な添加剤は、安定剤、保湿剤及び乳化剤に限定されるわけではないが、浸透圧を変化させる塩類、封入剤、緩衝剤及び皮膚浸透促進剤を含む。実例的な添加剤は、非経口的な薬剤搬送及び非経口的ではない薬剤搬送のための配合物も同様に、レミントン（Ｒｅｍｉｎｇｔｏｎ）のマック出版社、「薬学の科学と実務」２０版（２０００年）（［Ｔｈｅ  Ｓｃｉｅｎｃｅ  ａｎｄ  Ｐｒａｃｔｉｃｅ  ｏｆ  Ｐｈａｒｍａｃｙ  ２０ｔｈ  Ｅｄ．  Ｍａｃｋ  Ｐｕｂｌｉｓｈｉｎｇ  （２０００）］に説明されており、この開示は本明細書の一部を構成するものとして特にその内容を援用する。
【０１９０】
幾つかの実施の形態に係る磁性ナノ粒子は、いずれの特定治療剤（例えば、化学組成剤又は医薬品組成）に対して非特殊化されている被覆剤と配合できる。幾つかの実施の形態では、被覆剤は、多種多様な治療剤を吸収できるであろう。被覆剤は、その上、実質的に磁性ナノ粒子の相互作用に干渉しないように薄く配合される。この結果、投与量、コスト及び投与量依存性の副作用を減少させつつ、化学剤をより効率的に搬送できる。
【０１９１】
被検者内への注入に先立って、非特殊化被覆剤を含む磁性ナノ粒子が獲得され、オペレータが選択した薬剤と混合することができるであろう。このように、オペレータは特定のアプリケーションについて、適切な薬剤を選択することができる。治療剤（例えば、化学剤、血栓溶解剤）を磁性ナノ粒子へ取着するために使用される各装置は、従来型渦ミキサー、超音波ミキサー、結果的に粒子を拡散させて選択治療剤と拡散粒子とを混合させるように磁界を操作する装置、又はその他の適切な混合装置を含むことができる。オペレータ選択の薬剤は、例えば、ナノ粒子に親水性かあるいは疎水性を持たせることで血液中のナノ粒子の挙動を高める被覆剤；ナノ粒子を緩衝し、磁性ナノ粒子の磁性相互作用及びその挙動を最適化する被覆剤；磁気共鳴画像診断、Ｘ線診断、陽電子射出断層撮影法（ＰＥＴ）又は超音波診断技術（例えば、磁気デンドリマー）による可視化を可能とする造影剤又は薬剤；循環系の閉塞の破壊を加速させる薬剤；組織プラスミノーゲン活性化因子（ｔＰＡ）、プラスミノーゲン、ストレプトキナーゼ、ウロキナーゼ、組換え組織プラスミノーゲン活性化因子（ｒｔＰＡ）、アルテプラーゼ、レテプラーゼ、テネクテプラーゼ、その他の薬剤、若しくはこれら薬剤のいずれの組み合わせ、を含むことができる。非特殊化被覆剤を含む被覆磁性ナノ粒子は各利点を持つ。例えば、磁性ナノ粒子は、ｔＰＡ又はそのような他の添加薬剤なしで注入できるが、これらナノ粒子は、流体の流れを利用して別途導入される薬剤を集中させるために用いることができる。このように、薬剤は、目標位置又治療目標部位での投与を高めるナノ粒子の能力のおかげでより効果的となることができる。幾つかの実施の形態では、その様なプロセスで、２桁又は３桁の大きさで必要とされる効果的な投与量を、コストを削減しながら、軽減させることができ、また薬剤の起こりうる有害性の副作用も低減することができる。幾つかの実施の形態では、磁性ナノ粒子は、特定の治療剤の結合又は添加を容易にするために特化された被覆剤を含むことができる。幾つかの実施の形態では、被覆剤は、（例えば、共有結合性の連鎖によって、又は非共有結合性の結合によって、若しくは物理的相互作用によって）特定治療剤を引き付けるようにコード化されたＤＮＡ被覆剤を含む。ＤＮＡ被覆剤は、結合又は添加を容易にする１個又は多数のチオール基若しくは他の構造体で改変させてよい。
【０１９２】
幾つかの実施の形態では、磁性ナノ粒子の被覆剤（例えば、ポリエチレングリコール被覆剤）の表面には、各治療剤又は各診断マーカが共有結合的に連鎖される又は共役化されるアミノ官能基又はヒドロキシル官能基が含まれる。幾つかの実施の形態では、ヨードアセチル、マレイミド又はピリジルジスルフィドなどの各連鎖基によって、添加を容易にしてもよい。物理的相互作用（例えば、静電気相互作用、疎水性／親水性の相互作用、及び親和性の相互作用）は、治療剤又は診断マーカの磁性ナノ粒子への添加を容易にするために用いてもよい。幾つかの実施の形態では、治療剤には、被覆剤物質（例えば、磁気リポソーム）内の酸化鉄ナノ粒子が装填される。
【０１９３】
幾つかの実施の形態では、被覆剤はリポソーム被覆剤を含み、そして、１つ又は複数の治療剤又は診断剤は、被覆剤内部又は被覆剤上に与えられてもよい。リポソーム被覆剤は、ある期間後に溶解するように構成されてよく、これにより目標部位に到達するまで薬剤の放出が防止される。幾つかの実施の形態では、治療剤は、目標部位への到達する前に開放されるのを防ぐために、不活性物質で覆ってよい。
【０１９４】
磁性ナノ粒子は生態学的には不活性とすることができるが、代謝能力はない。幾つかの実施の形態では、被覆剤は、ポリエチレングリコール（ＰＥＧ）被覆剤、ポリ乳酸（ＰＬＡ）被覆剤、ポリアセテート共グリコール酸（ＰＬＧＡ）被覆剤、ポリ酢酸ビニル（ＰＶＡ）被覆剤、デキストラン被覆剤、及び／又はオレイン酸被覆剤を含む。被覆剤は、利点的には、磁性ナノ粒子の帯電を取り除き、溶血現象を防止する又は溶血現象の尤度を減少させることができる。被覆剤は、治療剤を添加するためのプラットホーム又は足場として役立つことができる。幾つかの実施の形態では、被覆剤は、治療剤の添加を容易にする中間被覆剤（例えば、酸性被覆剤）を含む。幾つかの実施の形態では、被覆剤は、治療剤の被覆剤への共役又は結合を容易にするための酸性層を含んで、改変することができる。幾つかの実施の形態では、被覆剤は層状にしてよく、また任意選択的に薬剤の制御持続放出を提供する。
【０１９５】
幾つかの実施の形態では、ここに記載の磁性ナノ粒子は、磁気バイオ分離を介して、生体分子の純化に利用することができる。例えば、磁界を振動させることで、磁性ナノ粒子は、生体分子の純化プロセスを増進させることができる。幾つかの実施の形態では、磁性ナノ粒子の表面を所望の分子を取着するように機能化させることができる。例えば、癌などの各種の疾病用の診断マーカを、腫瘍診断及び／又は処置適用のために、磁性ナノ粒子に取着させることができる。幾つかの実施の形態では、治療剤の損傷部位への搬送を容易にするために、タンパク質を被覆させたナノ粒子を動脈の損傷部位に付着できる。磁性ナノ粒子は、磁気共鳴画像診断結果又はその他の画像診断結果を改善するために、磁気共鳴画像処理又はその他の造影剤を増進させるように利用することができる。幾つかの実施の形態では、磁性ナノ粒子は、粒子表面に薬剤を付着させ、その薬剤付着の粒子を部位（例えば、炎症領域、特定器官又は特定細胞）に向けさせることで、薬剤搬送の各ベクトルとして利用することができる。幾つかの実施の形態に従い、磁性ナノ粒子は、ナノ粒子に付着した治療剤を含み、臨界濃度の物質を部位に搬送するように当該部位に指向させることができる。幾つかの実施の形態では、磁性ナノ粒子は、ワクチンの搬送を容易にするように利用することができる。
【０１９６】
各種の実施の形態では、腫瘤又はその他の癌性組織若しくは癌性領域への薬剤搬送を、薬剤（例えば、ドキソルビシン、アルトレタミン、アスパラギナーゼ、ブレオマイシン、ブスルファン、カルボプラチン、カルムスチン、クロランブシル、シスプラチン、クラドリビン、シクロフォスファミド、シタラビン、ダカルバジン、ジエチルスチルベストロール、エチニルエストラジオール、エトポプシド、マイトマイシン、ミトタン、マイトキサントロン、パクリタキセル、ペンタスタチン、ピポブロマン、プリカマイシン、プレドニソン、プロカルバジン、ストレプトゾシン、タモキシフェン、テニポシデ、ビンブラスチン、ビンクリスチン、化学療法薬剤又は遺伝子治療剤のような抗がん剤又は抗悪性腫瘍薬）をここに記載の磁性ナノ粒子に付着することで又は付着することなく、容易にすることができる。異なるタイプの分子を、同一の磁性ナノ粒子に又は異型の磁性ナノ粒子に付着させることができる（例えば、癌認識剤及び癌処置剤）。幾つかの実施の形態では、脳腫瘤又は血液脳関門に影響を与えるその他の疾病（例えば、髄膜炎、脳膿瘍、癲癇、多発性硬化症、視神経脊髄炎、神経トリパノソーマ症、進行性多巣性白質脳症、Ｄｅ  Ｖｉｖｏ（デ・ビボ）病、アルツハイマー病、脳炎、狂犬病）及びその他の疾病又は中枢神経系の神経変性障害（例えば、痴呆症、パーキンソン病、及び筋萎縮性側索硬化症）の処置のために、血液脳関門を横切る搬送を容易にするように、治療剤を磁性ナノ粒子に付着させることができる。治療剤は、バクテリア、ウイルス、病原体又はその他の微生物を対象としてよい。幾つかの実施の形態では、磁性ナノ粒子は、多数の異なるタスクを特定の順序で実施するように利用できる。
【０１９７】
血液脳関門を横切って搬送される磁性ナノ粒子と共同で脳腫瘤の治療に使用される治療剤は、例えば、ベバシズマブ又はエベロリムス、プロカルバジン、カルムスチン、ロムスチン、イリノテカン、テモゾロミド、シスプラチン、メトトレキサート、エトポシド、シクロフォスファミド、イホスファミド及び／又はビンクリスチンを含んでよい。温熱療法は、磁性ナノ粒子を交番磁界に曝すことにより、これら磁性ナノ粒子を用いて供給されてよく、これによって熱を発生させている。磁性ナノ粒子と共同でアルツハイマー病を治療するための治療剤は、例えば、コリンエステラーゼ抑制因子及び／又はメマンチンを含んでよい。磁性ナノ粒子と共同で髄膜炎を治療するための治療剤は、例えば、メトロニダゾルを含んでよい。磁性ナノ粒子と共同で癲癇を治療するための治療剤は、例えば、アミタール、アモバルビタール、フォスフェニトイン、及び／又はレベテラシタムを含んでよい。遺伝子治療は、例えば、白血病、骨髄腫、パーキンソン病及び他の疾患又は障害を治療するために、磁性ナノ粒子と共同して利用してもよい。ウイルス性又は非ウイルス性の方法では、遺伝子治療におけるベクトルとして使用してよい。
【０１９８】
磁性ナノ粒子と共同で動静脈の奇形又は出血を処置するための若しくは腫瘤の塞栓形成を容易にするための治療剤は、血栓又は塞栓物質の形成を誘導するための抗血管形成誘導を促進する薬剤を含んでよい。温熱療法はまた、磁性ナノ粒子を用いて供給されてよい（例えば、磁性ナノ粒子を交番磁界に曝すことにより、結果的に熱を発生させている）。
【０１９９】
磁性ナノ粒子の合成化
幾つかの実施の形態では、コロイド及び界面科学ジャーナル、７４巻、第１号、１９８０年３月の「水酸化第１鉄ゲルからの結晶化による均一球形マグネタイト粒子の形成」（“Ｆｏｒｍａｔｉｏｎ  ｏｆ  Ｕｎｉｆｏｒｍ  Ｓｐｈｅｒｉｃａｌ  Ｍａｇｎｅｔｉｔｅ  Ｐａｒｔｉｃｌｅｓ  ｂｙ  Ｃｒｙｓｔａｌｌｉｚａｔｉｏｎ  ｆｒｏｍ  水酸化第１鉄  Ｇｅｌｓ，”  Ｊｏｕｒｎａｌ  ｏｆ  Ｃｏｌｌｏｉｄ  ａｎｄ  Ｉｎｔｅｒｆａｃｅ  Ｓｃｉｅｎｃｅ，  Ｖｏｌ．  ７４，  Ｎｏ．  １  ，  Ｍａｒｃｈ  １９８０）の全開示は本明細書の一部を構成するものとして特にその内容を援用するものであって、ここにおいて杉本とマチジェビック（Ｍａｔｉｊｅｖｉｃ）とが記述しているように、磁性ナノ粒子（例えば、酸化鉄ナノ粒子）を合成する方法は、上昇温度で水酸化第１鉄ゲルを経年変化させることを含む。幾つかの実施の形態では、酸化鉄ナノ粒子を合成する方法は、前駆体水酸化第１鉄（Ｆｅ（ＯＨ）2）の沈殿析出を行うこと、過剰硫酸鉄（ＦｅＳ０4）で前駆体を経年変化させること、及び最終生成物を収集することを含む。幾つかの実施の形態では、プロセスは結晶成長プロセスを含む。
【０２００】
幾つかの実施の形態では、前記方法は、水酸化カリウム及び硝酸カリウムと反応するＦｅＳ０4（水性）溶液から鉄（含水）酸化前駆体の沈殿析出を含む。鉄源、水酸化カリウム及び硝酸カリウムは、室温などの第１の温度で容器に添加でき、次いで、反応を起こすために加熱することができ、又は成分を熱湯などの上昇温度にある液体の入った容器に添加することができる。沸騰した湯は、沸騰後に添加された各成分の攪拌器構として作用することができる。これは、反応の良好な制御を提供し、より均一で微細な粒径分布を与えることができる。この方法は、成分を攪拌する又は攪拌することなく実施することができる。この方法における反応は、８５℃、９０℃、９５℃、１００℃、又は反応を引き起こすのに充分なその他の温度で発現できる。この方法は、水酸化カリウム（ＫＯＨ）を含む硫酸鉄水溶液の沈殿析出を含むことができる。前駆体酸化鉄（含水）は、実質的に相純粋な磁鉄鉱粒子を生成するために、ＦｅＳ０4（水溶液）を過剰混合することができる。幾つかの実施の形態では、ポリマー又はその他の被覆剤物質は、ナノ粒子を被覆するために用いられる。ポリマーは、ナノ粒子の形成が開始する前に、あるいは鉄源を添加した後に、ポリマーが完全に又は部分的に溶液中に溶解するように、鉄源の添加に先立って溶液に添加することができる。ポリマーは、ポリエチレングリコール１４５０（例えば、ＰＥＧ−６又はＰＥＧ−３２）とすることができる。この方法は、上澄みでの実質的に一定の比導電率が達成されるまで、脱イオン水で粒子を洗浄することを含むことができる。洗浄工程の後に、１つ、２つ、３つ、４つ以上の追加的な洗浄サイクルを続けることができる。幾つかの実施の形態では、ナノ粒子の粒径分布の制御を維持しながら、ここに記載の方法により、比較的多数の磁性ナノ粒子を生成することができる。
【０２０１】
幾つかの実施の形態では、約２０ｎｍ以上及び／又は約２５０ｎｍ以下、約５０ｎｍ以上及び／又は約１５０ｎｍ以下、もしくは約７５ｎｍ以上及び／又は約１２５ｎｍ以下の直径を有する酸化鉄（例えば、磁鉄鉱）粉末が生成される。酸化鉄粉末は、物質の磁化率が粉末の約１０ｅｍｕ（エミュー）／ｇ以上、粉末の約２０ｅｍｕ／ｇ以上、粉末の約３０ｅｍｕ／ｇ以上、粉末の約４０ｅｍｕ／ｇ以上、粉末の約５０ｅｍｕ／ｇ以上、粉末の約６０ｅｍｕ／ｇ以上、粉末の約７５ｅｍｕ／ｇ以上、粉末の約１００ｅｍｕ／ｇ以上、粉末の約１５０ｅｍｕ／ｇ以上、及び／又は粉末の約２００ｅｍｕ／ｇ以上となるように、生成することができる。幾つかの実施の形態では、酸化鉄物質は、約１５ｍｇ／ｍＬ及び／又は約４５ｍｇ／ｍＬ以下、約２０ｍｇ／ｍＬ及び／又は約４０ｍｇ／ｍＬ以下、約２５ｍｇ／ｍＬ及び／又は約３５ｍｇ／ｍＬ以下、若しくは約２８ｍｇ／ｍＬ及び／又は約３１ｍｇ／ｍＬ以下の固形分でのリン酸緩衝塩水懸濁液中において、与えることができる。幾つかの実施の形態では、酸化鉄粉末は、約１３００Ｄａ以上及び／又は約１６００Ｄａ以下、約１３５０Ｄａ以上及び／又は約１５５０Ｄａ以下、約１４００Ｄａ以上及び／又は約１５００Ｄａ以下、若しくは約１４２０Ｄａ以上及び／又は約１４８０Ｄａ以下の分子量でのポリエチレングリコールのある濃度を含むリン酸緩衝塩水懸濁液中において、与えることができる。
【０２０２】
幾つかの実施の形態では、被覆剤を除く合成粒子の組成は、酸化鉄が約８５％以上、酸化鉄が約９０％以上、酸化鉄が約９５％以上、酸化鉄が約９９％以上、酸化鉄が約９９．５％以上、若しくは酸化鉄が約９９．８％以上である。酸化鉄は、混合相を含むことができ、Ｆｅ3０4及び／又はＦｅ2Ｏ3とすることができる。幾つかの実施の形態では、重金属（例えば、ヒ素、水銀、鉛、カドミウム、ビスマス、等）からの不純物は、約３００ｐｐｍ以下、約２５０ｐｐｍ以下、約２００ｐｐｍ以下、約１５０ｐｐｍ以下、約１００ｐｐｍ以下、約７５ｐｐｍ以下、又は約５０ｐｐｍ以下である。不純物は、誘導結合プラズマ又は他の類似の分析手法を用いて決定することができる。一の実施の形態では、磁性ナノ粒子は、デキストラン被覆剤、例えばデキストランＴ１、デキストランＴ５、デキストランＴ１０、デキストランＴ２５、又はデキストランＴ４０を含むことができる。幾つかの実施の形態では、磁性ナノ粒子物質における微生物の総生菌数は、約２００コロニー形成単位（ｃｆｕ）／ｇ以下、約１５０ｃｆｕ／ｇ以下、約１２５ｃｆｕ／ｇ以下、約１００ｃｆｕ／ｇ以下である。幾つかの実施の形態では、磁性ナノ粒子中の酵母及び／又はカビの含有数は、約２００ｃｆｕ／ｇ以下、約１５０ｃｆｕ／ｇ以下、約１２５ｃｆｕ／ｇ以下、又は約１００ｃｆｕ／ｇ以下である。
【０２０３】
幾つかの実施の形態では、磁性ナノ粒子を製造するために使用される各材料は、約９０％以上、約９５％以上、約９８％以上、又は約９９％以上の純度を有する硫酸鉄（ＩＩ）七水和物を含む。各材料は、約９５％以上、約９８％以上、約９９％以上、又は約９９．８％以上の純度を有する微結晶の形態での硝酸カリウムを含むことができる。各材料は、約７５％以上、約８０％以上、約８５％以上、又は約８７．９％以上の純度の水酸化カリウムを含むことができ。各材料は、前純化窒素を含むことができる。各材料は、約２％以下、約１％以下、約０．５％以下、又は約０．１％以下のＬＯＩ残渣を有するポリエチレングリコール１４５０（例えば、ＰＥＧ−６又はＰＥＧ−３２）を含むことができる。ポリエチレングリコールは、不純物が約１００ｐｐｍ以下、約５０ｐｐｍ以下、約１０ｐｐｍ以下、又は約５ｐｐｍ以下の割合を占める重金属からの不純物を含むことができる。各材料は、ナノレベルの純粋逆浸透水を含むことができる。
【０２０４】
結果として、各磁性ナノ粒子は、約２０ｎｍ以上及び／又は約２００ｎｍ以下の直径、約５０ｎｍ以上及び／又は約１００ｎｍ以下の直径、または約６０ｎｍ以上及び／又は約８０ｎｍ以下の直径、それらの重複する範囲、１７０ｎｍ未満の直径、若しくは約２０ｎｍと約２００ｎｍ間のいずれの整数値の直径を有する単結晶コアを持つように形成することができる。単結晶コアは、多結晶コアを有する類似のサイズの磁性粒子と比較するときに構造がより強い磁気相互作用を可能にするために、有利であり得る。磁気による影響を減少させたようなナノ粒子は、ＭＲＩでの造影剤としてナノ粒子を利用するような撮像アプリケーションでの使用に対しては、有利であり得る。ここに記載の単結晶磁性ナノ粒子はまた、その他の薬剤を付着するためのプラットホームとして役立つことができるポリエチレングリコール（ＰＥＧ）の被覆剤を含むことができる。
【０２０５】
磁性ナノ粒子の投与
循環系閉塞又は処置されるその他の治療目標部位に依存して他の投与形態（例えば、経口、粘膜など）も利用可能であるが、幾つかの実施の形態では、磁性ナノ粒子は、注射による投与（例えば、腹腔内、静脈内、動脈内、皮下、筋肉内等）のために配合される。従って、配合剤は、塩水、リンゲル液、デキストロース溶液等の薬学的に許容される媒体と結合させることができる。特定の投与計画（例えば、投与量、タイミング及び反復）は、特定の個体とその個体の医療履歴と処置すべき循環系閉塞とに依存してよい。一般的に次の投与量が使用されてよい；すなわち、体重換算で約１ｍｇ／ｋｇの投与量；少なくとも体重換算で約７５０ｐｇ／ｋｇ；少なくとも体重換算で約５００ｐｇ／ｋｇ；少なくとも体重換算で約２５０ｐｇ／ｋｇ；少なくとも体重換算で約１００ｐｇ／ｋｇ；少なくとも体重換算で約５０ｐｇ／ｋｇ；少なくとも体重換算で約１０ｐｇ／ｋｇ；少なくとも体重換算で約１ｐｇ／ｋｇ、又はそれ未満の投与量で投与される。血栓溶解剤の半減期又は主要動脈血流から目標位置までの距離などの経験的考察は、一般的に投与量の決定に寄与するであろう。
【０２０６】
幾つかの実施の形態に従い、各システム及び各方法は、非分散性の薬剤又は分散が困難な薬剤（ここに記載の磁性ナノ粒子の各実施の形態のような）を搬送するために提供される。注射による磁性ナノ粒子の投与は、実質的に一定の注入質量が時間関数として所望される課題を提示できることとなる。注入機構は、各注入器、各点滴バッグ、各リザーバ、チューブ、各点滴チャンバ、他の機構、又はこれら任意の組合せを含むことができる。磁性粒子は、例えば、塩水、リンゲル液、デキストロース溶液等の溶液中に分散させることができる。そのような溶液中での特定量の時間経過後において、磁性粒子は、恐らくは一定しない注入質量に帰着する粒子上への重力に主に起因して、溶液の底部近傍に沈殿することができる。
【０２０７】
例えば、特定の施用では、磁性ナノ粒子は、約１７ｍＬのリン酸緩衝塩水（ＰＢＳ）中に分散した約５００ｍｇの磁性ナノ粒子を含有する単一投与のバイアル中に供給され、約１時間にわたって注入されるように設計されている。これらの磁性ナノ粒子は、約５から１０分で分散を経てから沈殿することができる。このように、磁性ナノ粒子は、これら粒子を投与する際の時間よりも早く沈殿するであろう、これにより注入質量が不一定となる。
【０２０８】
ここに記載の磁性ナノ粒子の幾つかの実施の形態は、流体中では非分散性又は分散が困難なものである。ここに記載の磁性ナノ粒子の幾つかの実施の形態は、約５０ｎｍ以上及び／又は約２００ｎｍ以下の直径を有し、磁気的に強く、比較的大きい単結晶コアを含む。磁性ナノ粒子は、粒子に関連する電荷を減少させるために、比較的薄いポリエチレングリコール被覆剤（例えば、約５ｎｍ、約１０ｎｍ、約２０ｎｍ等の値以下）で被覆することもできる。例えば、塩水のような流体中にそのようなナノ粒子を分散させるために、ナノ粒子被覆剤の厚さを実質的に増大させることができ、及び／又は分散媒体の粘度を増加させることができる。幾つかの実施の形態では、各システム及び各方法は、ナノ粒子被覆剤の厚さ又は分散媒体の粘度を改変することなく、実質的に一定した注入質量を維持するために提供される。
【０２０９】
幾つかの実施形態では、磁性粒子は、その粒子を比較的に厚い被覆剤で被覆することによって、より分散しやすいように形成される。例えば、比較的微細な多結晶性磁性コア（例えば、磁性コアは、約２０ｎｍ以下の直径を有する）を取り囲むようにデキストラン又はポリエチレングリコールで被覆された、マグネタイト粒子又はヘマタイト粒子のようなナノ粒子について、それら粒子の立体反発状態を確保するため、比較的厚い被覆剤をこれら磁性ナノ粒子に施すことができる。幾つかの実施の形態では、一定注入質量を維持するための各システム及び各方法により、比較的厚い被覆剤を使用することない磁気の強い粒子、例えば、約２０ｎｍ以上及び／又は約２００ｎｍ以下の直径を有する単結晶コアを持つ磁性ナノ粒子を注入することができる。
【０２１０】
典型的には、磁性ナノ粒子は、注入プロセス全体を通して実質的に分散状態のままであるように、比較的厚い被覆剤を有することから立体反発を受ける。幾つかの施用では、磁性ナノ粒子が磁気共鳴画像診断での使用のために造影剤として利用されるときにように、当該磁性ナノ粒子は、粒子の磁化率を低減するために被覆剤で被覆される。幾つかの施用では、磁性ナノ粒子は、生分解性物質、疎水性薬剤、又は他のこのような被覆剤で被覆される。そのような被覆剤は、溶液中の粒子の分散を増加させるのに有効であることができる。幾つかの実施の形態では、ここに記載の磁性ナノ粒子、及びここに記載の各注入方法と各注入システムとは、利点的には、立体反発を受けることなく、及び／又は比較的厚い被覆剤を必要としないで、注入プロセス全体を通じて磁性ナノ粒子を実質的に分散状態に維持できる。
【０２１１】
幾つかの実施の形態に従い、磁性ナノ粒子の分散は、少なくとも部分的にマイクロボアチューブの使用によって維持されている。マイクロボアチューブは、注入プロセス中で、粒子を注入剤中に混入させるための注入機構において提供することができる。典型的な注入セットには、約４ｍｍの内径を有するチューブを含む。チューブの直径を減少させることによって、注入速度は所与の注入率で増加される。この速度の増加は、注入プロセス全体を通して、注入質量が実質的に一定のままとなるように、注入機構のチューブに沈殿する粒子の量を減少させるのに十分であることができる。例えば、マイクロボアチューブは、約０．０５インチ以下の内径、約０．０４８インチ以下の内径、約０．０３４インチ以下の内径、及び／又は約０．０２３インチ以下の内径を有することができる。内径は、チューブ内を通る所望の流体速度、注入すべき粒子の粒径、所望のチューブの長さ、又はこれらの任意の組み合わせに依存することができる。
【０２１２】
マイクロボアチューブは、所望の長さの物質及び／又は所望の体積の物質を保持することができる。例えば、マイクロボアチューブは、少なくとも約４０インチの長さ及び／又は約１８０インチ以下の長さとすることができ、更に少なくとも約５０インチの長さ及び／又は約１００インチ以下の長さとすることができ、若しくは少なくとも約５７インチの長さ及び／又は約６１インチ以下の長さとすることができる。マイクロボアチューブは、少なくとも約０．３ｍＬ及び／又は約２．０ｍＬ以下、少なくとも約０．４ｍＬ及び／又は約１．８ｍＬ以下、若しくは少なくとも約０．５ｍＬ及び／又は約１．７ｍＬ以下の体積を有することができる。マイクロボアチューブは、所望の時間で所望量の溶液を搬送するように設定された長さ及び内径を有するように構成することができる。例えば、マイクロボアチューブは約６０分で約６８ｍＬの量を搬送するように構成することができる。幾つかの実施の形態では、約０．０３１インチの内径と約１６０インチの長さとを有するマイクロボアチューブは、磁性ナノ粒子の混入を持続しながら、約５７分の間に６８ｍＬの溶液を搬送する。図３１は、注入器ポンプ３１０６から滅菌塩水３１０４を患者に投与する（例えば、注入器を押圧して）粒子の投与量が少なくとも部分的に予め充填されたマイクロボアチューブ３１０２を有する注入システム３１００の実施形態を示す。
【０２１３】
幾つかの実施の形態では、粒子の分散は、超音波エネルギーを加えることで少なくとも部分的に維持される。図３２Ａは、そのようなシステム３２００の実例を示す。実例的なシステム３２００は、部分的に貯留槽３２０４内に含まれる粒子体積３２０２と、注入器ポンプからの入口管３２０６と、患者に至る出口管３２０８と、貯留槽３２０４に接触する超音波トランスジューサ３２１０と、を含む。超音波トランスジューサ３２１０は、貯留槽３２０４内での分散を維持するように時間設定された（例えば、周期的に設定された）超音波パルスを生成することができる。磁性ナノ粒子の注入は、注入器及び注入器ポンプ（図示せず）を介して塩水注入によって実施することができる。幾つかの実施の形態では、超音波トランスジューサ３２１０は、貯留槽３２０４に実質的に連続した超音波エネルギーを送達する。特定の実施の形態では、貯留槽３２０４は、チューブに超音波エネルギーを送信するように構成された媒体（例えば、液体又はゲル）中のコイル状の注入管（不図示）を含む。超音波エネルギーを送達するシステム３２００は、例えば、各超音波トランスジューサ、各超音波パッド、各超音波振動子、各超音波攪拌器（撹拌子）、またはこれらの任意の組み合わせを含むことができる。幾つかの実施の形態では、出口管３２０８又は出口管３２０８の一部分は、患者への搬送の際に粒子の分散を維持するように構成されたマイクロボアチューブとすることができる。幾つかの実施の形態では、図３２Ｂに示すように、貯留槽３２０４は、注入器／注入器ポンプによる注入の容積を増加させることに対応して、粒子分散剤３２０２の内部容積を減少させるダイヤフラム３２１２を含むことができる。
【０２１４】
幾つかの実施の形態では、磁性ナノ粒子の分散は、少なくとも部分的に磁場を加えることで維持される。図３３は、粒子体積３３０２を含む貯留槽３３０４と、注入器からの入口管３３０６と、患者へ至る出口管３３０８と、時間変化する磁場を生成するように構成された少なくとも一つのマグネット３３１０と、を有するシステム３３００の実例を示す。磁性ナノ粒子は、実質的に一定な注入質量を維持するために分散剤３３０２内で移動することにより、時間変化する磁場に応答することができる。一つ又は複数のマグネット３３１０は、時間変化する磁場を生成するために回転するように構成された永久磁石とすることができる。一つ又は複数のマグネット３３１０は、時間変化する磁界を生成するために、それらを介して誘導される変化電流を持つ電磁石とすることができる。一つ又は複数のマグネット３３１０は、永久磁石及び電磁石の任意の組み合わせとすることができる。幾つかの実施の形態では、一つ又は複数の回転マグネット３３１０は、同じ又は異なる平面で回転するように、貯蔵槽３３０４の周りに間隔をあけて配置されている。磁界は、約１Ｈｚ以上及び／又は約１００Ｈｚ以下、約５Ｈｚ以上及び／又は約５０Ｈｚ以下、約１０Ｈｚ以上及び／又は約３０Ｈｚ以下、約１Ｈｚ以上及び／又は約１０Ｈｚ以下、若しくはそれらが重複する各範囲、１００Ｈｚ未満、５０Ｈｚ未満、３０Ｈｚ未満、１０Ｈｚ未満の周波数で変化することができる。幾つかの実施の形態では、出口チューブ３３０８又は其の一部は、図３１を参照してここで記載したようにマイクロボアチューブを含む。特定の各実施の形態において、図３２Ｂに示す超音波システム３２００と同様に、貯蔵槽３３０４は、注入器／注入器ポンプ注入部からの容量を増加させることに対応して、粒子分散剤３３０２の内部容積を減少させるダイヤフラム（図示せず）を含む。
【０２１５】
幾つかの実施の形態では、磁性ナノ粒子の分散は、少なくとも部分的には、機械的撹拌を行って維持される。図３４は、点滴バッグ３４０２と、点滴バッグ３４０２を支持する支持構造体３４０４と、患者に至る出口チューブ３４０６と、ドリップバッグ３４０２及び／又は支持構造体３４０４に結合された機械攪拌器３４０８と、を有するシステム３４００の実例を示す。幾つかの実施の形態では、システムは、ドリップバッグ３４０２と出口チューブ３４０６内への流れをユーザが目視可能及び／又は制御可能とする出口チューブ３４０６とに結合した、円錐形の底部（図示せず）を有するドリップチャンバを含む。分散は、ドリップバッグ３４０２を繰返し圧搾するＩＶ注入ドリップバッグ３４０２における継続的な又は時間設定された撹拌によって維持することができる。特定の実施の形態では、攪拌器３４０８は、バッグ３４０２の一部を、時間設定をした、継続的な、定期的な及び／又は律動的な手法で絞る、機械的に操作されるバーを含む。機械的攪拌器３４０８は、約０．１Ｈｚ以上及び／又は約５Ｈｚ以下の周波数、又は約０．２５Ｈｚ以上及び／又は約３Ｈｚ以下の周波数、若しくはそれらが重複する各範囲の周波数で、繰り返し動作させることができる。幾つかの実施の形態では、攪拌器３４０８は、浮袋からドリップバッグ３４０２内に空気を流れ込ませるように浮袋への空気を脈動させ休止するこの動作を繰り返す圧縮器に連結された浮袋又はバルーンとすることができる。幾つかの実施の形態では、攪拌器３４０８は、粒子容器を機械的に撹拌するように構成された機械的渦生成器とすることができる。幾つかの実施の形態では、ドリップバッグ３４０２内の分散は、機械的攪拌、超音波エネルギー、及びここに記載の磁気エネルギーの任意の組み合わせによって維持することができる。幾つかの実施の形態では、図３１を参照してここに説明されるように、出口チューブ３４０６又はその一部は、マイクロボアチューブを含む。
【０２１６】
幾つかの実施の形態では、注入質量は、一定の時間設定された（例えば、周期的またはランダムに設定された）間隔で、多数のボーラスカートリッジを用いて搬送される。図３５は、そのような注入システム３５００の実例的な実施の形態を示す。注入システム３５００は、注入ポンプ３５０２、多数の注入器３５０４又はその他の搬送機構を含み、注入器は、出口チューブ３５０８に連結したマルチコネクタ又はマニホールド３５０６に結合する。多数の注入器３５０４には、個々の投与量を事前に装填することができ、そして出口チューブ３５０８に各投与量を注入するため及び／又は各投与量を注入ラインに流入させるために、塩水３５１０を含有する少なくとも一つの注入器を含めさせることができる。幾つかの実施の形態では、一つ又は複数の注入器３５０４での分散を維持するために、超音波及び／又は磁気エネルギー３５１２を注入ポンプ３５０２に加えることができる。幾つかの実施の形態では、出口チューブ３５０８又はその一部は、図３１を参照してここに説明するように、マイクロボアチューブを含む。
【０２１７】
幾つかの実施の形態では、粒子の分散は、流体の動的混合を利用して、少なくとも部分的に維持される。図３６Ａは、このような流体動的混合システム３６００の実例を示す。この実例では、流体動的混合システム３６００は複数の継続混合注入器３６０２を含み、この複数の継続混合注入器３６０２では、第１の注入器３６０２ｂが分散剤３６０４を含み、第２の注入器３６０２ａは空であり、第３の注入器３６０２ｃが塩水３６０６を含有する。各注入器３６０２は、マニホールド３６０８により、流体的にそれぞれ結合する。システム３６００は、出口チューブ３６１２への流れを制御する弁３６１０を含む。流体動的混合システム３６００は、マニホールド３６０２及び／又は出口チューブ３６１２内への塩水３６０６の導入を制御する一の又は複数の塩水弁３６１４を持つことができる。流体動的混合システム３６００は、実質的に同時に及び／又は分散注入器３６０２ｂが搬送する速度で、空の注入器３６０２ａを引き出させるように機能することができる、これにより、図３６Ｂに示すように、実質的に継続的なやり方で、分散剤３６０４を１個の注入器から他の注入器へ転送している。この流体の実質的に継続的な運動は、分散剤を維持するうえで充分なものとすることができる。確定した時間間隔で、弁３６１０は、適切量の溶液を被検者に搬送できるように開弁し、その後弁３６１０は混合が継続できるように閉弁できる。塩水注入器３６０２ｃは、分散剤３６０４をチューブ３６１２から被検者内に流入させるために組込まれかつ利用することができる。幾つかの実施の形態では、出口チューブ３６１２又はその一部は、図３１を参照してここに説明するように、マイクロボアチューブを含む。
【０２１８】
操作の実例的方法
操作の実例的方法を例示するために、実例的な起磁システム及びユーザインタフェースを、発明の各実施の形態に従い、図４６Ａ−図４６Ｇ、図４７Ａ及び図４７Ｂを参照して説明する。起磁システム及び関連する磁性ロータは、動脈血管又は静脈血管内に位置する低血流の血管（例えば、約１ｃｍ／ｓ以下の流量）へ同時投与する静脈内剤の注入を高めるように構成することができる。図４６Ａ−図４６Ｂは、患者の頭部（例えば、血流を脳に送り込む血管）内の治療目標部位（例えば、血栓又は凝血塊）へ治療剤（例えば、ｔＰＡ又は他の血栓溶解剤）を搬送するために、磁性ロータ（例えば、磁性ナノ粒子）を制御するように、起磁システム４７１５を操作する際に使用されるユーザインタフェースモジュール４６００の実施の形態を示す。ユーザインタフェースモジュール４６００は、同じく患者のその他の血管又は肉体構造部位の処置で使用するように構成できる。
【０２１９】
起磁システムは、ここに記載の各システム（図１−５のシステムのような）のいずれか又はその構成要素を含むことができる。例えば、起磁システム４７１５は、図４７に示すように、可搬型指示ベース４７０２とアーム位置決め器４７１２とを含むことができる。図１、図４及び図５を参照してここに説明されるように、起磁システム４７１５は、所望の磁界を生成するように構成された磁性ステータシステムを含むことができる。例えば、磁性ステータシステムは、シャフト・ヨークアセンブリに接続されたネオジウム−鉄−ボロンの永久磁石ブロックを含むことができる。幾つかの実施の形態では、ヨークアセンブリは、重量を低減し、性能を向上させるために、炭素繊維板を用いて加工される。
【０２２０】
永久磁石ブロックは、単一の永久磁石又は多数のマグネットとすることができる。例えば、永久磁石ブロックは、２個、３個、４個、６個、８個、又はその他の数のＮｄＢＦｅ５０の中温度２インチ立方体を備えることができる。機械式の駆動列は、角度を変化させ、磁性ブロックによって生成される磁界を時間変化させるように構成された１対の電動モータにこれらのアセンブリを接続することができる。幾つかの実施の形態では、磁性ブロックは、所望の変化磁界を生成するために、少なくとも約１、２又は３Ｈｚ及び／又は約１０Ｈｚ以下（例えば、２−４Ｈｚ、１−５Ｈｚ等）の回転周波数を持つことができる。幾つかの実施の形態では、磁性ブロックは、当該磁性ブロックの表面から少なくとも約６インチの位置で、所望の磁界を生成するように構成されている。幾つかの実施の形態では、磁性ブロックは、当該磁性ブロックから約５４．６ｃｍの位置で約５ガウス以下の磁界、及び／又は当該ブロックから約９４ｃｍの位置で約１ガウス以下の磁界を生成するように構成される。幾つかの実施の形態では、これらの機構は、機械的な危険からオペレータ及び患者を保護するだけでなく、筐体の外部の危険から筐体内に含まれる要素及びアセンブリを保護する保護カバー内に収容されている。
【０２２１】
アーム位置決め器４７１２は、処置中に患者の頭部に隣接するように所望の位置又は使用中でないときには収納位置に、磁気ステータシステム４７１５を位置決め及び／又は配向するように構成することができる。システム４７１５は、固定機構又は摩擦機構のように、実質的に所望の位置で磁気ステータシステムを固定するための各機構を含むことができる。システム４７１５は、利点的には、オペレータに情報を表示し、システムを制御する際に使用するために、またオペレータからの入力を受け取るように構成されたタッチスクリーンインターフェースモジュール４６００を含むことができる。
【０２２２】
より大きな構造体を形成するために、磁性ナノ粒子が磁界で操作されるときに、各磁性ロータを形成することができる。磁性ナノ粒子は、熱及び圧力下での塩化第一鉄の化学的沈殿析出によって、医薬品等級の試薬を使用して、マグネタイト（Ｆｅ3Ｏ4）から作製できる。マグネタイトコアが約１００ｎｍまで結晶化した後に、ＰＥＧ１４５０の薄い被覆剤（例えば、約１０ｎｍ）を、コアの表面に吸着させることができる。幾つかの実施の形態では、マグネタイト粒子を、ガンマ放射線又は他の滅菌技術を使用して、滅菌している。一の実施の形態では、磁性ナノ粒子は、治療剤（例えば、ｔＰＡ又はその他の血栓溶解剤として）と同時に静脈内に投与されるように、滅菌塩水中で懸濁されている（例えば、非発熱性緩衝塩水（ＵＳＰ））。幾つかの実施の形態では、２つのＩＶ部位が確定されており、一つの部位は治療薬の投与のためであり、他の一つは磁性ナノ粒子の注入のために確定されている。一の実施の形態では、投与は、約５０ｎｍから約１５０ｎｍの範囲の粒径を有する約１７ｍＬの塩水の中の約５００ｍｇの粒子を含むことができる。一の実施の形態では、磁性ナノ粒子の最終濃度は、約２９．４ｍｇ／ｍＬである。磁性ナノ粒子の注入速度は、約０．３３ｍＬ／ｍｉｎ以下（例えば、約０．３０ｍＬ／ｍｉｎ以下、約０．２５ｍＬ／ｍｉｎ以下、約０．２０ｍＬ／ｍｉｎ以下、又は約０．１５ｍＬ／ｍｉｎ以下）とすることができる。磁性ナノ粒子は、約１０ｍｇ／ｋｇ以下（例えば、約９ｍｇ／ｋｇ以下、約８ｍｇ／ｋｇ以下、約７ｍｇ／ｋｇ以下、約６ｍｇ／ｋｇ以下、約５ｍｇ／ｋｇ以下）の注入質量で投与することができる。
【０２２３】
一の実施の形態では、タッチスクリーンインターフェースモジュール４６００は、図４６Ａ−４６Ｇに示すユーザインタフェース４６０１を表示する。ユーザインタフェースモジュール４６００は、オペレータが適切な情報を入力できるように、処置の進行を表示できるように、ユーザがシステムを操作できるように、ユーザが操作を一時停止できるように、ユーザが操作パラメータを変更できるようにするなどして、システムの適切な操作を補助する。例えば、ユーザインタフェース４６０１は、治療目標部位又は頭蓋半球分の領域及び主要動脈血管（又は血管分枝）を選定する能力をオペレータに対して提供することができる。ユーザインタフェース４６０１は、オペレータが治療目標部位、磁気固定子システムの状態、及び治療剤の搬送のための残り時間を確認できるように、オペレータに情報を表示することができる。幾つかの実施の形態では、治療目標部位又は目標位置は、治療目標部位の撮像又は可視化を必要とすることなく（例えば、凝血塊の撮像をすることなく）識別される。例えば、治療目標部位は、測定血流又は流体障害物の表示に基づいて、識別してよい。
【０２２４】
システム及びユーザインタフェースを使用する実例として、患者の頭部における治療目標部位の処置について、図４６Ａ−４６Ｇ、図４７Ａ及び図４７Ｂを参照して説明する。磁気制御又はステータシステムの一の実施の形態は、本明細書で参照されているが、本明細書に記載の他の磁気制御又はステータシステムを使用してもよい。例えば、図４７Ｂに示されているように、頭部支え４７０５のような固定システムを使用して患者の頭部を位置決めして、患者を仰臥位に配置することができる。患者が、治療機関の基準の手順に従って処置を受けられる準備させることができる。磁気制御システム４７１５のマグネットポッド４７１０（ここに記載しているように、永久磁石の回転をもたらすために、回転可能な永久磁石及び機械的機構を含んでいてもよい）を、患部の半球に近傍の患者の頭部の片側に隣接して位置決めすることができる、若しくは、マグネットポッド４７１０を、（例えば、図４７Ｂに示すように）患者頭部の頭蓋又は頭頂に近接して位置決めすることができる。幾つかの実施の形態では、頭部の最上部又は頭頂に隣接する磁気制御システム４７１５のマグネットポッド４７１０を位置決めすることで、脳への血流及び／又は脳からの血流に関連した血管と利点的に位置合わせを実施し、及び／又は潜在的で電磁的な各干渉問題を最小限に抑えられる。
【０２２５】
磁気制御システム又は磁気ステータシステム４７１５のマグネットポッド又はブロック４７１０を位置決めすることは、磁気ステータシステム４７１５を患者に相対する所望の位置に位置決め及び／又は配向させるために、１つまたは複数の機械的機構、例えば、位置決めアセンブリ４７１２（多数の独立した制御可能なリンク機構又は単一の単体部材で構成してもよい）及び可搬型支持ベース４７０２を使用することを含むことができる。位置決めアセンブリ２７１２は、それぞれが個別に又は組み合わせて調整することができるような多数のピボット、ジョイント及び／又は油圧機構を含んでよい。位置決めアセンブリ４７１２は、患者の頭部角度に対する正確な位置決めを行うために、多数の軸に沿って又は制限することなく（例えば、自由度６）、磁石ポッド４７１０を調整することができる。位置決めアセンブリ４７１２は、ひとたび所望の方向及び位置が得られると、その移動を防止するロック機構を含んでよい。幾つかの実施の形態では、磁気ステータシステム４７１５は、患者の頭部から２ｃｍと２０ｃｍの間（例えば、２ｃｍと６ｃｍの間、４ｃｍ１０ｃｍの間、６ｃｍと１２ｃｍの間、８ｃｍと２０ｃｍの間、それらの重複する各範囲、８ｃｍ、引用した範囲内のいずれの距離）の距離で、患者の頭部に対して垂直かつ患者の耳に対して水平に位置決めできる。他の実例として、図４７Ｂに実例として示すように、磁気ステータシステム４７１５は、患者の頭部と平行にかつ患者の頭部の頭頂と隣接して位置決めできる。磁気固定子システム４７１５は、実質的に、使用中に適所に固定されるように構成することも、若しくは手動操作、自動操作、又はこれらの組み合わせを介して、使用中に移動するように構成することができる。幾つかの実施の形態では、ヘッドレスト４７０５は、固定位置及び／又は固定配向に患者の頭部を位置決めして、実質的に固定するように利用することができる。ヘッドレスト４７０５は使い捨てとすることができる。一の実施の形態では、ヘッドレスト４７０５は、患者及び磁気ステータシステム４７１５の位置合わせを容易にするために、他方側より短い片側切り落とし部を有している。
【０２２６】
オペレータは、頭部の患部である半球又は治療目標部位（例えば、凝血塊又は他の流体障害物）を含む脳を選択することができる。図４６Ａでは、オペレータは、治療剤の搬送される頭部の片側に対応している患部の半球を選択するための半球選択部４６０３を介して、病気に冒された半球を選択するのにインターフェース４６０１を使用することができる。幾つかの実施の形態では、ユーザインタフェース４６０１は、半球選択部４６０３において、２つの選択肢を提示する、すなわち、関連画像４６０５ａを含む選択肢「ＬＥＦＴ」と関連画像４６０５ｂを含む選択肢「ＲＩＧＨＴ」である。オペレータの選択に応じて、ヘッド角画像４６０７は、選択を反映するように変更することができる。
【０２２７】
幾つかの実施の形態では、オペレータは、対象とする特定の動脈の分枝を選択する。図４６Ｂでは、オペレータは、動脈選択部４６０９を介して目標の動脈を選択するのにインターフェース４６０１を使用することができる。動脈選択部４６０９は動脈分枝のリストを含むことができ、そして、オペレータは、目標とする特定の動脈の分枝を選択することができる。動脈選択部４６０９をタッチすることで、有効な選択項目４６１１のリストを表示させることができる。例えば、図示の有効な選択項目４６１１のリストは、ＡＣＡ（前大脳動脈）、ＭＣＡ（中大脳動脈）、ＭＣＡ前位、ＭＣＡ後位、ＭＣＡ近位、ＩＣＡ（近位ＭＣＡ／内頸動脈）、ＰＣＡ／遠位脳底（後位大脳動脈／遠位脳底）の項目を含む。選択時に、頭部角度４６０７に関連する画像は、治療剤の注入方向を予測する（図４６Ｅに示す）の矢印４６２９を表示することができる。
【０２２８】
幾つかの実施の形態では、オペレータは、頭部角度が水平線に相対して患者頭部の角度となるような、患者の頭部角度を設定又は入力する。患者の頭部角度は、ユーザインタフェース４６０１を用いる処置中に、変化させることができる。図４６Ｃ及び図４６Ｄでは、オペレータは、図４６Ｃに示すようにバースライダー４６１３を使用して、又は、図４６Ｄに示すように頭部角度画像４６０７を操作することで、患者の頭部角度を設定するのにインターフェース４６０１を使用することができる。スライダー４６１４をドラッグすると、患者の頭部角度が０度から９０度に変化する、ここで９０度は患者が座っているときに対応している角度である。スライダー４６１４の現在位置の上又は下をタップすることで、確定量（例えば、５度、１０度、２０度）だけ頭部角度の値を増加又は減少できる。上下のボックス４６１５ａ及び４６１５ｂをタップすることで、頭部角度を１度だけ増加又は減少させることができる。図４６Ｄに示すように、オペレータは、頭部角度を調整するために、インターフェース４６０１上で、頭部角度画像４６０７の周りに指又は入力デバイスをドラッグすることができる。
【０２２９】
幾つかの実施の形態に従い、ひとたび患部の部位（例えば、目標部位、頭部の半球、目標動脈）及び頭部角度が設定されると、オペレータは手順を開始することができる。図４６Ｅは、「処置開始」ボタン４６１７を示している。患部の半球、目標動脈及び頭部角度が設定される前に、ボタン４６１７を無効にして、色設定、文章又は他のインジケータを使用することにより無効になっていることを示すことができる。幾つかの実施の形態では、パラメータ入力が入力されるまで、ボタン４６１７は表示されない。例えば、上記の選択が行われ、その後緑色になる前に、ボタン４６１７を灰色に設定することができる。「処置開始」ボタン４６１７を押すことで、磁気ステータシステムを、粒子の注入を開始すべきポイントで、起動させることができる。
【０２３０】
一の実施の形態では、注入の持続時間は約６０分である。各種の実施の形態では、注入の持続時間は５分と１２０分の間（例えば、５分と２０分の間、１０分と３０分の間、１５分と４５分の間、３０分と６０分の間、４５分と９０分の間、６０分と１２０分の間、それらが重複する各範囲、又は引用範囲内のいずれの持続時間）である。幾つかの実施の形態では、システムは、カウントダウンタイマー４６１９が示すように、所定時間（例えば、９０分）の経過後に起動状態の磁気ステータシステムと共に自動的に一時停止する。幾つかの実施の形態に従い、磁気ステータシステムは、注入が完了した後、特定に期間（例えば、約３０分）の間、操作を継続する。図４６Ｆに示すように、オペレータが「処置開始」ボタン４６１７を押圧すると、「マグネット停止」ボタン４６２１に変化させる又は入れ替えることができる。「マグネット停止」ボタン４６２１を押圧することで、磁気ステータシステムの起動を停止させることができ、カウントダウンタイマー４６１９を休止させることができ、そして、図４６Ｇに示すように、「マグネット停止」ボタン４６２１を「再開」ボタン４６２３に変化させる又は入れ替えることができる。マグネットが停止すると、オペレータは患者の頭部角度を調整でき、そしてリセットボタン４６２５を押すことでシステムをリセットすることができる、及び／又は終了ボタン４６２７をタッチして、システムを終了することができる。一の実施の形態では、「再開」ボタン４６２３を押圧することで、「マグネット停止」ボタン４６２１に戻すことができる。
【０２３１】
磁性ステータシステム及び磁性ローターを使用して凝血塊を処置する方法の実例として、磁性ステータシステムを、患部の半球の片側の患者頭部に隣接して位置決め、又は頭部頭頂の最上部に位置決めできる。磁性ナノ粒子及びｔＰＡは、ＩＶ又はここに記載の他の方法（例えば、マイクロボア注入チューブを介して）を介して、同時に注入することができる。ここに記載の各制御システムのような制御システムを使用して、オペレータは、ｔＰＡを凝血塊に導く血流の流れを作る又は増強するように作用する磁性ロータ磁性ロータを形成するために、磁性ナノ粒子を磁気的に操作する目的で、オペレーは磁性ステータシステムを使用することができる。このようにして、磁性ロータは、ｔＰＡの拡散を増加させ、凝血塊の破壊を加速させることができる。オペレータは、所望の変化する磁界を生成する磁性ステータシステムを制御することができる。
【０２３２】
磁性ステータシステムの回転方向を交互に替えることによって、オペレータは、血管内の磁性ロータの方向設定が可能となる。例えば、血管内の血液の速度は、速度が概ねゼロである血管壁からの距離につれて増加する。凝血塊を含む血管の分枝は、流体の流れ阻害し、結果的に流体速度は開口部でゼロまで落下することになる。そのような低速度領域内では、磁性ナノ粒子は、一般的に、磁性ステータシステムによって制御されるように結合する。結合したとき、磁性ステータシステムは、より大きな構造体（例えば、楕円形状を呈する磁性ロータ）に磁性ナノ粒子を凝集することができる。変化する磁界により、磁性ロータは回転できるようになり、結果的に前方への横転運動が生成されて、さらに磁性ローターは閉塞分枝内に又は閉塞分枝の近傍に移動することとなる。磁性ローターの結果として生じる回転運動は、新しい流れつくることができる、又は低速流を増強することができる。結果的に生成された流れは、他の方法では接近ができない又は接近が困難な領域で、治療薬を集中させることができる。磁性ステータシステムの回転を変化することで、追加の分枝に注入を行うことができる。例えば、異なる回転方向に設定することで、結果的に磁性ロータは異なる分枝に移動することになる。回転方向は、磁性ロータが多数の分枝に向くように、交互に変更することができる。幾つかの実施の形態に従い、磁性ロータは、目標部位を処置するために（例えば、傷害排除、浸食削除、崩壊、分解、除去又はその他の方法による処置）、治療目標部位に接触する必要はない。例えば、磁性ロータは、凝血塊を掻取る又は接触することなく、若しくは作用の主要原因箇所と接触せずに、血栓又は凝血塊の処置（例えば、除去、溶解又は浸食削除）を容易にすることができる。
【０２３３】
起磁ステータシステム及び磁性ナノ粒子とその他の磁性ロッド（例えば、磁性ツール）を制御する各方法の各実施の形態を説明したことから、現在市場に出回っている各装置及び医薬組成物と比較した場合に、幾つかの利点を認めることができる。第１の利点は、患者への意図しない損傷を引き起こすかもしれないカテーテルとカニューレとは対照的に、磁性ロータをある距離から制御できる有利な手法で、磁界を含む磁場勾配を結合させる能力である。第２の利点は、制御が無線ローターに対して有効となるように、磁界を簡単かつ正確な方法で時間的に変化させることを可能とする、同じく磁界を場合により最適化することを可能とする、コンパクトな機構を構築する能力であって、通常の投与量で、生体内での精確な制御が困難な医薬組成物の観点から、有意な強化となる能力である。
【０２３４】
加えて、一の実施の形態では、磁性ロータが、マグネタイト又は別の強磁性鉱物若しくは酸化鉄などの磁性ナノ粒子を備えるとき、磁性ナノ粒子の近傍にある化学剤又は医薬剤の混合を向上させる手法で、各ロータを操作することができる。時間変化する磁界と組み合わせた磁界勾配を利用することで、化学剤又は医薬剤との相互作用を増幅させるフローパターンを生成することができる。この機構は、血栓溶解剤としてｔＰＡを用いる血管内システム内の凝血塊の破壊のための動物モデルにおいて、観察されている。医薬組成物はまた、同じ機能を実行するために、磁性ナノ粒子に付着させることができる。その結果、ナノ粒子が、システムの磁界勾配と時間変化する磁界を用いて操縦可能であるなら、また所望の目標部位に相互作用をすることができるなら、これらの薬剤をより少ない量で、患者の処置のために使用することができる。
【０２３５】
各種の実施の形態では、薬物治療（例えば、ＩＶ−ｔＰＡ）単独によって効果的に処置され得るより大きなサイズの凝血塊又は血栓は、ここに記載の各方法及び各システムで、より効率的に（例えば、より速く、及び／又は改善された溶解で）処置することができる。例えば、８ｍｍ、９ｍｍ、１０ｍｍ又は１０ｍｍを超える（例えば、８ｍｍから２０ｍｍの間）横断面の寸法を持つ凝血塊又は血栓を、効果的に処置できる（例えば、崩壊、溶解、除去）。各種の実施の形態では、ここに記載の各方法及び各システムを利用することで、８ｍｍを超える長さの凝血塊又は血栓のような凝血塊であって、ＩＶ−ｔＰＡ又は他の血栓溶解剤のみを用いて崩壊する（例えば、閉塞血管を再開通する）尤度がほぼゼロ又は極僅かである凝血塊を、処置することができる。
【０２３６】
ここに記載の各処置は、ｔＰＡ又は他の血栓溶解剤が単独で投与される場合、ＣＭＲ又はＮＩＨＳＳ評点に基づく再開通の尤度が全くないとみなされる患者に対してでさえ、若しくは高いＮＩＨＳＳ評点（例えば、５点を超える）で示される重篤な脳卒中を患っている患者に対してでさえ、当該各処置は効力を持つことができる。幾つかの実施の形態によれば、磁性ナノ粒子は、ｔＰＡに誘導される出血を悪化させることはない。
【０２３７】
一の実施の形態では、起磁システムは、目下のところ見出されていない手法で、ユーザが磁界の回転平面を制御することができる理解しやすいユーザインタフェースを利用させることができる。幾つかの実施の形態では、ユーザインタフェースは、タッチスクリーンディスプレイを備えている。更に、ここに記載するような画像診断技術又は他の診断技術は、オペレータが、動的制御及び操縦を可能にするような、磁性ナノ粒子の位置のリアルタイムのフィードバックを持つことができるように、これら技術をユーザインタフェースに組み込む又はユーザインタフェースと組み合わせて使用することができる。これは、例えば、より多くのナノ粒子又はより多くの化学剤を導入することによって、プロセスの有効性を高めるための各ステップを行うように、オペレータを支援することができる。患者及び／又は関心領域の画像は、磁性ナノ粒子の操縦経路を策定するために、操作者、医師、技術者等を支援するように、ユーザインタフェースに組み込むことができる。操縦経路のを策定は、凝血塊のような治療目標部位を識別すること、ナノ粒子の実際の注入部位を選択すること、及び目標とする対象に到達するために患者の脈管構造を通る経路を策定すること、を含むことができる。各種の実施の形態では、注入部位は、任意の動脈又は静脈内にある（例えば、手、腕又は脚の動脈若しくは静脈、首や肩の領域における動脈又は静脈）。注入はまた、皮下又は筋肉内に実施されてもよい。磁性ナノ粒子の実際の操縦中に、オペレータは、操縦計画に利用する元画像を使用することができる、又は、ユーザインタフェースは、オペレータに表示するために更新画像を受信することができる、このようにして、オペレータにリアルタイムの画像処理及びフィードバックを提供している。リアルタイムのユーザインタフェースは、実質的に連続的にリアルタイムで、オペレータがナノ粒子の注入の方向を制御できるように、単軸又は多軸ロボットアームと通信することができる。幾つかの実施の形態では、処置は、目標の対象（例えば、凝血塊）の実際の画像化又は可視化を必要とせずに行うことができる。
【０２３８】
実例として、リアルタイムのユーザインタフェースは、撮像システムからの画像情報を組み込むことができる。撮像システムは、起磁システムに撮像データを提供するように構成された一つ又は複数の画像診断法を、組み込んだシステムとすることができる。撮像データは、Ｘ線データ、ＰＥＴデータ、ＭＲデータ、ＣＴスキャンデータ、超音波画像データ、または他の画像診断法データから導き出することができる。幾つかの実施の形態では、磁性ナノ粒子は、磁性ナノ粒子の位置識別を容易にするために及び／又は再開通の形跡を提供するために、画像診断法と共同して、当該磁性ナノ粒子は造影剤として作用する。
【０２３９】
一の実施の形態では、起磁システムは、撮像システムからの撮像データを受信する。幾つかの実施の形態では、撮像データは、使用時に、被験者の脈管構造、磁性ナノ粒子の相対的な位置、流体の流れ、流体の障害物、又はこれらの任意の組み合わせに関する情報を提供する、画像診断法に由来する情報を含む。例えば、撮像システムは、超音波ベースの画像処理に基づく画像データを生成することができる。撮像システムは、関心領域に目標設定した音波を送信し、画像を生成するエコー波を読み取ることができる。超音波ベースの撮像システムは、リアルタイムに撮像データを提供するように構成することができ、流体の流れ、組織、液体、磁性ナノ粒子等を識別するように構成することができる。幾つかの実施の形態では、超音波ベースの診断画像処理又は検出は、流体の流れに関する情報を提供するドップラー画像処理又は検出に基づいている。例えば、上述したように、診断超音波（例えば、ドップラー超音波）は、回転する磁気ナノ粒子ロッド又はロータ（例えば、３Ｈｚ）の回転周波数に同調させることができる。フィードバックは、磁性ナノ粒子の位置を確認するために又は再開通が発生したことを確認するために、使用することができる。超音波撮像システムは、１ＭＨｚと１８ＭＨｚの周波数を使用して撮像することができる。超音波ベースの撮像システムによって生成された超音波画像は、２次元、３次元、又は４次元の画像とすることができる。
【０２４０】
一の実施の形態では、起磁システムは、このような撮像システムからの撮像データを起磁システムの相対的な位置にマッピングされるように、起磁システムの参照フレームを撮像システムの参照フレームに登録する。幾つかの実施の形態では、参照フレームを登録することは、受信した画像の要素を識別することと、被検者内の位置にそれらの要素をマッピングすることと、を含む。幾つかの実施の形態では、各参照フレームを登録することは、起磁システムが、磁性システムの座標系に相対する受信画像をマッピングするように、被検者に相対する撮像装置の物理的な配向、走査又は画像の深さ、視野等の画像システム自体に関する情報を受信することを含む。例えば、超音波撮像システムは、目標領域に送信された各周波数関する情報、被検者に相対する撮像システムの配向関する情報、患者に相対する撮像システムの位置関する情報、又はこれらの任意の組み合わせ等に関する情報を起磁システムに送信することができる。別の実例として、ＣＴシステムは、走査又は画像の深さ、視野、患者に相対するシステムの配向等に関する情報を含むことができる。
【０２４１】
一の実施の形態では、起磁システムは、粒子を追跡するために、粒子を操縦するために、制御モードを切り替えるために（例えば、収集モード、渦モード、操縦モード等）、薬剤の拡散を監視するために、又はこれらの任意の組み合わせを行うために、撮像システムから受信した撮像データ内の磁性ナノ粒子を識別する。磁性ナノ粒子の識別することは、磁性ナノ粒子に関連した各信号についての撮像データを分析することを含むことができる。例えば、超音波画像処理では、磁性ナノ粒子は、それらの運動、組成、位置、挙動、配向、又はこれらの任意の組み合わせに起因して、画像内で特徴的な信号を有することができる。別の実例として、ＰＥＴシステムでは、磁性ナノ粒子は、添加した造影剤、ナノ粒子の組成物質の密度、ナノ粒子の位置等に基づく画像内の特徴的及び／又は識別可能な信号を有することができる。
【０２４２】
起磁システムは、各参照フレームの登録に基づいて、起磁システムに相対する磁性ナノ粒子の位置を決定することができる。起磁システムは、撮像システムからの撮像データに基づいて、磁性ナノ粒子の特定位置から被検体内の所望の位置への操縦経路を策定することができる。例えば、操縦経路は、磁性ナノ粒子の現在位置から閉塞部位のような目標構造体への被写体の脈管構造を通る許容可能な経路を含むことができる。幾つかの実施の形態では、操縦経路を策定することは、凝血塊のような治療目標部位を識別すること、ナノ粒子に対して実際の注入部位を選択すること、及び治療目標部位に到達するために患者の脈管構造を通る経路を策定することを含む。
【０２４３】
起磁システムは、操縦経路に応じた磁性ナノ粒子を操縦するために、磁気システムによって生成される磁界を操作することができる。幾つかの実施の形態では、磁界の操作によって複数の磁性ナノ粒子ロッドに凝集するように、脈管構造内に磁性ナノ粒子を発現させ、磁性ナノ粒子の回転及び磁性勾配の回転に応じて、磁界から離れて前方へ横転移動を繰り返し行うことで、磁性ナノ粒子を脈管構造内の流体を通過して移動させる、また（ｂ）磁性ナノ粒子の回転及び磁性勾配の回転に応じて、磁界に向かって流体を通過して、磁性ナノ粒子を流れ戻させている。特定の各実施の形態では、磁性ナノ粒子の循環運動又は振動運動は、血管内に発現する治療剤（例えば、血栓溶解剤）に対する脈管構造の血管内の目標構造体（例えば、流体障害物）の薬剤曝露の度合いを増加させ、更に治療剤（例えば、流体障害物上の血栓溶解剤）の作用を加速させている。幾つかの実施の形態では、前方横転運動は、磁性ナノ粒子列を生成し、翻ってこの磁性ナノ粒子列は、新たな流体の流れを形成する。新たな流体の流れは、治療剤及び／又は新鮮な肉体流体を引き込むことができる。
【０２４４】
起磁システムは、非変化の磁界を使用して達成した手法よりも優れた方法で、微細な通路内のナノ粒子を移動させるように使用することができる。時間変化する磁界及び磁界勾配を併用することで、ポイント療法の指示され得る微細血管内へナノ粒子を移動させることができる。
【０２４５】
幾つかの実施の形態では、攪拌作用又は混合作用を改善するための渦運動を生じさせるために、磁性ステータシステムは、時計回りの回転と反時計回りの回転との間で、マグネットの回転を交互に切り換える。加えて、時計回りの回転と反時計回りの回転との間の交互切り替えは、利点的には、血流の欠如又は減少に起因して閉塞した若しくは到達不能の追加分枝への注入又は再開通を容易にしている。例えば、時計回りの運動単独では、磁性ナノ粒子（例えば、磁性ローター）は、各特定分枝への前方横転運動で移動することを許容されない。定期的に、又は可視化若しくは事前取得した画像に基づいて制御された手法で、回転運動を交互に切り替えることは、結果的には、前方への横転運動を利用する反対方向への移動を引き起こすことになり、これにより時計方向又は反時計方向の回転単独では到達できない追加の各閉塞分枝に接近している。各種の実施の形態では、回転運動は、固定周波数（例えば、５秒毎、１０秒毎、１５秒毎、２０秒毎、３０秒毎、毎分、２分毎、５分毎、１０分毎、または他の頻度）で周期的に交互に切り替わる。幾つかの実施の形態では、回転運動は、脈管構造の生体構造に依存して、磁性ナノ粒子を操縦可能とする又は磁性ナノ粒子を血管の一つの閉塞分枝から他の閉塞分枝へ脈管構造に沿って移動させ得るように、交互に切り替えられる。
【実施例】
【０２４６】
本開示の各実施の形態は、いかなる意味においても開示又は特許請求の範囲を限定するものとして解釈されるべきではなく、各方法及び各システムの例証的な実施の形態の以下の各実施例に照らして更に理解されてよい。更に、下記の実施例に記載の及び上記開示に記載の各方法及び各処置は、以下の実施例に記載し、上記の開示において提示の順序で実行される必要はない。
【０２４７】
実施例１−ウサギへの磁性ナノ粒子の投与
麻酔したウサギは、血液凝固を生じさせる天然物、トロンビンを使用して、頸静脈を使用し、この位置で凝血塊を生成することによって血管内障害モデルを作成するために麻酔ウサギが使用された。ひとたび安定した凝血塊が確立されると、ｔＰＡ（一般に血管内障害を持つ患者における凝血塊を溶解するために使用される酵素）及び磁性ナノ粒子は、凝血塊の位置に向けられ、そして凝血塊を溶解するための時間の長さが記録された（図３８を参照）。各時間ポイントを変化させた後に、動物を安楽死させ、残留凝血塊を秤量しかつ分析し、更に血管自体に損傷がないことを確認するために組織を収集した。
【０２４８】
血管内障害モデルにより、起磁ステータシステムが、ｔＰＡ単独によるものよりも早く、静脈又は動脈を再開成することができるどうかについての判定、及び、ｔＰＡの投与量を静脈への損傷を引き起こすことなく低減することができるかどうかについての判定を可能としている。血管内障害の調査から集められたデータは、起磁ステータシステムが大幅にｔＰＡの「凝血塊−粉砕（溶解）」の活量（活性化の度合い）を有意に促進していることを明確に示している。
【０２４９】
詳細手続
概要：深部静脈血栓症は、一般的なもので、潜在的には致命的な条件にあり、現在の処置の選択肢は、良好処置というより、場合によっては、より悪影響をあたえる処置となり得る。一の実施の形態では、本研究の目的は、我々が、一般的に使用されるＭＲＩ造影剤を磁気的に操作することによって、現在の薬物治療の効率を高めることができるかどうかを決定するために、静脈血栓症の非生存麻酔ウサギモデルを使用することである（画像診断に於ける磁性ナノ粒子：Ｄ．Ｐｏｕｌｉｑｕｅｎ及びその他、ＭＲＩ造影剤として使用する酸化鉄ナノ粒子：薬物動態及び代謝；磁気共鳴画像診断、９巻、２７５−２８３頁、１９９１年、これにより当該著作物における開示を本明細書の一部を構成するものとしてその内容を援用する）。
【０２５０】
磁気学：上記に説明した鉄ナノ粒子は、現在ではヒトに使用して安全であると考えられている。
【０２５１】
序論：深部静脈血栓症（ＤＶＴ）は、無症候性とすることができるが、多くの場合、患部領域は、痛み、腫れ、赤色に成り、そして表在静脈において充血でする。左側の未処置の合併症は、患肢における組織壊死及び機能喪失を含むことができる。重篤な合併症とは、凝血塊が取り除かれて肺まで移動すると、結果的に肺塞栓症（ＰＥ）を引き起こし死に至ることである。ＤＶＴの現在の処置は、時として機械的な抽出（アンギオジェット、トレリス輸液システム：Ａｎｇｉｏｊｅｔ，Ｔｒｅｌｌｉｓ  Ｉｎｆｕｓｉｏｎ  Ｓｙｓｔｅｍ）で増強される、ストレプトキナーゼ及び組織プラスミノーゲン活性化因子（ｔＰＡ）等のような高投与量の溶菌酵素が含まれる。そのような投与量の溶菌酵素は、多くの患者（特に高齢者）では、出血のリスクが高く、共通して予後不良を招く（抗血栓薬の再考察：Ｌｅａｄｌｅｙ  ＲＪ  Ｊｒ，  Ｃｈｉ  Ｌ，  Ｒｅｂｅｌｌｏ  ＳＳ，  Ｇａｇｎｏｎ  Ａ．Ｊ、薬理学的・毒物学的方法；新規の抗血栓剤の発見と発展についての血栓症生体内モデルに関する寄稿、２０００  ＭａｎＡｐｒ；４３（２）：１０１−１６；潜在的なｔＰＡの合併症の再考察；急性心筋梗塞の処置における静脈内組織プラスミノーゲン活性化因子の使用に関連する出血性合併症；アメリカ医薬ジャーナル、８５巻、第３号、ページ３５３−３５９、Ｒ．  Ｃａｌｉｆｆ，  Ｅ．  Ｔｏｐｏｌ，  Ｂ．  Ｇｅｏｒｇｅ，  Ｊ．  Ｂｏｓｗｉｃｋ，  Ｃ．  Ａｂｂｏｔｔｓｍｉｔｈ，  Ｋ．  Ｓｉｇｍｏｎ，  Ｒ．  Ｃａｎｄｅｌａ，  Ｒ．  Ｍａｓｅｋ，  Ｄ．  Ｋｅｒｅｉａｋｅｓ，  Ｗ．  Ｏ■Ｎｅｉｌｌ，及びその他、これにより当該著作物における開示を本明細書の一部を
構成するものとしてその内容を援用する）。幾つかの実施の形態に従い、ＤＶＴモデルにより、大幅に出血の危険性を低減するために、有意に低い投与量のｔＰＡを使用することができるように、起磁ステータシステムが血栓の部位でのｔＰＡの活量を増強するか否かの決定を可能にしている。更に、現在の機械的な血栓溶解剤は、内皮を損傷することが知られている。各実験に続いて、血管分節は、内皮の完全性について組織学的に評価される。
【０２５２】
手順の実施の形態：これは非生存動物試験法である。ニュージーランドの白ウサギ（１．５―２．５キロ）に対して、ケタミンを３５ｍｇ／ｋｇ、キシラジンを５ｍｇ／ｋｇのＩＭを使用して、剃毛し手術の準備をした頸部腹側に麻酔をかけた。イソフルランガスを用いたマスク誘導を、経口気管内挿管を可能にするよう麻酔面を深くするために、利用されてもよい。一の実施の形態では、ひとたび挿管されると、動物は手術室に移動され、処置の持続時間中にイソフルランガス麻酔（外科的な効果に対しては、１−５％）を投与した。動物が麻酔下にある間に、心拍数、呼吸数、体温及び呼気終末のＣＯ2が監視される。動物の数を減少させ、研究間の変動性を減少させる目的で、左右対称に１０―１２ｃｍの傍正中切開を気管に作り、鋭く且つ鈍い切開を、頸静脈を単離するために利用している。有意な合併症が発生しない場合には、動物の総数は、それに応じて減少させることができる。
【０２５３】
単離された血管の遠位部位上に超音波流量プローブを載置し、基準となる血液の流量データを３０分間収集する。静脈流の安定化に続いて、シルクの（又はその他の編組の、非被覆の）縫合糸（テーパー針で５又は６−０）を、閉塞される領域の遠位面における血管腔の中心を通って横方向に通過させて、緩い結び目で固定することができる。この縫合糸の機能は、凝血塊の定着装置として作用し、塞栓症を防止することにある。その後、結紮糸を、流れを閉塞している血管の近位及び遠位部分上に（流量プローブに関して近位）載置する。最終的に、血管の２ｃｍ又は３ｃｍの分節を結紮糸により単離する。１００―２００Ｕのウシトロンビンを、約１ミリメートルの第１の結紮糸の約１ｍｍの近傍の空隙に、静脈内（２７―３０ｇ針）投与する。近位結紮糸を、トロンビン針を抜いた直後にに載置する。針の進入部位は、溶解処置中での出血を防止する薬剤Ｖｅｔｂｏｎｄ（Ｒマーク）の小滴を使用して閉成する。凝血塊は、結紮糸が除去されて、ｔＰＡ又は磁性ナノ粒子とｔＰＡの組み合わせ（上述）が、静脈の順行面で注入される（２７−３０ｇの針、入口穴を再びＶｅｔｂｏｎｄ（Ｒマーク）で密封した）時間である、３０分で成熟し安定が可能となる。動的磁場は該当位置に加えられ、そして、凝血塊の崩壊は、超音波流量計を介して最大３時間の間、継続的に監視される。流れの再確立に続いて、ペントバルビタール（１５０ｍｐｋ）のＩＶ過剰投与で麻酔状態にしたまま、動物を安楽死させる。実験での血管分節及び残留凝血塊は、更なる分析のために、その後収集されかつ秤量されてから固着される。血管内障害モデルで使用されるｔＰＡの投与量は、約３１２．５Ｕから約５０００Ｕの範囲である。
【０２５４】
グループ：研究は２局面、すなわち、パイロット及び概念実証で達成される。両局面は、ここで概説する処置が含まれるが、パイロット局面は、他のまだ投薬を受けていない組織学的なコンパレータを残し、左頸静のみを利用する。
パイロットグループ
１．トロンビンのみ、ｔＰＡは無し。このグループでは、我々の血栓の基準質量を確立するであろうし、また血栓の安定性の評価が可能になる。
ｎ＝３０。
２．ｔＰＡのみ、完全に有効な投与量（１００％の再開通）を確立する投与範囲ｎ＝６×３投与＝１８
３．ｔＰＡのみ、準最適投与量を確立する（被験者の２５―５０％に対して１００％有効、すべての被検者であるが流量の２５−５０％について再開通）投与範囲。ｔＰＡは悪い意味での変数であるため、検出困難な準最適投与量ｎ＝３×４投与＝１２
４．装置のみで確立する最適粒子濃度ｎ＝３×３濃度＝９
【０２５５】
概念グループの証明
注：各“ｎ”数は、初期データの品質に依存し、さらに動物の要件を低減するように、パイロットデータと組み合わせてよい。
１．最適ｔＰＡ。ｎ＝６
２．準最適ｔＰＡ。ｎ＝６
３．装置のみ。ｎ＝６
４．装置＋最適ｔＰＡ。ｎ＝６
５．装置＋準最適ｔＰＡ。ｎ＝６
【０２５６】
微細血管：頸静脈内血栓手順の完了に続いて、麻酔の外科手術面を維持し、手術を施行した。腸の一部を露出させ、乾燥を防ぐために塩水に浸す。腸間膜の大きな静脈の一つを縛り、ＰＥ１０でカニューレを挿入する。鉄粒子及びフルオレセインの混合物（１００μｌ中で１２．５ｍｇ／ｍｌ）を注入し、ブラックライトの下で撮影した。これにより、フルオレセインが腸を取り囲む超微細静脈内に拡散するか否かの決定を可能にし、起磁ステータシステムが脈管構造へ磁性ナノ粒子を導いていることを説明できる。
【０２５７】
安全性：起磁ステータシステムを使用することで、内膜が損傷しないか。そのことで溶血が発生しないか。幾つかの実施の形態では、血管内障害モデルにより、大静脈の再調査を介して決定することができる。頸静脈内の血栓症処置の完了に続いて、麻酔の外科的平面を維持し、開腹を実施した。大静脈の５−６ｃｍの分節を単離し、すべての分枝を縛った。血管を縛り、ＰＥ１０でカニューレを挿入する。鉄ナノ粒子（１００ｐｉ中で１２．５ｍｇ／ｍｌ）又は塩水（１００ｐｉ）を血管内に注入し、磁気的に３時間のあいだ制御した。３時間経過後に、血液を、静脈穿刺を介して血管分節から除去され、溶血の評価のために送り出し、安楽死に続いて、血管分節を、内皮の組織学的評価のために外植された。上記３件の実験は、外部で粒子と上記３を用いて実施される。
【０２５８】
動脈への近接
上述のＤＶＴモデルを使用して、起磁ステータシステムは、このウサギモデルにおいて有意にｔＰＡの有効性を増強していることが実証された（図３７Ａ及び３７Ｂを参照）。組織が収集されて組織学的に評価された。組織学的に検査をすると、組織上には何らの損傷も観察されなかった。
【０２５９】
実施例２−生体内で結紮したラビット大腿動脈内にＩＶ投与のナノ粒子を収集できる
大腿動脈を用いた以外は、実施例１のように、ニュージーランド白ウサギを使用した。下腹部３−４ｃｍの切開を通して、左大腿動脈を腹壁に腸骨分枝部から単離し、すべての分岐を縛った。動脈内の血液流と腹部大動脈を、トランソニックＴ２０６メータに結合したトランソニックドップラー流量プローブを用いて、連続的に監視した。
【０２６０】
この実施例では、閉塞性血栓を疑似し、静的な血液プールを形成するために、右大腿動脈を単離して結紮させた動脈閉塞の急性麻酔化ウサギモデルを用いた。磁性ナノ粒子（２００ｍｇ／ｋｇ）を静脈内に１５分の間注入し、マグネットシステムで収集した。結紮部位で、ナノ粒子の有意量の存在が、各動物について確認された。
【０２６１】
実施例３−ＩＶ投与のナノ粒子を流体の流れからの引出し作用で、拡散単独よりも早く薬を集中することができる
エバンスブルー色素（５０ｍｇ）を１５分の間単独で注入し、そして実施例２のウサギモデルを使用して、マグネットシステムの存在下で、磁性ナノ粒子と共注入した。閉塞動脈における染料の進捗が捕捉されて、画像分析により定量化された。それら結果から、拡散は単独で減少し、投与後１時間で、結紮した血管の３５％の浸透が達成されたことが、証明された。完全拡散が、磁性ナノ粒子を用いて、１４分、１７分及び２５分のそれぞれで、３匹のウサギにおいて達成されたが、染料単独では、完全拡散は不可能であった。図３８のグラフに示すように、毎分４％の体積浸透率で、磁性ナノ粒子に対して、拡散速度は強い線形のままであった。図３８は、磁性ナノ粒子を使用して、完全拡散に対するエバンスブルー色素単独の枯渇拡散のグラフを示す。
【０２６２】
実施例４−凝血塊表面でのｔＰＡ及び磁性ナノ粒子の磁性混合でｔＰＡ単独より高速に血栓溶解がもたらされる
この実施例では、頚静脈にトロンビン誘導閉塞血栓を有する、急性麻酔を施したウサギモデルを用いた。実施例では、ｔＰＡ単独及び磁性ナノ粒子（１．２ｍｇ）との同時投与のｔＰＡとを局所注射し、そして血管を再開通する時間を、ドップラー流量計を用いて測定し、確認した。ｔＰＡの投与量は、公開情報源から取得され、標準投与量の２５００Ｕに対して、３１２Ｕから５０００Ｕの範囲であった。図３９に示すように、ｔＰＡ単独に対して、マグネットシステムで再開通する時間は３倍早いことが、結果から実証された。同様の溶解率は、０．２５倍のｔＰＡ投与量についても証明された。このように、０．２５倍のｔＰＡ投与量は、磁性粒子の存在下での溶解速度を達成するために充分とすることができる、これによりｔＰＡ単独の投与と比較して、ｔＰＡ投与量を減少させている。幾つかの実施の形態において、磁性粒子は、所望の位置でのｔＰＡを指向させる及び／又は濃縮する混合機構を介して、より少ないｔＰＡ濃度の効果を増幅させている。
【０２６３】
同様に、磁性ナノ粒子の効果を測定するために、上記のように、ゼロ投与量から５０００Ｕまで変化するｔＰＡと共に、ナノ粒子を投与した。このモデルの要件は、ｔＰＡ及び粒子の双方を、正確に投与量を制御するために、凝血塊の近傍のマイクロカテーテルを介して搬送することにあった。磁性ナノ粒子の操作における摩耗作用の欠如を確認することから、磁性ナノ粒子単独の存在下では溶解が起こらなかったことが、結果から実証された。
【０２６４】
実施例５−血栓溶解剤単独に対して、磁性ナノ粒子を血栓溶解剤と静脈内で同時投与するときの、高速な血栓溶解結果
動脈内の凝血塊を形成するための一般的な技術が実施された。初めに、流量が基準流速（管腔領域で約９０％の減少）の約２５％まで減少するように、動脈壁からコラーゲン、組織要素及び血栓形成促進性物質を曝している内膜（動脈の２−３ｍｍの分節）を破壊するために、保護止血剤で閉塞される領域を粉砕する、そして、去勢ノットで結ばれた５−０絹縫合糸を用いて粉砕した領域に対して、臨界的な狭窄を施すことで、凝血塊を腹壁（腸骨分岐から約３ｃｍ）近傍に形成した。３−５閉鎖／再開成サイクルに続いて、閉塞性凝血塊が、３０―６０分で形成された。凝血塊は、３０分の間測定可能な血流の欠如による閉塞と考えられた。
【０２６５】
凝血塊上にマグネットを載置して３００ｒｐｍで回転させて、２０ｍｌの塩水中に、１５分の間、マグネタイトナノ粒子（６００ｍｇ）をストレプトキナーゼ（３００００Ｕ）と共注入し（２０００Ｕ／ｍｉｎ、８０ｍｌ／ｈｒ）、続いてストレプトキナーゼを単独で５７５Ｕ／ｍｉｎ（７．３ｍｌ／ｈｒ）注入した。コントロール動物は、マグネットの載置をせずに又は磁性ナノ粒子なしで、同様のストレプトキナーゼ注入を受けた。
【０２６６】
流量が閉塞前狭窄値（２―２．５ｍｌ／ｍｉｎ）の５０％に達したときに、血管の開成と考えられた。多くの場合、マグネットを作動してのナノ粒子処置の間、０．３−０．５までの小さな偏位が見受けられたが、ストレプトキナーゼ単独での処置中には見受けることはなかった。処置開始に続いて、２９．５分、１３．４分、３２分及び２８分で、４本の動脈が開成した。コントロールでは、それぞれ測定可能な流れの回復はないまま２時間及び１時間経過した。興味深いことに、１時間のストレプトキナーゼのコントロールスタディ後、ナノ粒子及びストレプトキナーゼを同時投与し、マグネットを作動させたところ、２９分後に血管の開成が起きた。ストレプトキナーゼとナノ粒子の同時投与に対して、７．４分の標準偏差で、また３．３分の標準誤差で、凝血塊の溶解の平均時間は２６．４分であった。ドップラー流量プローブから得た実施例データは、磁性ナノ粒子で加速した凝血塊溶解を示す図４０に例示される。
【０２６７】
実施例６−生体内凝血塊溶解超音波可視性の確認
ドップラー超音波画像診断の下で、ナノ粒子を可視化する能力は、脳卒中の治療のために、限定的な価値を提供する。しかしながら、深部静脈血栓症の施用のために、そのような機能が処置室での処置を可能とし、このようにＸ線設備一式に関連する費用の負担をなくしている。磁性ナノ粒子が血液中でフローパターンを形成するために、ナノ粒子自体が観察できない場合でさえ、ドップラー超音波画像診断を利用して、血流の可視化が可能となっている。調査から、ドップラー超音波画像診断下での、生体内の完全凝血塊溶解の高可視化が達成できたことが立証された。
【０２６８】
ウサギを用いて、大静脈の正中切開（１５ｃｍ）が、腸骨分枝への右腎静脈から単離され、全ての分枝が結紮された。フレームフレアチップを備えたＰＥ１０カテーテルを、左大腿静脈を介して導入し、二分枝を通過して前進させた。結紮糸（４−０絹糸）を、二分枝部で大静脈の周囲に載置し、結紮糸がフレアチップを捕捉するまで、カテーテルを後退させた。大静脈の近位面は、その後、約８―９ｃｍの長さの血液が満たされた単離分節を形成するように、右腎静脈から直近の遠位部位に結紮された。１．５ｃｍ離して近位結紮部位を締め付けて（非外傷性血管締め付け）、また静脈穿刺（３０ｇ）を介して５０Ｕ（３０μΙ）のトロンビンのを注入することにより、血栓を分節の近位端で形成した。針をゆっくりと引き抜いた後に、穿刺部位を組織接着剤の液滴で密閉した。凝血塊を、締め付け除去に先立って、３０分の間で熟成させた。１２ｍｇのナノ粒子及び５０００ＵのｔＰＡをその後、大腿カテーテルを介してを注入（２００μΙ）し、マグネットを起動した。血栓溶解は、ドップラー超音波（ＳｏｎｏＳｉｔｅ  Ｍ−Ｔｕｒｂｏ  ｓｙｓｔｅｍ）で記録した。完全な血栓溶解は、１１分以内で発現し、ドップラー超音波画像診断で高可視化された。
【０２６９】
実施例７−体外調査：２次元磁性ナノ粒子操作の確認
先の各実施例の拡張として、２次元のナノ粒子の方向を操作する能力を調べるために、二分枝のガラス製の模型（ファントム）を得た。親血管は、０．５ｍｍの二分枝を有する１ｍｍ幅の血管である。ナノ粒子の操作は、図４１に示される。（ａ）−（ｂ）では、ナノ粒子の集合体は、二分枝の間で分割される。分節（ｃ）では、ナノ粒子が引き込まれる。分節（ｄ）では、ナノ粒子は、（ｅ）で再び引き込まれる前に、下側分枝側下方に指向される。ナノ粒子は、（ｆ）で、上向き分枝に沿って指向される。
【０２７０】
調査は、溶解剤の投与量及び溶解率との関係を定量化するために行った。二つの溶解剤、すなわち、ストレプトキナーゼ及びｔＰＡを、これらの調査において使用した。凝血塊の処方箋を以下にまとめた。
【０２７１】
ストレプトキナーゼ凝血塊の処方箋
ストレプトキナーゼ崩壊試験に使用される凝血塊モデルは、ヒトトロンビンで凝血が開始される、ウシフィブリノーゲン／ヒトプラスミノーゲンの混成物であった。シグマ（Ｆ８６３０）からのウシフィブリノーゲンを、シグマ成分（Ｂ０２５２、Ｂ９８７６、Ｓ９６２５）で作製した１９７ｍＭのホウ酸緩衝液内に溶解させた。この溶液の比率は、１０ｍｌの緩衝液に対して、０．９ｇのフィブリノーゲンであった。凍結乾燥されたプラスミノーゲン及びトロンビン粉末を、緩衝液を用いて溶解させた。ＥＭＤケミカルズ（５２８１７５−１２０単位）からのヒトプラスミノーゲンを、０．２単位／μΙの溶液を作成するために、６００μΙの緩衝液に溶解させた。シグマ（Ｔ６８８４−１Ｋ単位）からのヒトトロンビンを、２００単位／ｍｌの溶液を作成するために、５ｍｌの緩衝液に溶解させた。加えて、ゼラチン溶液を、シグマ（Ｐ５３７９）及び脱イオン水を用いて、１００ｍＭのリン酸カリウム溶液１００ｍｌを使用して作成した。この溶液に０．５ｇのブタゼラチン（シグマＧ２５００）、０．１ｇの塩化ナトリウム（シグマＳ９６２５）、及び０．０１ｇのチメロサール（シグマＴ５１２５）を添加した。凝血塊のサンプルを作成するために、６０８μΙのフィブリノーゲン溶液、２５２μΙのホウ酸緩衝液、８１μΙのゼラチン溶液及び１０．２μΙのプラスミノーゲン溶液を、混合バイアル中で化合させ、緩やかに１５秒間旋回させた。各バッチには５μΙのトロンビン溶液が添加されるものであって、次いでこの混合液を、２３０μΙの４バッチに分離した。化合液を、再び緩やかに旋回させて、１００μΙの溶液と混合させ、凝血を促進するために、４分間３７℃で培養管内に傾瀉させて培養した。溶解溶液は、ホウ酸緩衝液中でレッド＃４０染料で増加されていたリン酸緩衝塩水での投与量を含んでいた（１ｍｌのホウ酸緩衝液に溶解したＣＫ生成物からの０．０２ｇのレッド＃４０。）。プラスミノーゲンの標準投与量は、８μΙの溶液であり、磁性ナノ粒子の標準投与量は、６μΙのＦｅ3Ｏ4（キャセイ顔料１１０６）であり、またストレプトキナーゼの標準投与量は、１２μΙの溶液（１０単位／μΙのリン酸緩衝塩水のシグマＳ８０２６）であった。分別投与量（投与率）の容積均衡は、ホウ酸緩衝液で成された。
【０２７２】
実例的なｔＰＡ凝血塊の処方箋
ｔＰＡの溶解試験に使用される凝血塊モデルは、ウシトロンビンで凝固が開始されたヒトフィブリノーゲン及びヒトプラスミノーゲンから構成された。ＥＭＤ化学剤（３４１５７６）からのヒトフィブリノーゲンを、シグマ成分（Ｂ０２５２、Ｂ９８７６、Ｓ９６２５）で作製した１９７ｍＭのホウ酸緩衝液に溶解させた。この溶液の比率は、１１．１ｍｌの緩衝溶液に対する１ｇのフィブリノーゲンであった。凍結乾燥されたプラスミノーゲン及びトロンビン粉末を、緩衝液を用いて溶解した。ＥＭＤ化学剤（５２８１７５−１２０単位）からのヒトプラスミノーゲンを、１単位／μΙの溶液を作製するために、１２０μΙの緩衝液に溶解させた。シグマ（Ｔ６２００−１Ｋ単位）からのウシトロンビンを、１０単位／μΙの溶液を作製するために、１００μΙの緩衝液に溶解させた。ゼラチン溶液は、シグマ（Ｐ５３７９）及び脱イオン水を使用して、１００ｍＭのリン酸カリウム溶液の１００ｍｌを使用して作製された。この溶液に、０．５ｇのブタゼラチン（シグマＧ２５００）と０．１グラムの塩化ナトリウム（シグマＳ９６２５）、及び０．０１ｇのチメロサール（シグマＴ５１２５）を添加した。凝血塊に対して視覚的なコントラストを加えるために、タンタル粒子を含む溶液を作製した。この溶液は、１ｍｌの脱イオン水中の０．０２３１ｇのＴａ粉末（ＡＰ材料０１０１１１）から構成された。凝血塊のサンプルを作成するために、フィ１００μΙのブリノゲン溶液、１２５μΙのホウ酸緩衝液、３２μΙのゼラチン溶液、２５μΙのタンタルナノ粒子溶液及び３μΙのプラスミノーゲン溶液を、混合バイアル中で化合し、緩やかに１５秒間旋回させた。混合液に、５μΙのトロンビン溶液を加え、化合液を混合するために、緩やかに旋回させた。１００μΙの溶液を、２本の培養管の各々に傾瀉させ、凝血塊を促進するために４分間３７℃で培養した。溶解溶液は、リン酸緩衝塩水での投与量を含んでいた。プラスミノーゲンの標準投与量は、３μΙの溶液であり、磁性ナノ粒子の標準投与量は、１２μΙのＦｅ3Ｏ4（キャセイ顔料１１０６）であり、またｔＰＡの標準投与量は、３２μΙの溶液（７８．１２５単位／μΙのリン酸緩衝塩水のＥＭＤ化学剤６１２２００）であった。分別投与量の容積均衡は、ホウ酸緩衝液で成された。
【０２７３】
図４２は、ストレプトキナーゼ及びｔＰＡの双方を使用して、溶解速度を定量化するために使用される試験管モデルを示している。図において、ＭＥＴサンプルは黒色で示された磁性ナノ粒子と共に左側に在る。コントロールサンプルは、半月板を示す矢印と共に右側にある。両サンプルはストレプトキナーゼの全投与量を使用する。試験管は、測定値で幅約５ｍｍの管であり、定規は、０．５ｍｍ刻みの目盛りに細分される。人工的な血栓を、溶解速度を意図的に遅くするため、密集するように作成された。これらの比較的遅いモデルでは、ＭＥＴとコントロールサンプルの双方に対しては、半月板の降下をより簡易に追跡し、結果としてより良好な血管壁への密着性がもたらされた。ストレプトキナーゼについては、ストレプトキナーゼを使用する典型的な総ＭＥＴの溶解時間、は約７時間未満であった。ｔＰＡについては、ＭＥＴの溶解率は、約４時間未満であった。溶解が１時間未満で発生した各モデルは、結果的に問題となる溶解速度を定量化した凝血塊の断片化をもたらした。図４３は、ストレプトキナーゼ及びｔＰＡを使用するＭＥＴにより可能となる、相対的な投与量反応の改善をそれぞれ示している。相対的溶解剤投与量＝１のとき、ストレプトキナーゼについては約１１．５倍早い、ｔＰＡについては約３倍の早い溶解をもたらした（コントロールに対して）。ＭＥＴで溶解剤が使用されないとき、溶解は発生しないという結果は、プロットでは獲得されない。これは、ストレプトキナーゼについては約１／８少未満、またｔＰＡについては約１／３２未満の、相対的溶解投与量での急速降下があることを示唆している。各線形一致は、ストレプトキナーゼについては約１／８０の等価溶解率、またｔＰＡについては約１／６０の等価溶解率を示唆している。上記の作業は、約５Ｈｚの周波数で約０．０１Ｔの磁界をもちいて実施され、また約０．０１−０．０３Ｔの磁界と約１−１０Ｈｚの周波数を用いた試験的作業では、これら結果に対してほぼ影響はなかった。
【０２７４】
実施例８−溶解率とナノ粒子投与量の比較
体外の試験管試験調査を、共通のｔＰＡの投与量と共に、磁性ナノ粒子の投与量の効果を測定するために、実施した。実施例７に詳述した凝血塊の処方箋を、モデルで使用した。図４４は、試験管の設定を捕えた画像である。図では、ｔＰＡの投与量は全てのサンプルで共通であり、各乗数は、磁性ナノ粒子の投与量を引用している。この調査では、磁性ナノ粒子の投与量は、０．２８ｍｇの開始（１Ｘ）投与量から、指数関数的に減少した。６２５ＵのｔＰＡは、全てのサンプルに共通している。
【０２７５】
ｔＰＡが存在しないときの、１Ｘナノ粒子投与量の効果は示されておらず、測定可能な溶解は見当たらない結果となった。このことから、幾つかの実施の形態に従い、ここに記載の技術は、本質的に薬力学的であること、またナノ粒子自体が血栓に対して測定可能な力を発生しないであろうことが、確認された。
【０２７６】
図４５は、１Ｘナノ粒子投与量が基準となる変化であって、相対的ナノ粒子投与量の変化に対する、相対的溶解率の変化を示す。明らかなように、大きいナノ粒子投与量は、中庸の利得をもたらしている（０．１Ｘ投与量は、１Ｘ投与量と比較して８％未満の溶解率の減少をもたらしている）。この関係を説明する幾つかの仮説がある。これは、ナノ粒子投与量の有効性は、凝血塊の曝露表面積に関係していると考えられる。ひとたび表面が飽和されると、ナノ粒子投与量の増加は、何の利点も与えない。別の仮説として、ひとたび巨視的な流れパターンを作成するために充分なナノ粒子が存在する場合には、より多くのナノ粒子は、強い流体の流れを形成するには有効でないかもしれない。
【０２７７】
上記に記載の詳細な説明は、ここに記載の各システム及び各方法を実施する際に、当業者を補助するために提供される。しかしながら、各実施の形態は、各システム及び各方法の実施の形態の例示として意図されているため、本明細書及び特許請求項に記載の各システム及び各方法は、ここに記載の特定な各実施の形態によって、其の範囲を限定されるものではない。しかし、各実施の形態は、開示の特定の各形態又は各方法に限定されるのではなく、記載された各種の実施の形態及び添付の特許請求の範囲の精神及び範囲内に入る全ての修正、等価物及び代替物を包含することが理解されるべきである。
【０２７８】
本明細書に開示した各範囲は、任意及び全ての重複、各準範囲、及びそれらの組み合わせを包含する。「まで」、「少なくとも」、「超過する」、「未満」、「間」等の言葉使いは、引用された数字を含む。各数字に先立つ「約」又は「概ね」などの用語は、引用数字を含む。例えば、「約３ｍｍ」は「３ｍｍ」を含む。本開示は用語「ナノ粒子」を使用しているが、この用語は、多数の実施の形態において用語「粒子」と代替可能である。言い換えれば、ナノ粒子に関連する記載と開示が、ナノ粒子（約１．１μｍと約２μｍの間、約２μｍと約５μｍの間、約５μｍと約１０μｍの間、約１０μｍと約１００μｍの間、約１００μｍと約１０００μｍの間、及びそれ以上）より大きい粒子に適用可能であることを意図している。多数の粒子（例えば、ナノ粒子）から形成され得るロッドは、粒子単体の寸法より２−５００００倍大きい、少なくとも一つの寸法（例えば、長さ、高さ、厚み）を有することができる。
【図１Ａ】
2020044365.tif 000003
【図１Ｂ】
2020044365.tif 000004
【図２】
2020044365.tif 000005
【図３】
2020044365.tif 000006
【図４Ａ】
2020044365.tif 000007
【図４Ｂ】
2020044365.tif 000008
【図４Ｃ】
2020044365.tif 000009
【図５】
2020044365.tif 000010
【図６】
2020044365.tif 000011
【図７Ａ】
2020044365.tif 000012
【図７Ｂ】
2020044365.tif 000013
【図７Ｃ】
2020044365.tif 000014
【図８】
2020044365.tif 000015
【図９Ａ】
2020044365.tif 000016
【図９Ｂ】
2020044365.tif 000017
【図９Ｃ】
2020044365.tif 000018
【図９Ｄ】
2020044365.tif 000019
【図１０】
2020044365.tif 000020
【図１１】
2020044365.tif 000021
【図１２Ａ】
2020044365.tif 000022
【図１２Ｂ】
2020044365.tif 000023
【図１３Ａ】
2020044365.tif 000024
【図１３Ｂ】
2020044365.tif 000025
【図１３Ｃ】
2020044365.tif 000026
【図１３Ｄ】
2020044365.tif 000027
【図１３Ｅ】
2020044365.tif 000028
【図１４】
2020044365.tif 000029
【図１５】
2020044365.tif 000030
【図１６Ａ】
2020044365.tif 000031
【図１６Ｂ】
2020044365.tif 000032
【図１７Ａ】
2020044365.tif 000033
【図１７Ｂ】
2020044365.tif 000034
【図１７Ｃ】
2020044365.tif 000035
【図１８Ａ】
2020044365.tif 000036
【図１８Ｂ】
2020044365.tif 000037
【図１８Ｃ】
2020044365.tif 000038
【図１８Ｄ】
2020044365.tif 000039
【図１８Ｅ】
2020044365.tif 000040
【図１９】
2020044365.tif 000041
【図２０Ａ】
2020044365.tif 000042
【図２０Ｂ】
2020044365.tif 000043
【図２１Ａ】
2020044365.tif 000044
【図２１Ｂ】
2020044365.tif 000045
【図２１Ｃ】
2020044365.tif 000046
【図２２Ａ】
2020044365.tif 000047
【図２２Ｂ】
2020044365.tif 000048
【図２３Ａ】
2020044365.tif 000049
【図２３Ｂ】
2020044365.tif 000050
【図２３Ｃ】
2020044365.tif 000051
【図２３Ｄ】
2020044365.tif 000052
【図２４】
2020044365.tif 000053
【図２５】
2020044365.tif 000054
【図２６Ａ】
2020044365.tif 000055
【図２６Ｂ】
2020044365.tif 000056
【図２７Ａ】
2020044365.tif 000057
【図２７Ｂ】
2020044365.tif 000058
【図２７Ｃ】
2020044365.tif 000059
【図２７Ｄ】
2020044365.tif 000060
【図２８Ａ】
2020044365.tif 000061
【図２８Ｂ】
2020044365.tif 000062
【図２８Ｃ】
2020044365.tif 000063
【図２９】
2020044365.tif 000064
【図３０Ａ】
2020044365.tif 000065
【図３０Ｂ】
2020044365.tif 000066
【図３１】
2020044365.tif 000067
【図３２Ａ】
2020044365.tif 000068
【図３２Ｂ】
2020044365.tif 000069
【図３３】
2020044365.tif 000070
【図３４】
2020044365.tif 000071
【図３５】
2020044365.tif 000072
【図３６】
2020044365.tif 000073
【図３７Ａ】
2020044365.tif 000074
【図３７Ｂ】
2020044365.tif 000075
【図３８】
2020044365.tif 000076
【図３９】
2020044365.tif 000077
【図４０】
2020044365.tif 000078
【図４１Ａ】
2020044365.tif 000079
【図４１Ｂ】
2020044365.tif 000080
【図４１Ｃ】
2020044365.tif 000081
【図４１Ｄ】
2020044365.tif 000082
【図４１Ｅ】
2020044365.tif 000083
【図４１Ｆ】
2020044365.tif 000084
【図４２Ａ】
2020044365.tif 000085
【図４２Ｂ】
2020044365.tif 000086
【図４２Ｃ】
2020044365.tif 000087
【図４２Ｄ】
2020044365.tif 000088
【図４３】
2020044365.tif 000089
【図４４】
2020044365.tif 000090
【図４５】
2020044365.tif 000091
【図４６Ａ】
2020044365.tif 000092
【図４６Ｂ】
2020044365.tif 000093
【図４６Ｃ】
2020044365.tif 000094
【図４６Ｄ】
2020044365.tif 000095
【図４６Ｅ】
2020044365.tif 000096
【図４６Ｆ】
2020044365.tif 000097
【図４６Ｇ】
2020044365.tif 000098
【図４７Ａ】
2020044365.tif 000099
【図４７Ｂ】
2020044365.tif 000100
【図４８Ａ】
2020044365.tif 000101
【図４８Ｂ】
2020044365.tif 000102
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
治療剤及び／又は造影剤を所望の目標位置まで送ることを促進するべく、対象に対し投与される酸化鉄磁性粒子を含む組成物であって、
硝酸カリウム溶液と、
水酸化カリウム溶液と、
ポリエチレングリコール１４５０溶液と、
硫酸鉄溶液と、
水と、
窒素と、
リン酸緩衝塩と
の組み合わせから形成される、組成物。
【請求項２】
前記窒素は、予め純化された窒素を含む、
請求項１に記載の組成物。
【請求項３】
治療剤及び／又は造影剤を所望の目標位置まで送ることを促進するべく、対象に対し投与される酸化鉄磁性粒子を含む組成物であって、
硝酸カリウム溶液と、
水酸化カリウム溶液と、
ポリエチレングリコール１４５０溶液と、
硫酸鉄溶液と、
水と
の組み合わせから形成される、組成物。
【請求項４】
前記ポリエチレングリコール１４５０の濃度は、１３００Ｄａ〜１６００Ｄａである、
請求項１から３のいずれかに記載の組成物。
【請求項５】
８５パーセントより多い酸化鉄を含む、
請求項１から４のいずれかに記載の組成物。
【請求項６】
前記成分は、８５℃〜１００℃の間の温度まで加熱されている、
請求項１から５のいずれかに記載の組成物。
【請求項７】
前記硫酸鉄溶液は、９５％以上の純度を有する硫酸鉄（ＩＩ）七水和物を含む、
請求項１から６のいずれかに記載の組成物。
【請求項８】
前記水酸化カリウム溶液中の水酸化カリウムは、８５％以上の純度を有する、
請求項１から７のいずれかに記載の組成物。
【請求項９】
前記ポリエチレングリコール１４５０溶液は、５０ｐｐｍより少ない重金属の不純物を含む、
請求項１から８のいずれかに記載の組成物。
【請求項１０】
前記ポリエチレングリコール１４５０溶液は、１％以下の強熱減量残渣を有する、
請求項１から９のいずれかに記載の組成物。
【請求項１１】
前記水は、ナノレベルの純粋逆浸透水を含む、
請求項１から１０のいずれかに記載の組成物。
【請求項１２】
前記組成物の固形分は、１５ｍｇ／ｍＬ以上、４５ｍｇ／ｍＬ以下である、
請求項１から１１のいずれかに記載の組成物。
【請求項１３】
磁性酸化鉄粒子を合成する方法であって、
硫酸鉄溶液、水酸化カリウム溶液、硝酸カリウム溶液及びポリエチレングリコール１４５０溶液を容器に加えることと、
前記容器を８５℃〜１００℃の間の温度まで加熱することと、
内容物の結合により形成された粒子を脱イオン水で洗浄することと、
複数の洗浄サイクルを実行することと
を含む、方法。
【請求項１４】
前記加熱する工程の間に攪拌すること
をさらに含む、請求項１３に記載の方法。
【請求項１５】
前記ポリエチレングリコール１４５０の濃度は、１３００Ｄａ〜１６００Ｄａである、
請求項１３又は１４に記載の方法。
【請求項１６】
前記硫酸鉄溶液は、９５％以上の純度を有する硫酸鉄（ＩＩ）七水和物を含む、
請求項１３から１５のいずれかに記載の方法。
【請求項１７】
前記水酸化カリウムは、８５％以上の純度を有する、
請求項１３から１６のいずれかに記載の方法。
【請求項１８】
前記ポリエチレングリコール１４５０溶液は、５０ｐｐｍより少ない重金属の不純物を含む、及び／又は、１％以下の強熱減量残渣を有する、
請求項１３から１７のいずれかに記載の方法。